(57)【特許請求の範囲】
【請求項１】
フレームと、
前記フレームによって支持されるマットレスと、
間隔を置いて配置される第一及び第二サイドレールを含み、患者が前記マットレスから出るのを阻止するために配置されるバリアであって、前記第一及び第二サイドレールは、ハンドレール部と、前記ハンドレール部から離間されてその間に開口部を画定するレール部とを含んでいる、バリアと、
前記第一及び第二サイドレールに対して第一位置から第二位置まで摺動するように、前記第一サイドレールの前記開口部内に配置可能であるとともに、前記第二サイドレールの前記開口部内に配置可能であるコントローラとを含む、患者支持体。
【請求項２】
前記開口部が曲線である、請求項１に記載の患者支持体。
【請求項３】
前記ハンドレール部が第一面を含み、前記レール部が第二面を含み、前記第一及び第二面が共働して前記開口部を形成し、かつ前記コントローラが前記開口部内を摺動するよう配置されるとき前記第一及び第二面に接触する、請求項１に記載の患者支持体。
【請求項４】
前記ハンドレール部及び前記レール部のうち少なくとも一方が凸面を含み、前記コントローラは、前記コントローラが前記開口部内に配置されたときに、前記凸面に隣接する位置に凹面を含む、請求項１に記載の患者支持体。
【請求項５】
前記ハンドレール部が第一凸面を含み、前記レール部が第二凸面を含み、前記コントローラが、前記ハンドレール部の前記第一凸面に隣接する位置に第一凹面、及び前記レール部の前記第二凸面に隣接する位置に第二凹面を含む、請求項１に記載の患者支持体。
【請求項６】
前記コントローラが前記バリアに取り外し可能に結合された、請求項１に記載の患者支持体。
【請求項７】
前記コントローラが、ハウジング、及び前記ハウジングを前記バリアに取り外し可能に結合するために前記ハウジングに結合された保持器を含む、請求項６に記載の患者支持体。
【請求項８】
前記保持器は、前記コントローラが前記バリアに結合されるとき、前記ハンドレール部及び前記レール部の一方と接触する、請求項７に記載の患者支持体。
【請求項９】
前記コントローラが前記ハンドレール部及び前記レール部によって支持された、請求項６に記載の患者支持体。
【請求項１０】
フレームと、
前記フレームによって支持されるマットレスと、
患者が前記マットレスから出るのを阻止するために配置されるバリアであって、前記バリアはハンドレール部及びレール部を含み、前記ハンドレール部は上面を含み、前記レール部は前記上面から離間されて前記上面との間に開口部を画定する下面を含む、バリアと、
前記バリアの前記レール部の前記下面に対して前記開口部内を摺動するように配置されるコントローラとを含む、患者支持体。
【請求項１１】
前記コントローラが前記バリアに取り外し可能に結合された、請求項１０に記載の患者支持体。
【請求項１２】
前記コントローラが、前記バリアの前記開口部の前記上面に対して摺動するように前記バリアに結合された、請求項１０に記載の患者支持体。
【請求項１３】
前記上面及び下面が凸状であり、前記コントローラが、前記バリアの前記上面及び下面に対応する凹状の上面及び下面を含む、請求項１０に記載の患者支持体。
【請求項１４】
前記コントローラがハウジング、及び前記ハウジングを前記バリアに結合するように構成された保持器を含む、請求項１０に記載の患者支持体。
【請求項１５】
前記保持器がラッチである、請求項１４に記載の患者支持体。
【請求項１６】
前記ラッチが付勢されてバリアと接触している、請求項１５に記載の患者支持体。
【請求項１７】
前記保持器が可撓性タブである、請求項１４に記載の患者支持体。
【請求項１８】
前記コントローラが、前記バリアの前記開口部を形成する前記上面に前記ハウジングを結合するように構成された別の保持器を含む、請求項１７に記載の患者支持体。
【請求項１９】
フレームと、
前記フレームによって支持されるマットレスと、
患者が前記マットレスから出るのを阻止するために配置されるバリアであって、ハンドレール部と、前記ハンドレール部から離間されて曲線開口部を画定するレール部と、を含むバリアと、
前記バリアの前記レール部に対して摺動するように前記曲線開口部内に配置されるコントローラとを含む、患者支持体。
【請求項２０】
前記ハンドレール部及び前記レール部の少なくとも一方が前記曲線開口部に隣接する第一凸面を含み、かつ前記コントローラが前記第一凸面に隣接する位置に第一凹面を含む、請求項１９に記載の患者支持体。
【請求項２１】
前記バリアが、前記曲線開口部を形成するように前記第一凸面から間隔を置く第二凸面を含み、かつ前記コントローラが、前記第二凸面に隣接する位置に第二凹面を含む、請求項２０に記載の患者支持体。
【請求項２２】
前記ハンドレール部及び前記レール部の少なくとも一方が曲線である、請求項１９に記載の患者支持体。
【請求項２３】
前記コントローラが、曲線の前記レール部の一部を受ける寸法の凸面を含む、請求項２２に記載の患者支持体。
【請求項２４】
前記コントローラが前記開口部の長さに沿って移動するように構成された、請求項１９に記載の患者支持体。
【請求項２５】
前記コントローラが前記曲線開口部に取り外し自在に受けられた、請求項１９に記載の患者支持体。
【発明の詳細な説明】
【０００１】
［発明の背景及び要約］
本出願は、1999年12月29日に提出された米国仮出願第60/173,428号、及び1997年9月23日に提出された米国仮出願第60/059,772号の優先権を主張する1998年7月22日に提出された米国実用新案出願第09/120,125号「収縮自在の足部を有する病院用ベッド」の利益を主張する。上記3つの出願の開示は、参照により本出願に明白に組み込まれる。1998年9月23日に提出されたPCT出願第PCT/US98/20002号「収縮自在の足部を有する病院用ベッド」（Allenその他）、本出願と一緒に提出された米国実用新案出願番号未知「病院用ベッド」（Osborneその他）、本出願と一緒に提出された米国実用新案出願番号未知「収縮自在の足部を有するマットレス」（Wellingその他）、及び本出願と一緒に提出された米国実用新案出願番号未知「ベッド用の足制御装置」（Osborneその他）の開示は、参照により本出願に明白に組み込まれる。
【０００２】
本発明は、病院用ベッドに関するものである。更に詳細には、本発明は、関節式デッキ、デッキ・リフトシステム及びサイドレールを有する病院ベッドに関する。
【０００３】
病院用ベッド及びその他の患者支持体は既知である。一般に、この種の患者支持体は、患者または治療、回復または休息を求めるその他の者のために支持面を提供するために使用される。この種の多くの患者支持体は、フレーム、フレームによって支持されるデッキ及びマットレスを含む。マットレスは、一般に支持面を提供する。
【０００４】
本発明に従えば、患者支持体が提供される。この患者支持体は、フレーム、フレームによって支持されるマットレス、患者がマットレスから脱出するのを阻止するために配置されるバリア、及びコントローラを含む。バリアは、間隔を置いて配置される第一及び第二レールを含み、コントローラは第一及び第二レールに沿って摺動するように配置される。
【０００５】
本発明の別の実施形態に従えば、フレーム、フレームによって支持されるマットレス、患者がマットレスから脱出するのを阻止するために配置されるバリア、及びコントローラを含む、患者支持体が提供される。バリアは、共働して開口部を形成する上面および下面を含む。コントローラは、バリアに開口部を形成する下面に沿って摺動するように配置される。
【０００６】
本発明の別の実施形態に従えば、フレーム、フレームによって支持されるマットレス、患者がマットレスから脱出するのを阻止するために配置されるバリア、及びコントローラを含む、患者支持体が提供される。バリアは曲線開口部を含み、コントローラはバリアに沿って移動するように曲線開口部に配置される。
【０００７】
本発明の別の実施形態に従えば、フレーム、フレームによって支持されるマットレス、患者がマットレスから脱出するのを阻止するために配置されるバリア、及びコントローラを含む、患者支持体が提供される。バリアはバリアに開口部を形成する面を含む。コントローラはハウジング及びハウジングに結合される保持器を含む。保持器は、ハウジングをバリアに取り外し可能もしくは取り外し自在に結合するためにバリアの表面に接触するように構成される。
【０００８】
本発明の別の実施形態に従えば、フレーム、フレームによって支持されるマットレス、患者がマットレスから脱出するのを阻止するために配置されるバリア、及びコントローラを含む、患者支持体が提供される。コントローラはバリアに取り外し可能に結合され、バリアから間隔を置く第一位置からバリアに結合される第二位置に移動可能もしくは移動自在である。コントローラは、コントローラをバリアに結合するために第一位置から第二位置までの水平要素を有する通路に沿って移動可能もしくは移動自在である。コントローラは、第二位置にあるときにバリアに沿って移動可能である。
【０００９】
本発明の別の実施形態に従えば、フレーム及びフレームによって支持されるマットレスを含む患者支持体が提供される。マットレスは、第一側及び第一側から横切る方向に間隔を置く第二側を有する。この患者支持体は、さらに、患者がマットレスの第一側から脱出するのを阻止するために配置される第一バリア、患者がマットレスの第二側から脱出するのを阻止するために配置される第二バリア、及びコントローラを含む。第一バリアには第一開口部が形成され、第二バリアには第二開口部が形成される。コントローラは、第一バリアの第一開口部に取り外し自在に受けられかつ第二バリアの第二開口部に取り外し自在に受けられるように構成される。
【００１０】
本発明の別の実施形態に従えば、フレーム、フレームによって支持されるマットレス、患者がマットレスから脱出するのを阻止するために配置されるバリア、及びコントローラを含む、患者支持体が提供される。バリアは長軸を有する。バリアは、長手要素及び横切る要素を有する通路でバリアに沿ってコントローラを移動させるように構成されるガイドを含む。
【００１１】
本発明の別の実施形態に従えば、フレーム、フレームによって支持されるマットレス、患者がマットレスから脱出するのを阻止するために間隔を置いて配置される1対のバリア、及びバリアに取り外し可能に結合されるコントローラを含む、患者支持体が提供される。コントローラは、ハウジング、ハウジングに結合されるコード及びコードに結合される第一コネクタを含む。患者支持体は、さらに、フレームによって支持される第二コネクタを含む。第一コネクタは、第二コネクタに結合するように構成されて、第一コネクタが第二コネクタに結合されるときに第一及び第二コネクタを介してコントローラの通信手段となる。この患者支持体は、さらに、フレームによって支持される第三コネクタを含む。第一コネクタは、第三コネクタに結合するように構成されて、第一コネクタが第三コネクタに結合されるときに第一及び第三コネクタを介してコントローラの通信手段となる。
【００１２】
本発明の別の実施形態に従えば、ベース・フレーム及びベース・フレームに対して第一位置と第二位置との間を移動するように構成される中間フレームを有するフレーム、中間フレームに結合されるデッキ、及びデッキによって支持されるマットレスを含む、患者支持体が提供される。デッキは、中間フレームに対して第一位置と第二位置との間を移動するように構成される少なくとも1つのデッキ部を含む。この患者支持体は、さらに、ベース・フレームに対して中間フレームをまた中間フレームに対してデッキ部を移動するために第一位置と第二位置との間を移動するように構成される複数のアクチュエータ、及びフレームによって支持される複数の電動足操作制御装置を含む。複数の足操作制御装置の各々は、複数のアクチュエータのうち少なくとも1つの第一位置への移動を制御するために第一位置に移動可能もしくは移動自在であり、かつ複数のアクチュエータのうち少なくとも1つの第二位置への移動を制御するために第二位置に移動可能もしくは移動自在である。
【００１３】
本発明の別の実施形態に従えば、フレーム、フレームによって支持されるデッキ、デッキによって支持されるマットレス、及びフレームの一部及びデッキの一部のうち少なくとも一方を移動するために第一位置と第二位置との間を移動するように構成されるアクチュエータを含む、患者支持体が提供される。この患者支持体は、さらに、アクチュエータの第一位置への移動を起動する第一位置及びアクチュエータの第二位置への移動を起動する第二位置に移動可能である電動足操作制御装置を含む。
【００１４】
本発明の別の実施形態に従えば、フレーム、フレームによって支持されるデッキ、デッキによって支持されるマットレス、及びフレームの一部及びデッキの一部のうち少なくとも一方を移動するように構成されるアクチュエータを含む、患者支持体が提供される。この患者支持体は、さらに、アクチュエータの移動を制御するように構成される制御装置を含む。制御装置は、制御部材、及び制御部材位置の変化に基づいてアクチュエータの動作を制御するために制御部材の位置の変化によって生じる場の変化を検出するように構成される磁場センサを含む。
【００１５】
本発明の別の実施形態に従えば、フレーム、フレームによって支持されるデッキ、デッキによって支持されるマットレス、フレームの一部及びデッキの一部のうち少なくとも一方を移動するために第一位置と第二位置との間を移動するように構成される第一アクチュエータ、及びフレームの一部及びデッキの一部のうち少なくとも一方を移動するために第一位置と第二位置との間を移動するように構成される第二アクチュエータを含む、患者支持体が提供される。この患者支持体は、さらに、第一及び第二アクチュエータの第一位置への移動を制御するために第一位置に移動可能でありかつ第一及び第二アクチュエータの第二位置への移動を制御するために第二位置に移動可能である足操作制御装置を含む。
【００１６】
本発明の別の実施形態に従えば、フレーム、フレームを支持しかつ床上でのフレームの移動を促進するように構成される複数の車輪、フレームによって支持されるデッキ、デッキによって支持されるマットレス、及びフレームの一部及びデッキの一部のうち少なくとも一方を移動するように構成されるアクチュエータを含む、患者支持体が提供される。この患者支持体は、さらに、アクチュエータの移動を制御するように構成される電動足操作制御装置を含む。
【００１７】
本発明の別の実施形態に従えば、フレーム、フレームによって支持されるデッキ、デッキによって支持されるマットレス、及びフレームの一部及びデッキの一部のうち少なくとも一方を移動するように構成されるアクチュエータを含む、患者支持体が提供される。この患者支持体は、さらに、フレームによって支持されアクチュエータの移動を制御するように構成される電動足操作制御装置を含む。
【００１８】
本発明の別の実施形態に従えば、フレーム、フレームによって支持されるデッキ、デッキによって支持されるマットレス、フレームの一部及びデッキの一部のうち少なくとも一方を移動するために第一位置と第二位置との間を移動するように構成されるアクチュエータ、及び第一位置と第二位置との間を移動するためにアクチュエータに電力を供給するように構成される動力源を含む、患者支持体が提供される。この患者支持体は、さらに、アクチュエータを第一位置に移動するために動力源からアクチュエータへの動力供給源を開始する第一位置に移動可能でありかつアクチュエータを第二位置に移動するために動力源からアクチュエータへの動力供給源を開始する第二位置に移動可能である足操作制御装置を含む。
【００１９】
本発明の別の実施形態に従えば、フレーム、フレームによって支持されるデッキ、及びデッキによって支持されるマットレスを含む、患者支持体が提供される。マットレスは、調整自在の長さを持つように構成される収縮自在の足部を含む。収縮自在の足部は、発泡材部及びかかと圧力緩和部を含む。
【００２０】
本発明の別の実施形態に従えば、マットレスが提供される。このマットレスは、頭部、座部、及び収縮自在の足部を含む。頭部、座部及び足部は、共働して患者休息面を形成する。収縮自在の足部は、調整自在の長さ、本体及びかかと圧力緩和部を有する。本体は、かかと圧力緩和部を受ける寸法のキャビティを有する。
【００２１】
本発明の別の実施形態に従えば、マットレスが提供される。このマットレスは、頭部、座部及び足部を含む。足部は調整自在の長さを有する。頭部、座部及び足部は、共働して調整自在の長さを有する患者休息面を形成する。足部は、調整自在の長さの発泡材部及び発泡材部の硬さより小さい硬さのかかと圧力緩和部を含む。
【００２２】
本発明の別の実施形態に従えば、患者を支持するための方法が提供される。この方法は、患者支持体を提供する工程を含む。患者支持体は調整自在の長さ、発泡材によるふくらはぎ支持部、及び発泡材によるふくらはぎ支持部の硬さより小さい硬さのかかと圧力緩和部を有する。この方法は、さらに、発泡材によるふくらはぎ支持部を患者のふくらはぎの下に配置しかつかかと圧力緩和部を患者のかかとの下に配置するように患者支持体の長さを調整する工程を含む。
【００２３】
本発明の別の実施形態に従えば、フレーム、フレームによって支持されるデッキ、デッキによって支持されるマットレス、及びコントローラを含む、患者支持体が提供される。デッキは、フレームに対して移動するように構成される頭部及び調整自在の長さを有する足部を含む。コントローラは、デッキの頭部の位置に対応するように足部の長さを変化するように構成される。デッキの足部は、足部の長さが変化する間実質的水平に保たれる。
【００２４】
本発明の別の実施形態に従えば、フレーム、フレームによって支持されるデッキ、及びデッキによって支持されるマットレスを含む、患者支持体が提供される。デッキは頭部及び足部を含む。頭部はフレームに対して上下動するように構成される。マットレスはデッキの頭部の上方に位置する頭部、及びデッキの足部の上方に位置する調整自在の長さの足部を有する。マットレスの足部の長さは、デッキの頭部の上昇に対応して長さを増すように構成される。
【００２５】
本発明の別の実施形態に従えば、フレーム、フレームによって支持されるデッキ、及びデッキによって支持されるマットレスを含む、患者支持体が提供される。デッキは頭部、座部及び足部を含む。頭部はフレームに対して上下動するように構成される。マットレスは、デッキの頭部の上方に位置する頭部、及びかかと圧力緩和部を有する足部を有する。かかと圧力緩和部の位置は、フレームに対する頭部の位置に対応する。
【００２６】
本発明の別の実施形態に従えば、患者のかかと圧力緩和を維持する方法が提供される。この方法は、患者支持体を提供する工程を含む。患者支持体は、フレーム、フレームによって支持されかつ足部及びフレームに対して第一位置と第二位置との間で移動可能な頭部を有するデッキ、及びデッキの足部の上方に位置する足部及びデッキの頭部の上方に位置する頭部を有するマットレスを含む。足部は、患者のかかと上への表面圧力を減少するように構成されるかかと圧力緩和部を有する。この方法は、さらに、かかと圧力緩和部の位置を患者のかかとの下に維持するためにマットレスのかかと圧力緩和部位置をデッキの頭部位置に対応させる工程を含む。
【００２７】
本発明の別の実施形態に従えば、別の患者支持体が提供される。この患者支持体は、フレーム、フレームの上方に配置されるマットレス、及び人がマットレスから脱出するのを阻止するために配置されるバリアを含む。バリアは非不透明材で作られる。
【００２８】
本発明の別の実施形態に従えば、別の患者支持体が提供される。この患者支持体は、フレーム、フレームの上方に配置されるマットレス、及び人がマットレスから脱出するのを阻止するために配置されるバリアを含む。バリアは非不透明材で作られる。この患者支持体は、さらに、バリアを照明するために光を非不透明材で作られるバリアへ透過するように配置される光源を含む。
【００２９】
本発明の別の実施形態に従えば、別の患者支持体が提供される。この患者支持体は、フレーム、フレームの上方に配置されるマットレス、及び人がマットレスから脱出するのを阻止するために配置されるサイドレールを含む。サイドレールは非不透明材で作られる。
【００３０】
本発明の別の実施形態に従えば、別の患者支持体が提供される。この患者支持体は、フレーム、フレームの上方に配置されるマットレス、及び人がマットレスから脱出するのを阻止するために配置される少なくとも1つのヘッドボード及びフットボードを含む。この少なくとも1つのヘッドボード及びフットボードは非不透明材で作られる。
【００３１】
本発明の別の実施形態に従えば、別の患者支持体が提供される。この患者支持体は、フレーム、フレームの上方に配置されるマットレス、及びサイドレールを含む。サイドレールは、第一位置から第二位置に移動するように構成されるレール部材を含む。レール部材は、マットレスに対面する内側及びマットレスと反対側に対面する外側を有する。サイドレールは、さらに、レール部材を第一位置に保持するように構成される保持器及び第一位置からのサイドレールの移動を可能にするように構成される患者アクセス可能解除装置を含む。患者アクセス可能解除装置は、マットレス上の通常位置もしくは正常位置に居る人にアクセス自在である。
【００３２】
本発明の別の実施形態に従えば、別の患者支持体が提供される。この患者支持体は、フレーム、フレームの上方に配置されるマットレス、及びサイドレールを含む。サイドレールは、第一位置から第二位置に移動するように構成されるレール部材、第一位置でレール部材を保持するように構成される保持器、第一位置からのレール部材の移動を可能にするように構成される解除装置、及び解除装置がレール部材の第一位置からの移動を可能にするのを防止するように構成されるロックを含む。
【００３３】
本発明の別の実施形態に従えば、別の患者支持体が提供される。この患者支持体は、フレーム、フレームの上方に配置されるマットレス、及び第一位置から第二位置に移動するように構成されるレール部材を含むサイドレールを含む。この患者支持体は、さらに、レール部材を第一位置に保持するように構成される保持器、第一位置からのサイドレールの移動を可能にするように構成される第一解除装置、及び第一位置からのサイドレールの移動を可能にするように構成される第二解除装置を含む。
【００３４】
本発明の別の実施形態に従えば、別の患者支持体が提供される。この患者支持体は、フレーム、フレームの上方に配置されるマットレス、及びサイドレールを含む。サイドレールは、マットレス上に居る人が脱出するのを阻止する第一位置から第二位置に移動するように構成されるレール部材、及びマットレス上に居る人の腕を支えるために配置されるアームレストを含む。
【００３５】
本発明の別の実施形態に従えば、別の患者支持体が提供される。この患者支持体は、フレーム、フレームの上方に配置されるマットレス、及びサイドレールを含む。サイドレールは、マットレス上に居る人が脱出するのを阻止する第一位置から第二位置に移動するように構成されるレール部材、及び容器を支持するように構成される容器ホルダを含む。
【００３６】
本発明の別の実施形態に従えば、別の患者支持体が提供される。この患者支持体は、フレーム、フレームの上方に配置されるマットレス、患者がマットレスから脱出するのを阻止するために配置されるバリア、及びバリアに結合するように構成される無線コントローラを含む。無線コントローラは、患者支持体の機能を制御するように構成される。
【００３７】
本発明の別の実施形態に従えば、別の患者支持体が提供される。この患者支持体は、フレーム、フレームの上方に配置されるマットレス、及び患者がマットレスから脱出するのを阻止するために配置される第一サイドレールを含む。第一サイドレールは、第一端、及び第一端から間隔を置く第二端を含む。この患者支持体は、さらに、患者がマットレスから脱出するのを阻止するために配置される第二サイドレールを含む。第一サイドレールは第二サイドレールに対して第一位置と第二位置との間を移動するように構成される。第二サイドレールは、第一サイドレールが第二位置にあるとき第一サイドレールの第一端を受けるように配置された凹部を有する上縁を含む。
【００３８】
本発明の別の実施形態に従えば、別の患者支持体が提供される。この患者支持体は、フレーム、フレームの上方に配置されるマットレス、第一サイドレール及び第二サイドレールを含む。マットレスは実質的水平の面を形成する。第一サイドレールは、患者がマットレスの第一側から脱出するのを阻止するために配置される。第一サイドレールは、マットレスに向かって内方に傾動して、マットレスによって形成される水平面と鋭角を形成するように構成される。第二サイドレールは、患者がマットレスの第二側から脱出するのを阻止するために配置される。第二サイドレールは、マットレスに向かって内方へ傾動して、マットレスによって形成される水平面とある角度を形成するように構成される。
【００３９】
本発明の別の実施形態に従えば、別の患者支持体が提供される。この患者支持体は、フレーム、フレームの上方に配置されるマットレス、マットレス上に居る患者が脱出するのを阻止するために配置されるバリア、及び患者へのCPR処置を促進するためにマットレス上に居る患者の下に配置できるように構成されるCPRパネルを含む。この患者支持体は、さらに、バリアに隣接するCPRパネルの下隅を保持するために配置されるCPRパネル保持部材を含む。
【００４０】
本発明の別の実施形態に従えば、別の患者支持体が提供される。この患者支持体は、フレーム、フレームの上方に配置されるマットレス、及びマットレス上に居る患者が脱出するのを阻止するために配置されるバリアを含む。バリアは、周辺フレーム部材及び周辺フレーム部材に結合されるスクリーンを含む。周辺フレーム部材は開口部を形成する。スクリーンは、周辺フレーム部材を摺動可能に受ける寸法の通路を形成する管状スリーブ、及び周辺フレーム部材によって形成される開口部を横切って延びるようにスリーブに結合されるパネルを含む。
【００４１】
本発明の別の実施形態に従えば、別の患者支持体が提供される。この患者支持体は、フレーム、フレームによって支持されるマットレス、フレームによって支持されるフットボード、フレームによって支持されるヘッドボード、及びヘッドボード及びフットボードのうち少なくとも一方に枢軸旋回可能に結合されるコントローラを含む。
【００４２】
本発明の別の実施形態に従えば、別の患者支持体が提供される。この患者支持体は、フレーム、フレームによって支持されるマットレス、フレームによって支持されるフットボード、及びフレームによって支持されるヘッドボードを含む。ヘッドボード及びフットボードのうち少なくとも一方は、患者がマットレスから脱出するのを阻止する常態では垂直のブロッキング位置及びマットレスの上方に位置する水平テーブル位置から取り外し可能である。
【００４３】
本発明の別の実施形態に従えば、別の患者支持体が提供される。この患者支持体は、フレーム、フレームによって支持されるマットレス、フレームによって支持されるフットボード、及びフレームによって支持されるヘッドボードを含む。この患者支持体は、さらに、フットボード及びヘッドボードのうち少なくとも一方とサイドレールとの間に形成される隙間から患者が脱出するのを阻止するために前記フットボード及びヘッドボードのうちの少なくとも一方に結合される隙間充填材を含む。
【００４４】
本発明の別の実施形態に従えば、別の患者支持体が提供される。この患者支持体は、フレーム、フレームによって支持されるデッキ、及びフレームによって支持されるマットレスを含む。デッキは、デッキ上部、及びデッキ傾斜側壁によってデッキ上部に結合されるデッキ下部を含み、デッキ下部はデッキ上部から間隔を置いて配置されて、デッキ中央に長手方向のくぼみを形成する。デッキ下部は、デッキを横切って延びてデッキ下部支持面を提供する。
【００４５】
本発明の別の実施形態に従えば、別の患者支持体が提供される。この患者支持体は、フレーム、及びフレームによって支持されるデッキを含む。デッキは、足部、フレームに対して第一位置と第二位置との間を移動するようにフレームに枢軸旋回可能に結合される背部、及び第一位置と第二位置との間を移動するように背部に枢軸旋回可能に結合される頭部を含む。この患者支持体は、さらに、背部及び頭部の移動を制御する構成の機構を含む。この機構は、背部が第一位置から第二位置に移動するとき頭部が背部と共に実質的水平を維持する第一位置と、背部が第一位置から第二位置に移動するとき頭部が背部に対して傾斜する第二位置との間を移動するように構成される。
【００４６】
本発明の別の実施形態に従えば、別の患者支持体が提供される。この患者支持体は、フレーム、及びフレームによって支持されるデッキを含む。デッキは、第一位置と第二位置との間を移動するようにフレームに枢軸旋回可能に結合される座部、及び第一位置と第二位置との間を移動するように座部に枢軸旋回可能に結合される足部を含む。この患者支持体は、さらに、座部に対して足部の移動を制御する構成の機構を含む。この機構は、座部が第一位置から第二位置に移動するときに足部が実質的水平を保つ第一位置と、座部が第一位置から第二位置に移動するときに足部が実質的水平から外れる第二位置との間を移動するように構成される。
【００４７】
本発明の別の実施形態に従えば、別の患者支持体が提供される。この患者支持体は、フレーム、フレームによって支持されるデッキ、及びデッキの支持部材によって支持されるマットレスを含む。デッキは、間隔を置いて配置される1対の側壁及び側壁間に延びる支持部材を含む。支持部材は、患者がマットレス上に居るときに側壁を撓ませるように側壁の少なくとも一方に対して移動するように構成される。
【００４８】
本発明の別の実施形態に従えば、別の患者支持体が提供される。この患者支持体は、フレーム、フレームによって支持されるデッキ、及びデッキによって支持されるマットレスを含む。デッキは、ヘッド端及びヘッド端から間隔を置くフット端を有する。この患者支持体は、さらに、デッキのヘッド端に結合される少なくとも1つのハンドグリップを含む。
【００４９】
本発明の別の実施形態に従えば、別の患者支持体が提供される。この患者支持体は、フレーム、及びフレームによって支持されるデッキを含む。デッキは、フレームに対して移動するように構成される複数のデッキ部を含む。この患者支持体は、さらに、複数のデッキ部のうち少なくとも二つの部の間に形成される隙間に配置されるスピル・ガードを含む。
【００５０】
本発明の別の実施形態に従えば、別の患者支持体が提供される。この患者支持体は、ベース・フレーム、中間フレーム及びベース・フレーム上で中間フレームを支持するように構成される複数のリフト・アームを有するフレームを含む。複数のリフト・アームは、ベース・フレームに配置される複数のローラーによってベース・フレームに摺動可能に結合される。この患者支持体は、さらに、ベース・フレームの移動を促進するためにベース・フレームに結合される複数の車輪、及び複数の車輪の同時制御を促進するためにベース・フレームに配置される車輪制御リンクを含む。
【００５１】
本発明の別の実施形態に従えば、別の患者支持体が提供される。この患者支持体は、ベース・フレーム、中間フレーム及びベース・フレームに対して中間フレームを移動させるように構成される複数のリフト・アームを有するフレームを含む。この患者支持体は、さらに、中間フレームによって支持されるデッキ、ベース・フレームに結合されるヘッドボード、及び中間フレームによって支持されるフットボードを含む。
【００５２】
本発明の別の実施形態に従えば、別の患者支持体が提供される。この患者支持体は、ベース・フレーム、中間フレーム及びベース・フレームに対して中間フレームを移動させるように構成される複数のリフト・アームを有するフレームを含む。この患者支持体は、さらに、中間フレームによって支持されるデッキ、ベース・フレームに結合されるヘッドボード、及びデッキに結合されるフットボードを含む。
【００５３】
本発明の別の実施形態に従えば、別の患者支持体が提供される。この患者支持体は、長軸を有するフレーム、フレームによって支持されるデッキ、デッキによって支持されるマットレス、第一長手方向位置（場所）でフレームのヘッド端を支持するために配置される第一車輪、第二長手方向位置（場所）で患者支持体のフット端を支持するために配置される第二車輪、及び第三長手方向位置（場所）でフレームによって支持されるペダルを含む。ペダルは、第一及び第二車輪の少なくとも一方を制御するように構成される。第一長手方向位置は、第二長手方向位置と第三長手方向位置との間に位置する。
【００５４】
本発明の別の実施形態に従えば、別の患者支持体が提供される。この患者支持体は、ベース・フレーム、中間フレーム及びベース・フレーム上に中間フレームを支持しかつベース・フレームに対して第一位置と第二位置との間で中間フレームの移動を可能にするように構成される複数のリフト・アームを有するフレーム、及び中間フレームによって支持されるデッキを含む。この患者支持体は、さらに、ベース・フレームによって支持される囲い板を含む。囲い板は、中間フレームが第一位置と第二位置との間を移動するときに開口部内での患者支持体の少なくとも1つの他の構成要素の移動を可能にするように構成される少なくとも1つの開口部を含む。
【００５５】
本発明の別の実施形態に従えば、別の患者支持体が提供される。この患者支持体は、フレーム、フレームによって支持されるマットレス、及びフレームによって支持されるバリアを含む。バリアは、マットレス上に居る人が脱出するのを阻止する起立位置もしくは上昇位置と下降位置との間を移動するように構成される。バリアは、上昇位置と下降位置の間を移動するとき長軸に沿って移動するように構成される。
【００５６】
本発明の別の実施形態に従えば、別の患者支持体が提供される。この患者支持体は、フレーム、フレームによって支持されるマットレス、患者がマットレスから脱出するのを阻止するために配置される第一バリア、及び患者がマットレスから脱出するのを阻止するために配置される第二バリアを含む。第一バリアには第一ポケットが形成される。第二バリアには第二ポケットが形成される。この患者支持体は、さらに、第一バリアの第二ポケットに取り外し自在に受けられかつ第二バリアの第二ポケットに取り外し自在に受けられるように構成されるコントローラを含む。
【００５７】
本発明の別の実施形態に従えば、別の患者支持体が提供される。この患者支持体は、フレーム、フレームによって支持されるマットレス、患者がマットレスから脱出するのを阻止するために配置される第一バリア、及び患者がマットレスから脱出するのを阻止するために配置される第二バリアを含む。第一バリアには第一ポケットが形成される。第二バリアには第二ポケットが形成される。この患者支持体は、さらに、第一バリアの第一ポケットに取り外し自在に受けられかつ第二バリアの第二ポケットに取り外し自在に受けられるように構成されるコントローラを含む。この患者支持体は、また、第一及び第二ポケットに取り外し自在に受けられるように構成されるコントローラ・マウントを含み、コントローラはコントローラ・マウントに結合される。
【００５８】
本発明の別の実施形態に従えば、別の患者支持体が提供される。この患者支持体は、フレーム、フレームによって支持されるマットレス、及びコントローラを含む。コントローラは、キー制御ボタン及び複数の入力制御ボタンを含む。複数の入力制御ボタンの各々は、患者支持体の1つの機能を制御するために使用者の指令を受けるように構成される。キー制御ボタンは、患者支持体の機能を制御するために複数の入力制御ボタンを使用可能及び使用不能にするように構成される。
【００５９】
本発明の別の実施形態に従えば、別の患者支持体が提供される。この患者支持体は、長軸を有するフレーム、フレームによって支持されるデッキ、デッキによって支持されるマットレス、第一長手方向の位置（場所）でフレームのヘッド端を支持するために配置される第一対の車輪、及び第二長手方向の位置（場所）で患者支持体のフット端を支持するために配置される第二対の車輪を含む。第一及び第二対の車輪は各々、第一及び第二車輪の回転または旋回の少なくとも1つを阻止するように構成されるブロッキング装置を含む。この患者支持体は、さらに、第一及び第二対の車輪のブロッキング装置の動作を調整するように構成される複数の伝達リンク、及び第一及び第二長手方向の位置から長手方向に間隔を置く第三長手方向の位置（場所）に配置されるロッドを含む。ロッドは、その動きを調整するために複数の伝達リンクのうち少なくとも2つの間で横切る方向に延びる。
【００６０】
本発明に従えば、患者支持体に使用するためのマットレスが提供される。このマットレスは、長軸を有する患者支持面を含む。このマットレスは、さらに、患者支持面が実質的平坦である第一位置と患者支持面においてその長軸に位置するクラウンを形成する第二位置との間を移動するように構成されるクラウン形成ブラダーを含む。
【００６１】
本発明の別の実施形態に従えば、患者支持体に使用するための別のマットレスが提供される。このマットレスは患者支持面を含む。このマットレスは、さらに、患者支持面に実質的堅固な支持を与えるために、第一堅さを有する第一位置と第一堅さより大きい第二堅さを有する第二位置との間を移動するように構成される複数の気泡（cells)を含む堅固化ブラダーを含む。
【００６２】
本発明の別の実施形態に従えば、患者支持体に使用するための別のマットレスが提供される。このマットレスは、患者支持面及び内部領域を形成するカバーを含む。このマットレスは、さらに、患者支持面に振動を与えるためにカバーの中に配置される振動モーターを含む。
【００６３】
本発明の別の実施形態に従えば、患者支持体に使用するための別のマットレスが提供される。このマットレスは頭部、座部及び足部を含む。これらの頭部、座部及び足部は、共働して患者支持面を形成する。頭部、座部及び足部のうち少なくとも1つは、患者が患者支持面の外に移動するのを阻止するように構成される柵を含む。
【００６４】
本発明の別の実施形態に従えば、患者支持体に使用するための別のマットレスが提供される。このマットレスは頭部、座部及び足部を含む。頭部、座部及び足部は共働して患者支持面を形成する。頭部、座部及び足部のうち少なくとも1つは、患者が患者支持面の外に移動するのを阻止するように構成される柵を含む。患者支持体は、さらに、内部領域を形成するカバーを含み、頭部、座部及び足部は内部領域に配置される。
【００６５】
本発明の別の実施形態に従えば、患者支持体に使用するための別のマットレスが提供される。このマットレスは頭部、座部及び足部を含む。頭部、座部及び足部は共働して患者支持面を形成する。足部は、患者が患者支持面の外に移動するのを阻止するように構成される柵を含む。
【００６６】
本発明の別の実施形態に従えば、患者支持体に使用するための別のマットレスが提供される。このマットレスはブラダーを含む。この圧力システムは、圧力源及びマットレスのブラダー内の流体圧力を所定範囲に維持するように構成される圧力調節器を含む。圧力システムは、さらに、ブラダー内の流体圧力が所定範囲を下回る場合には圧力源からブラダーに流体を送り、流体圧力が所定範囲を上回る場合にはブラダーから流体を取り除くように構成される導管を含む。
【００６７】
本発明の別の実施形態に従えば、患者支持体用のフレームが提供される。このフレームは、ベース・フレーム、中間フレーム、及びベース・フレーム上で中間フレームを支持しかつベース・フレームに対して第一位置と第二位置との間の中間フレームの移動を可能にするように構成される少なくとも3本のリフト・アームを含む。リフト・アームは各々、ベース・フレームに結合される第一リンク、中間フレームに結合される第二リンク、第一及び第二リンクに枢軸旋回可能に結合される第三リンク、及び第一及び第二リンクに枢軸旋回可能に結合される第四リンクを含む。
【００６８】
本発明の別の実施形態に従えば、患者支持体用の別のフレームが提供される。このフレームは、ベース・フレーム、中間フレーム、及びベース・フレーム上で中間フレームを支持しかつベース・フレームに対して第一位置と第二位置との間の中間フレームの移動を可能にするように構成される複数のリフト・アームを含む。リフト・アームは各々、第一リンク及び第二リンクを含み、第一リンクはベース・フレームに枢軸旋回可能に結合されかつ中間ベースに枢軸旋回可能に結合される。第二リンクは第一リンクに枢軸旋回可能に結合されかつベース・フレーム及び中間フレームのうち少なくとも一方に軸旋回可能に結合される。
【００６９】
本発明の別の実施形態に従えば、患者支持体用の別のフレームが提供される。このフレームは、ベース・フレーム、中間フレーム、及びベース・フレーム上で中間フレームを支持しベース・フレームに対して第一位置と第二位置との間の中間フレームの移動を可能にするように構成される少なくとも1本のリフト・アームを含む。ベース・フレーム及び中間フレームのうちの少なくとも一方は、ベース・フレーム及び中間フレームのうちの少なくとも一方の他のフレーム中に入れ子状に収まるように構成される。
【００７０】
本発明の付加的特徴は、現在本発明を実施するのに最良と思われるモードを例示する以下の望ましい実施形態の詳細な説明を検討すれば当業者には明らかになるだろう。
【００７１】
詳細な説明は、特に、添付図面を参照して説明する。
【００７２】
図面の詳細な説明
図１に示されているように、床の上に位置づけされたフレーム１２，フレーム１２に結合されたデッキ１４，デッキ１４上に位置づけされたマットレス１３，フレーム１２に結合されたヘッドボード１６，デッキ１４に結合されたフットボード１８そしてフレーム１２に結合された一対の分割サイドレール２０，２１を含む病院用ベッド１０が提供されている。フレーム１２は、床に対してデッキを昇降させ、かつトレンデレンブルグ位置及び逆トレンデレンブルグ位置までデッキ１４を移動させるように構成されている。
【００７３】
図１に示されているように、ヘッドボードつまり第一バリア１６は、フレーム１２に結合された湾曲したベース３０及びベース３０に取外し可能な形で結合された中央パネル３４を含む。ベース３０は、介護設備を中心として病院用ベッド１０を容易に押して動かすために一対のハンドル４８を含む。
【００７４】
必要な場合、介護人は中央パネル３４をベース３０から取り外し、患者にＣＰＲ治療を行う上で自らの一助となるよう患者の胴体下に中央パネル３４を位置づける。中央パネル３４が取外し可能であることから、ＣＰＲ処置の間、介護人はかかる措置をより容易に行うことができるように病院用ベッド１０のヘッド端から患者に近づくこともできる。
【００７５】
中央パネル３４は、本体部３６，本体部３６に結合されてその間に開口部４２を構成しているハンドル部３８、及びベース３０と嵌合しかつその間で摺動運動を提供するように構成された一対の舌部４４を含む。中央パネル３４の好ましい実施形態は、介護人がヘッドボード１６を介して病院用ベッド１０上に位置づけされた患者を見ることができるようにアクリル又は透明ポリエチレン（ＰＥＴＧ）で作られている。本開示の他の実施形態によれば、中央パネルは、可視光が透過できるように透明、半透明又は不透明でない特性をもつ当業者に既知の他の材料で作られる。本開示のもう１つの他の実施形態によれば、中央パネルの一部又は全体は、不透明材料で作られている。図２に示されているように、ベース３０は、中央パネル３４がベース３０に対し摺動自在に結合されるように、中央パネル３４の舌部４４を収容すべく構成された一対の溝４６を含むように形成されている。
【００７６】
図１及び３に示されているように、フレーム１２は、矩形の下部フレーム部材又はベース・フレーム３２，病院用ベッド１０を介護設備を中心にして転がし動かすことができるようにベース・フレーム３２に結合された複数のキャスタ５０，矩形の上部フレーム又は中間フレーム５２，それらの間の相対的運動を可能にするために中間フレーム５２とベース・フレーム３２に結合されたリンク機構システム５４，及びリンク機構システム５４を作動させかつベース・フレーム３２に対して上部部材５２を移動させるために動力を供給するアクチュエータシステム５６を含む。リンク機構システム５４は、中間フレーム５２のヘッド端５３に枢軸旋回自在に結合されベース・フレーム３２に摺動自在に結合された一対のヘッドリンク５８，中間フレーム５２のフット端５５に枢軸旋回自在に結合されベース・フレーム３２に摺動自在に結合された一対のフットリンク６０及びそれぞれのフットリンク６０に枢軸旋回自在に結合された一対のガイドリンク６２及び固定されたピボット点でベース・フレーム３２に枢軸旋回自在に結合された一対のガイドリンク６２を含む。
【００７７】
図３及び４に示されているように、リンク機構システム５４はさらに、中空ベース・フレーム３２内に載っているローラ５９及び、ローラー５９をヘッド及びフットリンク５８，６０の下端部に回転自在に結合するべくベース・フレーム３２の内部側壁内に形成された細長いスロット７０を介して延びるピン６１を含む。ローラ５９は、ベース・フレーム３２内のヘッドリンクとフットリンク５８，６０の摺動運動を容易にするためにヘッドリンク及びフットリンク５８，６０とベース・フレーム３２の間に平滑な転がり運動を提供するべくベース・フレーム３２の下部壁６３の上に載っている。
【００７８】
病院用ベッド１０はさらに、図４に示されているように、ローラ５９に隣接して中空ベース・フレーム３２へ延びるキャスターブレーキリンク６５を含むキャスタ制動システムを含む。キャスタ制動システムは各キャスタ５０を相互接続してキャスタ５０の同時制動を提供する。キャスタ５０を同時に制動するために、介護人がフットブレーキペダル６３の１つを踏むとキャスタ制動システムはキャスタ５０が転がらないようロックする。本開示のキャスタ制動システムに類似したキャスタ制動システムは、本書に参考として特に含まれる「キャスタ及び制動システム」の名称でMobley 他により１９９９年３月５日に出願された米国特許出願第０９／２６３,０３９号の中でさらに詳しく開示されている。
【００７９】
ガイドリンク６２は、フットリンク６０と中間フレーム５２との間のピボット点が水平方向に移動することなく垂直方向に移動すべく抑制されるように、フットリンク６０の動きを制限している。この制限により、中間フレーム５２の昇降時にベース・フレーム３２に対して中間フレーム５２が水平方向に移動することが防止される。この抑制された運動により、中間フレーム５２は、上下の位置間を円弧を描いて移動することが妨げられ、そのため片付けに追加の病室を必要とすることなく中間フレーム５２を昇降させることができる。
【００８０】
ガイドリンク６２が制限機能を達成するために、ガイドリンク６２のピボット点４９，５１間の距離はフットリンク６０の上端部のピボット点４５とローラー５９の軸４７との間の距離の半分であること、そして、各ガイドリンク６２は、それぞれのフットリンク６０の上端部のピボット点４５と付随するローラ５９の軸４７との間の距離の半分であるピボット点５１においてそれぞれのフットリンク６０に枢軸旋回自在に結合されていることが理解されるであろう。かくして、各ガイドリンク６２の上部ピボット点５１と各ガイドリンク６２の下部ピボット点４９との間の距離は、各フットリンク６０の上部ピボット点４６と各ガイドリンク６２の上部ピボット点５１との間の距離に等しい。このリンク幾何形状の結果として、フットリンク６０の上部ピボット点４５は、フレーム部材３２に対するフレーム部材５２の昇降時にガイドリンク６２の下部ピボット点４９と垂直方向に整列した状態に維持される。
【００８１】
アクチュエータシステム５６が、中間フレーム５２の昇降に必要な力及び動力を提供する。アクチュエータシステム５６は、ヘッドリンク５８及び中間フレーム５２に結合されたヘッドリンクアクチュエータ６４及びフットリンク６０及び中間フレーム５２に結合されたフットリンクアクチュエータ６６を含む。アクチュエータ６４は、各ヘッドリンク５８間に延びかつその各々にしっかりと結合されたクロスストラット（図示せず）にしっかりと結合されている伸張リンク７５を介してヘッドリンク５８に結合されている。同様に、アクチュエータ６６は、各フットリンク６０間に延びその各々にしっかりと結合されたクロスストラット（図示せず）にしっかりと結合されている伸張リンク７７を介してフットリンク６０に結合されている。ヘッドリンク５８に結合されたクロスストラットは、それらの同時運動を調和させ、一方フットリンク６０に結合されたクロスストラットは、それらの同時運動を調和させる。
【００８２】
アクチュエータ６４，６６は、中間フレーム５２のヘッド端及びフット端５３，５５が昇降するように中間フレーム５２に対してヘッドリンク及びフットリンク５８，６０の角位置を調整できる伸張自在な長さをもつ。各アクチュエータ６４，６６は好ましくは、シリンダ本体６７，シリンダロッド６９及び、シリンダ本体６７に対してシリンダロッド６９を伸張させ引込ませるように作動するモーター７１を有する電動リニアアクチュエータである。シリンダロッド６９は各々それぞれの旋回リンク７５，７７に枢軸旋回自在に結合され、モーター７１は各々、例えば図３に示されているように中間フレーム５２に含まれるブラケット７９に枢軸旋回自在に結合されている。
【００８３】
ヘッドリンク及びフットリンクアクチュエータ６４，６６が同時に作動し、かくして一方のアクチュエータ６６，６４が引込んでいる間に他方のアクチュエータ６４，６６が伸張する場合、中間フレーム５２は、それが水平方向位置に維持されかつベース・フレーム３２に対して外向き又は内方へ「揺動」しないようにベース・フレーム３２から離れるように上昇するか又はベース・フレームに向かって下降する。ヘッドリンクアクチュエータ６４が作動しかつフットリンクアクチュエータ６６が定常長さに維持される場合、中間フレーム５２は、図５に示されているようなトレンデレンブルグ位置まで移動し、かくして中間フレーム５２のヘッド端５３は下降して、中間フレーム５２のフット端５５はわずかに上昇することになる。フットリンクアクチュエータ６６が起動しかつヘッドリンクアクチュエータ６４が定常長に維持される場合、中間フレーム５２は、逆トレンデレンブルグ位置まで移動し、かくして中間フレーム５２のフット端５５は下降し中間フレーム５２のヘッド端５３は図６に示されているようにわずかに上昇することになる。
【００８４】
図３及び５に示されているように、デッキ１４は、ヘッドリンク及びフットリンクの両方のアクチュエータ６４，６６を起動させることによって下降する。フットリンクアクチュエータ６６の長さが増大するにつれて、フットリンク６０と中間フレーム５２との間の角度は縮小し、中間フレーム５２のフット端５５は下降する。ヘッドリンクアクチュエータ６４の長さが縮小するにつれて、ヘッドリンク５８と中間フレーム５２との間の角度は増大し、例えば図５に示されているように、中間フレーム５２のヘッド端５３は下降する。フットリンクアクチュエータ６６の長さが増大し続けヘッドリンクアクチュエータ６４の長さが縮小し続けるにつれて、中間フレーム５２は、図５に示されているように（破線）、上方位置から下方位置まで降下し続ける。ヘッドリンク及びフットリンクアクチュエータ６４，６６が実質的に同じ割合でその各々の長さを増減することから、中間フレーム５２は、図３に示されている上方位置から図５に破線で示されている下方位置（破線）まで移動する間、実質的に水平方向にとどまる。上部フレーム５２を上方位置に戻すには、各アクチュエータ６４，６６が図３に示されているような当初の長さに戻るまで、リンクアクチュエータ６４を伸張すると同時にフットリンクアクチュエータ６６を短縮する。
【００８５】
リンク機構システム５４及びアクチュエータシステム５６は同様に共働して、図６に示されているようなトレンデレンブルグ位置まで中間フレーム５２を移動させる。中間フレーム５２をトレンデレンブルグ位置まで移動させるため、ヘッドリンクアクチュエータ６４は、中間フレーム５２とヘッドリンク５８との間の角度が増大するようにその長さを縮小させる。中間フレーム５２のヘッド端５３は下降し、フットリンクアクチュエータ６６の長さは実質的一定にとどまって中間フレーム５２の回転の中心であるピボット点を提供する。中間フレーム５２が回転するにつれて、そのフット端５５は図６に示されているようにわずかに上昇する。中間フレーム５２を上部水平方向位置に再度位置づけするためには、ヘッドリンクアクチュエータ６４の長さを、その以前の長さに戻るまで増大させる。
【００８６】
アクチュエータシステム５６及びリンク機構システム５４も同様に共働して中間フレーム５２を図７に示されているような逆トレンデレンブルグ位置に位置づけする。中間フレーム５２を逆トレンデレンブルグ位置に移動させるには、フットリンク６０と中間フレーム５２の間の角度が縮小して中間フレーム５２のフット端５５が下降するようにフットリンクアクチュエータ６６の長さを増大させる。ヘッドリンクアクチュエータ６４の全長は中間フレーム５２がヘッドリンク５８を中心として旋回するように実質的に一定を維持する。中間フレーム５２が旋回するにつれて、中間フレーム５２のヘッド端５３は、中間フレーム５２のフット端５５が下降するのでわずかに上昇する。上部水平位置に上部フレーム５２を再度位置づけするためには、フットリンクアクチュエータ６６の長さを、その以前の長さに戻るまで縮小させる。
【００８７】
病院用ベッド１０は、さらに、フットリンク６０の下端部と係合するよう、ベース・フレーム３２の内部壁に結合された２つのダンパー７２を含む。ダンパー７２は、下部及び逆トレンデレンブルグ位置から中間フレーム５２及びデッキ１４を上昇させる上で一助となる。中間フレーム５２のフット端５５の下降中、ダンパー７２は、フットリンク６０の動きに抵抗し、中間フレーム５２のフット端の下降の結果として位置エネルギーを貯える。例えば、図５に示されているように、フットリンク６０がスロット７０に沿って移動するにつれて、ダンパー７２は、位置エネルギーが貯えられるように圧縮される。中間フレーム５２が図５に示されているような下方位置から図３に示されているような上方位置まで移動するにつれて、ダンパー７２は、中間フレーム５２のフット端５５を上方位置まで上昇させる方向にフットリンク６０の下端部を押すことにより、中間フレーム５２のフット端５５を上昇させる上でフットリンクアクチュエータ６６を補助する。ダンパー７２が、中間フレーム５２のフット端５５の下降中に位置エネルギーを貯えることから、フットリンクアクチュエータ６６は、中間フレーム５２のフット端５５を下方位置から上方位置まで上昇させるのにさほど強力である必要はない。一他の実施形態のフレームによれば、より強力なフットリンクアクチュエータが設けられ、ダンパーを具備しない。
【００８８】
一他の実施形態のフレーム６１２は、図８〜１３に示されている。図８に示されているように、フレーム６１２は、下部フレーム部材又はベース・フレーム６３２、介護設備を中心にして病院用ベッドを転がして動かすことができるようにベース・フレーム６３２に結合された複数のキャスタ５０、上部フレーム部材又は中間フレーム６５２、相互の相対的運動を可能にするために中間フレームとベース・フレーム６５２，６３２に結合されたリンク機構システム６５４、及びリンク機構システム６５４を作動させかつベース・フレーム６３２に対して中間フレーム６５２を移動させるために動力及び力を供給するアクチュエータシステム６５６を含む。リンク機構システム６５４は、中間フレーム６５２のヘッド端６５３近くで中間フレーム６５２に枢軸旋回自在に結合され、ベース・フレーム６３２にしっかりと結合された一対のヘッドリンクアセンブリ６５８及び、中間フレーム６５２のフット端６５５近くで中間フレーム６５２に摺動自在に結合されかつベース・フレーム６３２に対してしっかりと結合された一対のフットリンクアセンブリ６６０を含む。
【００８９】
図８及び９に示されているように、フットリンクアセンブリ６６０はさらに中空中間フレーム６５２内に載っているローラ６５９を含む。ローラ６５９は、中間フレーム６５２に対するフットリンクアセンブリ６６０の摺動を容易にするために、フットリンクアセンブリ６６０の上端部に結合されている。ローラ６５９は、フットリンクアセンブリ６６０及び中間フレーム６５２間の円滑な転がり運動を提供するべく中間フレーム６５２の上部壁６６３の下に載っている。
【００９０】
アクチュエータシステム６５６が、上部フレームアセンブリ６５２を昇降させるために必要な動力及び力を提供する。アクチュエータシステム６５６は、ヘッドリンクアセンブリ６５８及びベース・フレーム６３２に結合されたヘッドリンクアクチュエータ６６４及びフットリンクアセンブリ６６０及びベース・フレーム６３２に結合されたフットリンクアクチュエータ６６６を含む。アクチュエータ６６４，６６６はアクチュエータ６４，６６と同様であり、かつ中間フレーム６５２の頭及びフット端６５３，６５５が昇降できるようにベース・フレーム６３２に対してヘッドリンク及びフットリンクアセンブリ６５８，６６０の角位置を調整するために伸張自在の長さを有する。
【００９１】
両方のアクチュエータ６６４，６６６が伸縮するようにヘッドリンク及びフットリンクアクチュエータ６６４，６６６が同時に作動する時点で、中間フレーム６５２は、中間フレーム６５２が水平位置に維持されるように、ベース・フレーム６３２から離れるように上昇するか又はベース・フレーム６３２に向かって下降する。ヘッドリンクアクチュエータ６６４が作動し、フットリンクアクチュエータ６６６が一定長に維持された場合、中間フレーム６５２は、図１２に示されているようにトレンデレンブルグ位置まで移動し、かくして中間フレーム６５２のヘッド端６５３は下降し、中間フレーム６５２のフット端６５５は上昇することになる。フットリンクアクチュエータ６６６が作動し、ヘッドリンクアクチュエータ６６４が一定長に維持される場合、中間フレーム６５２は逆トレンデレンブルグ位置まで移動し、かくして、中間フレーム６５２のフット端６５５は下降し、中間フレーム６５２のヘッド端６５３は図１３に示されているように上昇する。
【００９２】
図９及び１１に示されているように、中間フレーム６５２は、ヘッドリンク及びフットリンクアクチュエータ６６４，６６６の両方を作動させることによって下降する。フットリンクアクチュエータ６６６の長さが縮小するにつれて、フットリンクアセンブリ６６０と中間フレーム６５２との間の角度は縮小し、中間フレーム６５２のフット端６５５は下降する。ヘッドリンクアクチュエータ６６４の長さが縮小するにつれて、ヘッドリンクアセンブリ６５８と中間フレーム６５２との間の角度は縮小し、例えば図１１に示されているように、中間フレーム６５２のヘッド端６５３は下降する。フットリンク及びヘッドリンクのアクチュエータ６６６，６６４の長さが縮小し続けるにつれて、中間フレーム６５２は、図１１に示されているように上方位置から下方位置まで降下し続ける。ヘッドリンク及びフットリンクアクチュエータ６６４，６６６が実質的に同じ割合でその各々の長さを縮小させることから、中間フレーム６５２は、図９に示されている上方位置から図１１に示されている下方位置（破線）まで移動する間、実質的に水平方向にとどまる。
【００９３】
中間フレーム６５２を上方位置に再び戻すためには、各アクチュエータ６６４，６６６がその当初の長さに戻るまで、ヘッドリンク及びフットリンクアクチュエータ６６４，６６６を同時に伸張させる。
【００９４】
上述のように、リンク機構システム６５４及びアクチュエータシステム６５６は共働して中間フレーム６５２を図１２に示されているようなトレンデレンブルグ位置まで移動させる。中間フレーム６５２を図９に示された位置から図１２に示されているトレンデレンブルグ位置まで移動させるには、ヘッドリンクアクチュエータ６６４の長さを縮小して、中間フレーム６５２とヘッドリンク６５８との間の角度が縮小し、かつ中間フレーム６５２のヘッド端６５３が下降し、かつフットリンクアクチュエータ６６６の長さを実質的に一定に維持して、中間フレーム６５２の回転の中心であるピボット点を提供するようにし、そのようにして中間フレーム６５２のフット端６５５がわずかに上昇するようにする。中間フレーム６５２を水平方向上方位置に再度位置づけするためには、図９に示されているようなその当初の長さに戻るまでヘッドリンクアクチュエータ６６４の長さを増大させる。
【００９５】
アクチュエータシステム６５６及びリンク機構システム６５４は同様に共働して中間フレーム６５２を図１３に示されているような逆トレンデレンブルグ位置に位置づけする。中間フレーム６５２を図９に示された位置から図１３に示された逆トレンデレンブルグ位置まで移動させるためには、フットリンクアセンブリ６６０と中間フレーム６５２との間の角度が縮小して中間フレーム６５２のフット端６５５が下降するようにフットリンクアクチュエータ６６６の長さを縮小させる。ヘッドリンクアクチュエータ６６４の全長は中間フレーム６５２がヘッドリンク６５８を中心として旋回するように実質的一定を維持する。中間フレーム６５２が旋回するにつれて、ヘッド端６５３は、フット端６５５が下降する一方でわずかに上昇する。水平上方位置に中間フレーム６５２を再度位置づけするには、図９に示されているようにその当初の長さに戻るまでフットリンクアクチュエータ６６６の長さを拡張する。
【００９６】
図９，１２，１３に示されているように、ヘッドリンク及びフットリンクアセンブリ６５８，６６０は、さまざまな位置の間での上部フレーム６５２の移動中にその上端部の垂直方向の向きを維持するように構成されている。各々のヘッドリンク及びフットリンクアセンブリ６５８，６６０は、前記垂直位置に第三リンク６７２を維持するべく連動する第一，第二，第三及び第四リンク６６８，６７０，６７２，６７４を含む。各々のヘッドリンク及びフットリンクアセンブリ６５８，６６０はさらに、それぞれのブロック６７７及びローラ６５９とそれぞれ第三のリンク６７２との間に位置づけされ各々の第三リンク６７２に加わるそれぞれの重量を測定するロードセル６７６をさらに含む。第三のリンク６７２は垂直にとどまることから、床に対するロードセル６７６の向きに起因して重量測定を補正するために三角関数計算を行なう必要は全くない。
【００９７】
図８に示されているように、第一リンク６６８は、下部フレーム６３２に対ししっかりと結合された一連のブラケットを含む。第二リンク６７０はＣ字形であり、ピン６６９によりそれぞれの第一リンク６６８に枢軸旋回自在に結合される。フットリンクアセンブリ６６０のそれぞれの第二リンク６７０間にはストラット６７８が延びていて、その相互間に剛性連結を提供してフットリンクアクチュエータ６６６による作動時にフットリンクアセンブリ６６０の同時運動を調和させる。フットリンクアクチュエータ６６０により提供された線形の力をフットリンクアセンブリ６６０の第二リンク６７０を回転させるためのトルクに変換させるモーメントアームを提供するため、ストラット６７８には延長部６８０がしっかりと結合されている。
【００９８】
同様に、ヘッドリンクアセンブリ６５８のそれぞれの第二リンク６７０間にストラット６８２が延びてその相互間に剛性連結を提供して、ヘッドリンクアクチュエータ６６４による起動時にヘッドリンクアセンブリ６５８の同時運動を調和させる。ヘッドリンクアクチュエータ６６４により提供された線形力をヘッドリンクアセンブリ６６４の第二リンク６７０を回転させるためのトルクに変換させるモーメントアームを提供するために、ストラット６８２には延長部６８４がしっかりと結合されている。
【００９９】
第三のリンク６７２は、ピン６７１によりそれぞれの第二リンク６７０に枢軸旋回自在に結合された一連のＣ字形ブラケットを含む。フットリンクアクチュエータ６６６による作動時にフットリンクアセンブリ６６０の同時運動を調和させるように、相互の剛性連結を提供するべく、フットリンクアセンブリ６６０のそれぞれの第三のリンク６７２間にはストラット６８６が延びている。同様に、ヘッドリンクアセンブリ６５８のそれぞれの第三リンク６７２間にストラット６８８が延びてその相互間に剛性連結を提供して、ヘッドリンクアクチュエータ６６４による作動時にヘッドリンクアセンブリ６５８の同時運動を調和させる。図８に示されているように、それぞれのストラット６８６，６８８には、ロードセル６７６がしっかりと連結されている。
【０１００】
第四リンク６７４は、各々のヘッドリンク及びフットリンクアセンブリ６５８，６６０のための完全な４つのバーリング機構を提供すべく、ピン６７３によってそれぞれの第三リンク６７２に、又ピン６７５によって第一リンク６６８に枢軸旋回自在に結合された平坦で細長いバーを含む。図１０に示されているように、各第四リンク６７４は、ピンチング（はさみつぶし）を防止するために、第二及び第四のリンク６７０，６７４のそれぞれの間への物体の挿入を遮断するべくそれぞれのＣ字形の第二リンク６７０の中に部分的に位置づけされている。図８に示されているように、各々の対応する第二リンク６７０は、各々のフットリンク及びヘッドリンクアセンブリ６５８，６６０が下方位置にある間にピン６７５に隙間を提供するように位置づけされた切欠き６９０を含むように形成されている。
【０１０１】
図８〜１３に示されているように、第三リンク６７２は、中間フレーム６５２がさまざまな位置を経て運動する間実質的に垂直を維持する。第二リンク６７０が対応するヘッドリンク及びフットリンクアクチュエータ６６４，６６６により回転するときに、第三リンク６７２は、ピン６７３がピン６７１に対して実質的に同じ垂直及び水平位置を維持するように、ピン６７３の水平方向及び垂直方向の運動を支配する。この関係を維持することにより、第三リンク６７２は、中間フレーム６５２のヘッド端及びフット端６５３，６５５の垂直位置とは無関係に、実質的垂直を維持する。
【０１０２】
第三リンク６７２が実質的に垂直位置にとどまることから、ロードセル６７６も又実質的に垂直位置を維持し、患者の重量を決定するのに必要な全体的計算を簡略化している。患者の全重量を決定するためには、ロードセル６７６によって測定された重量を合計し、ロードセル６７６により支持される病院用ベッドのコンポーネントの所定の重量をこの合計から差し引き、結果として患者の重量を得る。ロードセル６７６から測定した重量は、ロードセル６７６が垂直配向を維持することから、上部フレーム６５２の角位置について調整する必要がない。
【０１０３】
結合ブロック対６７７は、そのヘッド端６５３に隣接する中間フレーム６５２に固定され、ヘッドリンクアセンブリ６５８と連結されたロードセル６７６は各々、そこから対応するブロック６７７内に形成されたボア内に横方向に延びる円筒形スタッド６７９を含む。中間フレーム６５２がベース・フレーム６３２に対して傾動するにつれて、ブロック６７７はフレーム部材６５２と共に傾動するが、その一方で付随するロードセル６７６に対してピボット軸６８１を中心として円筒形スタッド６７９上を旋回する。さらに、中間フレーム６５２がベース・フレーム６３２に対して傾動するにつれて、ローラ６５９は同じく中間フレーム６５２が傾動する方向に応じてブロック６７７に向かってか又はブロック６７７から離れるように転動しながら、連結されたロードセル６７６に対してピボット軸６８３を中心に回転する。
【０１０４】
図１４に示されているように、フットボード又は第二バリア１８は、病院用ベッド１０の自動化された機能を制御するためのモジュール式制御ユニット６９２を含む。フットボード１８はさらに、ベース６９４を含み、モジュール式制御ユニット６９２は、ベース６９４に摺動自在に結合された支持パネル６９６及び支持パネル６９６に枢軸旋回自在に結合された制御パネル６９８を含む。制御パネル６９８は、図１４に示されているような使用位置と支持パネル６９６内に形成されたくぼみ６９９内の保管位置との間で回転自在である。支持パネル６９６は同様に、１つの切欠き６９７を含むように形成されており、この切欠きの中で、介護人は制御パネル６９８の先端部をつかんでそれを使用位置に戻すべく回転させることができる。
【０１０５】
図１に破線で示されているように、制御ユニット６９２は、修理又はグレードアップのために制御ユニット６９２を交換できるようにするため、ベース６９４から取外し可能である。病院用ベッドの現在好ましい実施形態によれば、様々な構成のモジュール式制御ユニットが製造施設では提供されている。病院用ベッドの特定の構成に応じて、標準ベース６９４にそれぞれの制御ユニットをスライドさせることによりそれぞれの病院用ベッドに異なる制御ユニットが提供されることになる。
【０１０６】
制御パネル６９８は、病院用ベッド１０のさまざまな機能を制御するための一連のボタン７１０を含む。デッキ１４は、中間フレーム５２及び角位置を調整するように構成された幾つかの機構に対して傾動することができる頭部、背部、座部及び足部２２，２４，２６，２８を含む。以下でより詳細に記述するように、デッキ１４の足部２８は伸張自在であり、デッキ１４の座部２６は中間フレーム５２に対して傾動でき、デッキ１４の背部２４は中間フレーム５２に対して傾動でき、デッキ１４の頭部２２も同様に中間フレーム５２に対して傾動可能である。
【０１０７】
一連のボタン７１０として、中間フレーム５２を昇降させるための第一ボタン対７１１及び、座部２６を昇降させるための第二ボタン対７１２が含まれる。一連のボタン７１０には同様に、中間フレーム５２に対して背部２４を昇降させるための第三ボタン対７１４，及び座部及び背部２６，２４を同時に昇降させるための第四ボタン対７１６が含まれる。以下でさらに詳述するように、マットレスのさまざまな機能を制御するためにもう１つのボタンセット７１８が設けられている。制御パネル６９８はさらに、病院用ベッド１０のさまざまな機能の状態を監視するための表示装置７１９を含む。一他の実施形態によれば、一連のボタンは同様に、トレンデレンブルグ位置と逆トレンデレンブルグ位置との間で中間フレームを移動させるため、デッキの足部を伸張させかつ引込ませるため、及びヘッドのその他の任意の機能のための一対のボタンを含む。制御パネル６９８は好ましくは、同様に、ベッド１０の出口及び計量システム１０と連結された表示装置及びボタンをも含む。
【０１０８】
一他の実施形態の制御システム７５０が図１５及び１６に示されている。制御システム７５０は、ベース・フレームに枢軸旋回自在に結合された複数のペダル７５２を含む。各ペダル７５２は、病院用ベッドの特定機能を操作するために、このペダル７５２を中間のニュートラル位置からの上下方向運動により作動する３位置式二接点スイッチと相互作用する。例えば、第一ペダル７５４は上方へ旋回することにより中間フレームを上昇させ、かつ踏み込むことにより中間フレームを下降させる。中間フレーム５２に対して背部２４を傾動させかつ傾動解除させるために、第二ペダル７５６が装備されている。一連のペダル７５２には同様に、トレンデレンブルグ位置と逆トレンデレンブルグ位置との間で中間フレーム５２を移動させるための第三ペダル７５８及び、中間フレーム５２に対して座部２６を傾動及び傾動解除させるための第四ペダル７６０を含む。一他の実施形態によれば、複数のペダルには同様に、病院用ベッドの足部２８を伸張かつ引込めるためのペダルが含まれる。従って、各々のペダル７５２は直観的に操作されて病院用ベッドのさまざまな機能を制御する。すなわち、「ダウン」機能を行なうためにペダル７５２を踏込み、「アップ」機能を行うためにユーザーの足の上面で上方に持上げられる。
【０１０９】
前述のように、デッキ１４は、中間フレーム５２に対して傾動する複数の部２２，２４，２６，２８を含む。頭部２２は、ヘッドボード１６と隣接して位置づけされ、図１７に示されているようにヒンジ７８により背部２４に対し枢軸旋回自在に結合されている。背部２４は、ヒンジ７６により中間フレーム５２の上方に延びるフランジ７３に枢軸旋回自在に結合されている。座部２６は、図２２−２５に示されているように、ヒンジ１１６により、中間フレーム５２の上方に延びるフランジ７３に枢軸旋回自在に結合されている。足部２８はヒンジ１１８により座部２６に対し枢軸旋回自在に結合されている。フットボード１８は足部２８に結合されている。座部及び足部２６，２８は、図２５に示されているように端部２５，２７を有していて、座部２６に対する足部２８の傾動時にその間に隙間を形成する。かくして、全ての部２２，２４，２６，２８は、中間フレーム５２に対して旋回自在である。
【０１１０】
病院用ベッド１０は、中間フレーム５２に対して頭部及び背部２２，２４を自動的に移動させること（図２０及び２１参照）及び背部２４に対して頭部２２を自動的に移動させること（図１９及び２０参照）を可能にする傾動機構７４を含む。図１７及び１８に示されているように、傾動機構７４は、中間フレーム５２に結合された傾動アクチュエータ８０，傾動アクチュエータ８０に枢軸旋回自在に結合された一対の伝達リンク機構８２，伝達リンク機構８２に結合された伝達シャフト８４，頭部２２及び伝達シャフト８４に対して枢軸旋回自在に結合された頭部傾動リンク機構８６，及び伝達シャフト８４に対し旋回自在及び摺動自在に結合されかつ背部２４にしっかりと結合された背部傾動リンク機構アセンブリ８８を含む。図１７に示されているように、背部傾動リンク機構アセンブリ８８はデッキ１４の背部２４にしっかりと結合された一対のリンク９０を含む。リンク９０は伝達シャフト８４を収容できる寸法のスロット９２を含む。
【０１１１】
背部２４に対して頭部２２を傾動させるために、図１８に示されているように、伝達リンク機構８２を右に押すように作動し、図１９に示されているように頭部傾動リンク機構８６を右へ引張って、スロット９２内で伝達シャフト８４を摺動させる。リンク９０に対する伝達シャフト８４のこの相対的移動は、背部２４に対して頭部２２を旋回させる。頭部傾動リンク機構８６は頭部２２の右下側コーナーを外向きに押し、かつヒンジ７８は連続して背部２４に頭部を枢軸旋回自在に結合させることから、頭部２２は図１９に示されているように背部２４に対して傾動する。
【０１１２】
傾動アクチュエータ８０が伝達リンク機構８２を右に押し続けるにつれて、伝達シャフト８４はスロット９２の右端部に到達しリンク９０と係合する。伝達シャフト８４は次にリンク９０を右に押して、図２０に示されているように中間フレーム５２に対して背部２４を旋回させる。第一ヒンジ７６は背部２４を中間フレーム５２に枢軸旋回自在に結合し、かつリンク９０は背部２４の左下側コーナーに結合され傾動アクチュエータ８０により右に作動することから、背部２４は中間フレーム５２に対して傾動する。その上、傾動アクチュエータ８０をさらに作動すると中間フレーム５２に対する頭部２２の運動が続行して、図２０に示されているように、背部２４が中間フレーム５２に対して傾動するときに頭部２２と背部２４の間の傾動度が維持される。頭部及び背部２２，２４を水平位置に戻すには、傾動アクチュエータの長さを、それが当初の長さに達するまで縮小する。
【０１１３】
背部傾動リンク機構アセンブリ８８は、傾動アクチュエータ８０が作動している間、頭部と背部２２との相対的移動を制限できるように構成されている。背部傾動リンク機構アセンブリ８８は、背部２４に対する頭部２２の動きを可能にする遮断解除位置（図１７参照）と背部２４に対する頭部２２の動きを抑制する遮断位置（図２１参照）との間で移動するようにリンク９０に対して枢軸旋回自在に結合された一対の遮断装置９４をさらに含む。遮断解除位置では、伝達シャフト８４は、スロット９２内を自由に移動し、頭部２２が背部２４に対して傾動できるように頭部傾動リンク機構８６に対するリンク９０の動きを可能にする。
【０１１４】
遮断装置９４が図２１に示されているような遮断位置まで移動したときに、伝達シャフト８４は、傾動アクチュエータ８０の初期運動が頭部傾動リンク機構８６及び頭部２２を移動させるのみならず、背面傾動リンク機構アセンブリ８８及び背部２４をも移動させるように、スロット９２内での移動を阻止される。こうして頭部２２は中間フレーム５２に対して傾動しかつ背部２４は中間フレーム５２に対して同時に傾動し、かくして頭部及び背部２２，２４は、図２１に示されているように互いに実質的に同一平面上に維持される。
【０１１５】
背部傾動リンク機構アセンブリ８８は、さらに、有効長のスロット９２を調整するためリンク９０内に延びる１対の調整ネジ８９，９１を含む。図１７に示されているように、ネジ８９はリンク９０の右端部内に延びている。ネジ８９がさらにリンク９０内に回し込まれると、スロット９２の右端部の有効長は縮小し、スロット９２の右端部内の伝達シャフト８４の走行範囲は短縮する。スロット９２の右端部の有効長を縮小させることにより、頭部と背部２２，２４の間の最大傾動度は縮小する。
【０１１６】
図１７に示されているように、ネジ９１は、リンク９０の右端部内に延びている。ネジ９１がリンク９０内に回し込まれるにつれて、スロット９２の左端部の有効長は縮小して、スロット９２の左端部内の伝達シャフト８４の走行範囲は短縮する。スロット９２の左端部の有効長を縮小することにより、頭部と背部２２，２４との間の最小傾動度は増大する。
【０１１７】
遮断解除位置と遮断位置との間の遮断装置９４の運動を促進するため、背部傾動リンク機構アセンブリ８８には、背部２４に枢軸旋回自在に結合された遮断装置レバー９６，遮断装置レバー９６にしっかりと結合されたカム９８，遮断装置９４にしっかりと結合されたカムフォロワ１００，及びリンク９０にしっかり結合されたストッパ１１０が含まれる。遮断装置レバー９６及びカム９８は、図１７に示されているような係合解除位置と図２１に示されているような係合位置との間で移動可能である。係合解除位置にあるとき、カム９８はカムフォロワ１００から離隔し、遮断装置９４は、伝達シャフト８４がスロット９２内で移動できるように遮断解除位置にある。遮断装置レバー９６及びカム９８が係合位置まで移動すると、遮断装置９４はピン１１２のまわりを旋回し、かくして遮断装置９４はスロット９２をカバーし、かつ伝達シャフト８４はスロット９２内での移動を遮断される。
【０１１８】
遮断装置レバー９６を係合位置まで移動するには、ハンドル１１４をつかみ、図１７に示されている破線矢印１１５の方向で反時計回りに回し、かくしてカム９８とカムフォロワ１００とを係合させる。カムフォロワ１００は遮断装置９４の長さに対してわずかな角度を成し、かくしてカム９８はカムフォロワ１００上をせり上って、リンク９０に対して遮断装置９４を回転させる。遮断装置９４は、遮断装置９４が所望の位置を超えて回転するのを阻止するストッパ１１０と係合するまで、ピン１１２を中心に回転し続ける。かくして、傾動機構７４は、頭部及び背部２２，２４がアクチュエータ８０によって下降した水平位置から上昇する間に背部２４に対して頭部２２が自動的に傾動する、遮断装置９４が遮断解除位置にある状態に対応する第一構成（形態）を有し、かつ傾動機構７４は、頭部及び背部２２，２４がアクチュエータ８０によって下降した水平位置から上昇する間に頭部及び背部２２，２４が同一平面関係に維持される、遮断装置９４が遮断位置にあるに状態に対応する第二構成（携帯）を有する。
【０１１９】
図２２−２５に示されている通り、病院用ベッド１０はさらに、中間フレーム５２に対する足部と背部２８，２６の、及び座部２６に対する足部２８の自動的傾動を容易にする傾動機構１２０を含む。傾動機構１２０は、中間フレーム５２及び座部２６に結合された傾動アクチュエータ１２２及び足部２８及び中間フレーム５２に枢軸旋回自在に結合された足部傾動リンク機構アセンブリ１２４を含む。足部傾動リンク機構アセンブリ１２４は、図２２及び２３に示されたロック位置と図２４，２５に示されたロック解除位置との間を移動でき、座部２６と足部２８との間で２つの傾動モードを提供する。
【０１２０】
ロック位置にあるとき、足部傾動リンク機構アセンブリ１２４は、中間フレーム５２と足部２８との間に剛性リンクを提供する。傾動アクチュエータ１２２が伸張するときに、座部２６は、図２３及び２５に示されているように中間フレーム５２に対して旋回する。足部傾動リンク機構アセンブリ１２４がロック位置にあり傾動アクチュエータ１２２が作動した時点で、足部２８は実質的水平配向を維持しながら図２３に示されているように中間フレーム５２に対して上方に移動する。
【０１２１】
足部傾動リンク機構アセンブリ１２４が、図２４に示されているように「折り曲げられ」、傾動アクチュエータ１２２が図２５に示されているように作動するときに、足部２８は、足部２８の基端部が上昇し、足部２８の先端部が下降するように、中間フレーム５２に結合されたローラ１２６を中心として回転する。かくして、足部２８は、足部傾動リンク機構アセンブリ１２４がロック位置にあるとき図２３に示されているように実質的水平位置を維持し、足部傾動リンク機構アセンブリ１２４がロック解除位置にあるとき中間フレーム５２に対して図２５に示されているように傾動位置を維持するように、座部２６に対して移動自在である。
【０１２２】
ロック位置とロック解除位置間の運動を容易にするために、足部傾動リンク機構アセンブリ１２４には、図２３及び２６に示されているように足部２８と枢軸旋回自在に結合されている第一リンク対１３２及びそれぞれの第一リンク及び中間フレーム５２に枢軸旋回自在に結合された第二リンク対１３４が含まれている。足部傾動リンク機構アセンブリ１２４は同様に、それをロック又はロック解除位置のいずれかに位置づけるべく、第一のリンク１３２に対して第二リンク１３４の運動を容易にするため、第二リンク１３４に結合された一対のハンドル１３６を含む。
【０１２３】
第二リンク１３４は、一対の平行な側壁１３５と底板１３７をもつＵ字形に形成されている。図２３に示されているように、第二リンク１３４に結合された第一リンク１３２の端部は、第一及び第二リンク１３２，１３４が中心を超えないようにするためのロック位置にあるときに、底板１３７と係合する。
【０１２４】
図２６内に示されているように、足部傾動リンク機構アセンブリ１２４はさらに、左右の第一リンク１３２間に延びるコネクタリンク１３８を含む。コネクタリンク１３８は、各リンク対１３２，１３４が同時にロック及びロック解除されるように、それぞれのリンク対１３２，１３４の動きを調和させる。
【０１２５】
分割されたサイドレール又は第三及び第四バリア２０，２１は、フレーム１２に対し枢軸旋回自在に結合され、図１，２８及び３０に示されているような上方位置と図３１に示されているような下方位置との間を移動するように構成され、病院用ベッド１０の中へ及びそこから外への患者の出入りを可能にしている。分割サイドレール２０，２１は、介護人又は病院用ベッド１０に位置づけされた患者が分割サイドレール２０，２１を解除して動すことにより、上方位置と下方位置間を自在に移動するように構成されている。その上、分割サイドレールは、以下でさらに詳細に論述するように、病院用ベッド１０内に位置づけされた患者がサイドレール２０を下降させるのを防ぐロックを具備する。
【０１２６】
各々のサイドレール２０，２１は、一対の締結装置１４０により中間フレーム５２に結合されている。かくして、デッキ１４の各部２２，２４，２６，２８が前述のように中間フレーム５２に対して傾動するときに、サイドレール２０，２１は、図１９〜２１，２３及び２５に示されているように中間フレーム５２に対して移動しない。
【０１２７】
各サイドレール２０，２１は、図３０及び３１に示されているように、それぞれの透明レール部材１４１，１４３及びレール部材１４１，１４３を上方位置と下方位置との間で移動させるために、それぞれの透明レール部材１４１，１４３と中間フレーム５２との間に結合されたリンク機構アセンブリ１４２を含む。レール部材１４１，１４３の好ましい実施形態は、アクリル又は清澄ポリエチレン（ＰＥＴＧ）等の透明プラスチック材料で作られる。本開示の他の実施形態によれば、レール材料は、可視光が透過できるように透明、半透明、又は不透明でない特性をもつ当業者にとっては既知のその他の材料で作られる。
【０１２８】
本開示の他の実施形態の透明サイドレールによれば、光は、透明サイドレール部材に照明を提供するべく透明サイドレール部材へ「誘導」（piped)される。サイドレールが照明されることから、かかる照明は、病室が暗い場合でも病院用ベッドの場所の標示を介護人に提供する。かかる照明は又、ベッド１０上に支持されている患者のための常夜灯としても役立ち得る。当業者であれば、透明サイドレールがベッド１０に隣接する床を照らし出すよう低下させた位置にあるときにのみ照明された状態となり、かくして病室が暗いときに患者がベッドから出入りするのを容易にするように、適切な回路を仕組むことができることを理解するであろう。光源は、光ファイバー、高輝度ＬＥＤ，白熱電球又はレール部材１４１，１４３の全体又は一部を照明すべくそれぞれのレール部材１４１，１４３に結合されたIndiglo（商標）ブランドの照明用材料であってよい。
【０１２９】
透明サイドレールの第一部に第一色の光を誘導し、透明サイドレールの第二部に第二色の光を誘導することも、現在検討されている開示の範囲内に入る。かかる実施形態において、サイドレールの第一部と第二部との間に光が誘導されるのを防ぐため、それらの間には不透明な分割用材料が使用される。選択的に、所望により多数の色の光が透明なサイドレールの多数の部を照明することができる。他の実施形態によれば、レール部材は着色されかつ／又は半透明であってもよい。
【０１３０】
リンク機構アセンブリ１４２は、中間フレーム５２にしっかり結合された第一リンク１４４，第一リンク１４４に枢軸旋回自在に結合されている一対の湾曲した第二リンク１４６，第二リンク１４６に枢軸旋回自在に結合された第三リンク１４８，及び第三及び第一リンク１４４，１４８に対し枢軸旋回自在に結合された湾曲した第四リンク１５０を含む。第一リンク１４４は、図２７に示されているように、締結装置１４０により中間フレーム５２に結合されたベース１５２及びベース１５２にしっかり結合された４つの上方に延びるフランジ１５４を含む。各々の第二リンク１４６は、図２７及び２８に示されているようにロッド１５８によりフランジ１５４に枢軸旋回自在に結合されたループ状の第一端部１５６及び、図２７及び２８に示されているようにロッド１６２により第三リンク１４８に枢軸旋回自在に結合されているループ状の第二端部１６０を含む。
【０１３１】
第三リンク１４８は、図２７に示されているように、ベースプレート１６４，ベースプレート１６４に結合されて内方へ延びる第一フランジ対１６６，及び図２７に示されているようにベースプレート１６４に対して同様に結合されて内方へ延びる第二フランジ対１６８を含む。ロッド１６２が、第一および第二フランジ１６６間で第二リンク１４６の第二端部１６０を通って延びて、その間に旋回自在の連結を提供している。
【０１３２】
図２７に示されているように、第四リンク１５０には、ベース１７０及びベース１７０内に形成されたラッチ受けスロット１７２が含まる。ベースの第一端部１７４は、ロッド１７６により第三リンク１４８第二フランジ対に枢軸旋回自在に結合されている。同様にして、ベース１７０の第二端部１７７は、ロッド１７８により第一リンク１４４のフランジ１５４の下端部に枢軸旋回自在に結合されている。かくして、リンク機構アセンブリ１４２は、サイドレール２０，２１が上方位置と下方位置間で揺動できるようにする４バーリンク機構を提供する。
【０１３３】
各々のサイドレール２０，２１はさらに、サイドレール２０，２１が上方位置から下方位置へ移動するのを防ぐべく、４バーリンク機構を「拘束する」（bind)ように構成された保持器１８０を含む。図２８に示されているように、保持器１８０はラッチ受けスロット１７２内に位置づけされ、図２８に示されたラッチ位置と図３０に示されているラッチ解除位置との間で移動すべくロッド１８４により第四リンク１５０に枢軸旋回自在に結合されたＺ形ラッチ部材１８２，及び第一リンク１４４に結合されたキャッチロッド１８６を含む。ロッド１８６は、図２７に示されているように第一リンク１４４の複数のフランジ１５４間に延びている。ラッチ部材１８２は、キャッチロッド１８６と係合する第一端部１８８と第二端部１９０を含む。患者にはアクセスできない解放装置又はハンドル１９２が第二端部１９０に結合されている。第一端部１８８は、図２８に示されているように、ラッチ位置内にラッチ部材１８２をしっかり固定するためにキャッチロッド１８６を受ける構成の切欠き１９４を含む。
【０１３４】
第一端部１８８がキャッチロッド１８６上にラッチ留めされたときに、３バーリンク機構が、第一リンク１４４，ラッチ部材１８２及び第四のリンク１５０との間に確立される。このリンク機構の構成により、第一リンク１４４は第四リンク１５０に対して拘束され、かくして、リンク機構アセンブリ１４２も又、サイドレール２０，２１が下方位置へ揺動しないようにするためにラッチ部材１８２がラッチ位置にある間移動しないよう拘束される。
【０１３５】
リンク機構アセンブリ１４２の拘束を解除しかつサイドレール２０，２１をダウン位置まで揺動させるために、ラッチ部材１８２を、図３０に示されているようにラッチ位置からラッチ解除位置まで移動させなくてはならない。介護人は、図３０に示されているように、ハンドル１９２を下方及び外方へ引張って時計回り方向にラッチ部材１８２を旋回させることにより、ラッチ部材１８２をラッチ解除することができる。この運動がラッチ部材１８２の第一端部１８８をキャッチロッド１８６から離れるように引張ることにより、ラッチ部材１８２はもはや第一及び第四リンク１４４，１５０を拘束しなくなる。第一及び第四リンク１４４，１５０は互いに対して自由に旋回することから、リンク機構アセンブリ１４２も同様に拘束解除され、自由にサイドレール２０，２１を上方位置と下方位置間で揺動させることができる。ラッチ位置に向かってラッチ部材を付勢するために、ラッチ部材１８２の中央部に結合されたバネマウント１９７と第四リンク１５０の中央部との間にバネ１９６が設けられている。本開示の他の実施形態によれば、留め金、キャッチ、ロック、その他のラッチ、クランプ、ピン、ボルト、バー、掛け金、フック又は当業者にとって既知のその他の保持器といった、その他の保持器が、上方位置内にサイドレールを保持する目的で使用される。
【０１３６】
ハンドル１９２は、介護人のみがハンドル１９２に容易に到達でき、ラッチ部材１８２の保持を除去してサイドレール２０を下降させることができるように、マットレス１３上に横たわるか座っているか又はその他の形で正常に位置づけされた人物にはアクセス不能となるように位置づけされている。従って、ハンドル１９２は、かかる人物がマットレス１３上に横たわるか又は座っている間にハンドル１９２を容易に使用してサイドレール２０を下降させることができないように、マットレス１３上に位置づけされた人物から遠隔の又は到達不能な位置にある。
【０１３７】
サイドレール２０はさらに、病院用ベッド１０上に横たわるか又は座っている患者がラッチ部材１８２を解除できるようにするための患者によるアクセス可能な解放装置１９８を含む。解放装置１９８は、ピン１４９により第三リンクに枢軸旋回自在に結合されたハンドル２１０及び図２８に示されているようなラッチ部材１８２とハンドル２１０の間に延びる上部及び下部伝達ロッド２１２，２１３を含む。ハンドル２１０は、上部伝達ロッド２１２の上端部と係合するように構成されたカム表面２１４を含む。ハンドル２１０が図３０に示されているように患者によって内方へ旋回するにつれて、伝達ロッド２１２の上端部は下方へ押され、下部伝達ロッド２１３の上端部と係合し下部伝達ロッド２１３を下方へ押す。下部伝達ロッド２１３のこの下方運動は、ラッチ部材１８２を時計回り方向に回転させて、図３０に示されているようにキャッチロッド１８６からラッチ部材１８２をラッチ解除する。かくして、病院用ベッド１０内に位置づけされた患者は、サイドレール２０のいずれかを下げて病院用ベッド１０から離れるために、ハンドル２１０に到達しラッチ部材１８２を解除することができる。
【０１３８】
解放装置１９８はさらに、上部伝達ロッド２１２を上方に付勢するために位置づけされたバネ２１６を含む。上部伝達ロッド２１２は図２８に示されているような段付き構成であり、レール部材１４１は上部伝達ロッド２１２を収容できる寸法のボア２１７を含むように形成されている。ボア２１７の下端部にネジ込まれたプラグ２１９及び上部伝達ロッド２１２の段との間には、バネ２１６が封入されている。上部伝達ロッド２１２がハンドル２１０により下方へ移動するにつれて、バネ２１６は圧縮される。ハンドル２１０が解放された後、この圧縮は、上部伝達ロッド２１２を上方に戻るように強制し、上部伝達ロッド２１２とハンドル２１０との係合により、ハンドル２１０は図２７及び２８に示されている位置までハンドル２１０を回転して戻す。本開示の他の実施形態によれば、アップ位置にサイドレールを保持する状態から保持器を解除する当業者に既知の他の構成の解放装置が使用される。
【０１３９】
図３１に示されているように、サイドレール２０がダウン位置まで移動した時に、上部伝達ロッド２１２が下部伝達ロッド２１３から離隔して不整列になる。かくして、図３０に示されているようにサイドレール２０がアップ位置にあるときにハンドル２１０からラッチ部材１８２まで動きを伝達し、かつ図３１に示されているようにサイドレール２０が下方位置にあるとき「分断」されるツーピース伝達ロッド２１２，２１３が設けられる。
【０１４０】
患者がアクセスできる解放装置１９８はさらに、患者がサイドレール２０を下降するのを阻止するためにハンドル２１０を施錠するロック２２４を含む。図２９に示されているように、ロック２２４は、第三リンク１４８に枢軸旋回自在に結合されたロック部材２２８を含む。ロック部材２２８は、コア２３０とそれに結合されたフィンガ２３２を含む。レール部材１４１にはベースプレート２２６が結合され、このベースプレートはロック部材２２８のコア２３０を受けることのできる寸法のコア受け孔２３４を含むように形成されている。ハンドル２１０は、ロック部材２２８のフィンガ２３２と係合するべく位置づけされた出っ張り２３６を含む。コア２３０は、コイン、ネジまわし又はその他の平坦な物体といったキーを受けることのできる寸法のスロット２３８を含むように形成される。
【０１４１】
コア２３０は、フィンガー２３２が図２８に示されているような直立したロック位置と図３０に示されているような下方へ延びるロック解除位置との間で回転できるように、コア受け孔２３４の中に回転自在に収容される。ロック位置とロック解除位置の間でフィンガ２３２を回転させるために、介護人はスロット２３８の中にコイン、ネジ回し又はその他の平坦な物体をスロット２３８内に位置づけ、ロック部材２２８を時計回り方向に回転させて、フィンガ２３２をロック解除位置からロック位置まで移動させ、反時計回り方向に回転させてフィンガー２３２をロック解除位置まで移動させる。ロック位置にある間、フィンガー２３２は、出っ張り２３６に隣接して位置づけされ、上部伝達ロッド２１２を下方へ押すことができないようにハンドル２１０の旋回を妨害する。ロック解除位置にある間、フィンガー２３２は、ハンドル２１０が自由に旋回でき患者がラッチ部材１８２をロック解除しサイドレール２０を下降させることができるように、出っ張り２３６から離れた位置につく。
【０１４２】
ロック機構２２４は、ロック部材２２８がロック位置又はロック解除位置のいずれにあるかの標示を提供するように構成される。コア２３０は、湾曲した側壁２４０と平坦な側壁２４２をもつ概ねシリンダ状に形成される。湾曲した側壁２４０は、コア２３０がコア受け孔２３４内で回転するのを可能にする。平坦な側壁２４２及びコア受け孔２３４を構成するベースプレート２２６の縁部２４４は共働してその間に回転ウインドウ２４６を構成する。コア２３０が回転するにつれて、ウインドウ２４６は、図３０に示されているようなコア２３０の上にある状態から図２８に示されているようなコア２３０の下まで回転する。第三リンク１４８は、コア２３０の後方に位置づけされた部を含む。この部の上半分２４８は白色に塗装され、下半分２５０は赤色に塗装される。
【０１４３】
塗装された上半分及び下半分２４８，２５０とウインドウ２４６は共働して、ロック部材２２８がロック位置か又はロック解除位置かについての標示を提供する。ロック部材２２８が図２８に示されているようにロック位置にあるとき、下半分２５０の赤色表面はウインドウ２４６を介して露呈され、ロック２２４が患者によるサイドレール２０の下降を阻止するためにロックされていることを示す。コア２３０が回転することにより、上半分２４８の白色表面はウインドウ２４６を介して露呈され、患者がサイドレール２０を下降させることができるようにロック２２４が解除されていることを示す。
【０１４４】
本開示の他の実施形態によれば、ラッチ、ボルト、ピン、留め金、フック、クランプ、キー付きロック、キー無しロック又は上方位置にサイドレールを保持する状態からの保持器の運動を防止又は回避する当業者にとって既知のその他の装置等、他の構成のロックが使用される。例えば、本開示の１つの実施形態によれば、ロック構成が第一位置にあるときサイドレール上の保持器の保持を解除するために解放装置が移動し、第二位置にあるとき解放装置は移動するがその運動は「失なわれ滅失し」、かつ保持器はサイドレールを上方位置に保持し続けるように、ロックを構成できる。
【０１４５】
本開示の他の実施形態によれば、横切る方向かつ水平方向の軸を中心として回転するクロッキングサイドレール，実質的垂直な平面内を移動する降下サイドレール、又は当業者にとって既知のその他のあらゆる構成のサイドレール等、同様に患者がアクセスできる解放装置アセンブリを含むサイドレールのその他の構成が使用される。本開示の他の実施形態によれば、患者がアクセスできる解放装置アセンブリを伴うレール部材のその他の構成が提供される。例えば当業者にとって既知の管、バー、中実パネル、開口部付きパネル又はその他のレール部材構成を含むレール部材に、患者アクセス可能なラッチ解除アセンブリが提供される。本開示の他の実施形態によれば、アップ位置からダウン位置へのサイドレールの急激な動きを防止するために、機械式ダンパー、ダッシュポット又はガススプリングが設けられる。かかる装置の付加的な記述は、本書にその開示が参考として特に含まれる、「チェアベッド」の名称のWeismiller et alに対する米国特許第５,７１５,５４７号により提供される。
【０１４６】
図１に示されているように、サイドレール２０，２１が上方位置にあるとき、レール部材１４１，１４３は、病院用ベッド１０からの患者の脱出を遮断する。レール部材１４１は、リンク機構アセンブリ１４２の第三リンク１４８に結合された底面部２５２，底面部２５２から延びる傾斜端部２５４，底面部２５２から上に延び傾斜端部２５４から離隔した湾曲端部２５６，及び傾斜及び湾曲端部２５４，２５６に結合されその間に延びる上面レール部２５８を含む。レール部材１４３は、リンク機構アセンブリ１４２に結合された底面部２５３，レール部材１４１の傾斜端部２５４と相補的な角度で底面部２５３から延びる傾斜端部２５５，底面部２５３から上に延び傾斜端部２５５から離隔した湾曲端部２５７，及び傾斜及び湾曲端部２５５，２５７に結合されそれらの間に延びる上面レール部２５９を含む。かくして、各々のレール部材１４１，１４３は、サイドレール２０，２１が上方位置にあるとき患者が病院用ベッド１０から出るのを抑制するように病院用ベッド１０内に位置づけられた患者に対するバリアを提供する。
【０１４７】
各々のサイドレール２０はさらに、一対のストラップ２１２によってレール部材１４１の上面レール部２５８に枢軸旋回自在に結合された透明な肘掛け２６０を含む。肘掛け２６０は、図３２に示されているような保管位置と図３３に示されているような使用位置との間で移動自在であり、かくして肘掛け２６０はレール部材１４１から片持ち式になっている。底面部２５２，上面レール部２５８，傾斜端部２５４及び湾曲した端部２５６は、肘掛け２６０が図３２及び３４に示されているような保管位置にあるときにそれを収容する１つのポケット２６４を構成するように共働する。肘掛け２５８を使用位置に移動させるためには、患者又は介護人は肘掛けを２７０°，図３３及び３５に示されている位置まで回転させる。使用位置にある間、患者は、肘掛け２５８上に腕を載せ、コップ又は容器ホルダを構成する肘掛け２５８内に形成されたくぼみ２６６の中にコップ２６５を置くことができる。本開示の他の実施形態によれば、容器ホルダのその他の構成、例えば肘掛けを貫通する開口部、多数のサイズの容器を保持するように構成された調整可能な容器ホルダ又は、当業者にとって既知のその他の容器又はコップホルダ構成が提供される。
【０１４８】
肘掛け２６０は、ストラップ２６２によりサイドレール２０のレール部材１４１に結合されたベース部２６８及び接着剤によってベース部２６８に結合されたストッパプレート２７０を含む。ストッパプレート２７０は、使用位置において、ベース部２６８を停止させるように位置づけされている。ベース部２６８は、肘掛け２６０が保管位置にあるとき患者又は介護人がハンドル２１０にアクセスし、それを旋回させることができるようにハンドル２１０へのアクセスを可能にする寸法の切欠き２７２を含むように形成されている。
【０１４９】
レール部材１４１の上面レール部２５８及びストッパプレート２７０は、使用位置に達した時点で肘掛け２６０の回転を停止させるように構成されている。上面レール部２５８は、図３４及び３５に示されているようなデュアルローブ横断面をもつ。上面レール部２５８は、円形ベースローブ２７４及びベースローブ２７４に結合され下方へ延びるストッパローブ２７６をもつ。円形ベースローブ２７４は、ストッパプレート２７０の内縁部２８０が外部表面２７８と係合して、保管位置から使用位置まで回転するきいに肘掛け２６０の回転を妨げることがないように、肘掛け２６０の回転軸から実質的均等な曲率半径をもつ円形外面２７８を有する。ストッパローブ２７６は、ストッパプレート２７０の内縁部２８０が２７０°の回転後にストッパローブ２７６と係合するように、ベースローブ２７４の外表２７８から半径方向外向きに延びている。かくして、アームレスト即ち肘掛け２６０の回転は、図３５に示されているような使用位置で停止する。ストッパローブ２７６そして選択的にはベースローブ２７４は、ストラップ２６２を収容する溝（図示せず）を含むように形成される。かかる溝へのストラップ２６２の収容によって、上面レール部２５８に対する肘掛け２６０の回転を可能にしながら、それぞれのレール部材１４１の上面レール部２５８に対するアームレスト２６０の長手方向移動が阻止される。他の実施形態によれば、ストッパローブと係合する内縁部が、肘掛けのベースに一体的に形成されている。本開示の他の実施形態によれば、肘掛けは、レール部材に対し摺動可能、取外し可能又はその他の形で結合されている。
【０１５０】
他の実施形態のサイドレール２８２は、図３６−３９に示されている。サイドレール２８２には、中間フレーム５２に結合されたベース・フレーム２８４，ベース・フレーム２８４に枢軸旋回自在に結合されたレール部材２８６、そして複数の位置の１つにレール部材２８６を保持するべくレール部材２８６上に位置づけされた保持器２８８が含まれる。図３６に示されているように、サイドレール２８２は、病院用ベッドからの患者の脱出を遮断するための直立した使用位置、及び図３８に示されているような病院用ベッドから患者が出られるようにする下降した保管位置まで移動可能である。
【０１５１】
ベース・フレーム２８４には、中間フレーム５２にしっかりと結合された一対のアーム２９０及び図３６に示されているようなアーム２９０間に延びる管状支持部材２９２が含まれる。レール部材２８６は、ベース部２９４，ベース部２９４に結合された上面レール部２９６，ベース部２９４に結合された第一支柱対２９８，ベース部２９４と管状支持部材２９２との間の旋回運動を提供すべくそれぞれの支柱２９８の先端部に結合された一対のカラー３１０，ベース部２９４に結合された第二支柱対３１２及びベース部２９４と管状支持部材２９２の間の旋回運動を提供するべく第二の支柱対３１２の先端部に結合されたカラー３１４を含む。カラー３１０は、管状支持部材２９２に対してレール部材２８６の長手方向移動を防ぐためにアーム２９０と係合している。
【０１５２】
図３７に示されているように、保持器２８８は、ピン対３１８，ピン３１８のまわりに位置づけされたバネ３２２，及びピン３１８に結合された保持ピン３２４を含む。解放装置３１９は、レール部材２８６のベース部２９４に枢軸旋回自在に結合されている一対の平坦なハンドル３１６及びピン３１８にハンドル３１６を結合するケーブル３２０を含む。管状支持部材２９２は、第一，第二及び第三の孔３２６，３２８，３３０を含むように形成されている。ピン３１８は、サイドレール２８２を内部、垂直又は水平位置のいずれかに保持するために孔３２６，３２８，３３０内を摺動する寸法である。レール部材２８６は、支柱３１２に隣接するカラー３１４に追加された一対の第一の安定器ブロック２８５及び支柱３１２に隣接するベース部２９４に追加された一対の第二安定器ブロック２８７を含む。ピン３１８は、それぞれの安定器ブロック２８５，２８７内に形成された整列したボア２８９，２９１を通り、カラー３１４内に形成されたそれぞれのボア２９３へ延びる。ボア２８９，２９１，２９３が孔３２６，３２８，３３０の１つと整列するときにピン３１８は孔３２６，３２８，３３０に選択的に受けられかつハンドル３１６が解放する。
【０１５３】
サイドレール２８２を１つの位置からもう１つの位置まで移動させるには、ハンドル３１６のどちらかを上方に旋回させ（図３７に破線で示されている）、かくしてケーブル３２０のうちの１本がピン３１８を対応する孔３２６，３２８，３３０から外に引き抜くようにする。ピン３１８が孔３２６，３２８，３３０から取り出されたときに、サイドレール２８２は解放されて管状支持部材２９２を中心に旋回する。ピン３１８は、次のそれぞれの孔３２６，３２８，３３０へ摺動してサイドレール２８２を次の対応する位置に保持するまで、管状支持部材２９２上を摺動する。
【０１５４】
ピン３１８が第一孔３２６内に位置づけされたときに、サイドレール２８２は内部位置にあり、かくしてレール部材２８６は、病院用ベッドのデッキに向かって内方へ傾斜して患者用の肘掛けとして機能する。ピン３１８が第二孔３２８内に位置づけされたときに、サイドレール２８２は実質的垂直の上方位置にある。ピン３１８が第三孔３３０に位置づけされたときに、サイドレール２８２は、病院用ベッドとそれに隣接して設定されたもう１つの患者−支持装置との間での患者側方移送時に患者をサイドレール２８２上に支持できるように、実質的水平になる。
【０１５５】
ピン３２８が孔３２６，３２８，３３０から取り出されたときに、バネ３２２は、図３９に示されているような第二安定器ブロック２８７と保持ピン３２４との間で圧縮される。この圧縮により、ピン３２８は、孔３２６，３２８，３３０の１つの上を摺動するときに保持位置に戻るように付勢される。ピン３２８が保持位置まで戻るときに、ケーブル３２０は、図３７に示された保管位置へハンドルをひき戻す。
【０１５６】
デッキ１４は、マットレス１３を支持するように構成されている。図４０，４２，４３及び４４に示されているように、デッキ１４の各部２２，２４，２６，２８は、傾斜側壁３５８を含む。頭部及び足部２２，２８は実質的平坦な床又は壁３６０を有する。傾斜側壁３５８は床３６０との間に約１３５°の鈍角を形成する。本開示の他の実施形態によれば、側壁と床との間の鈍角は、９０°をわずかに超える角度から１８０°をわずかに下回る角度の範囲であってよい。本開示の他の実施形態によれば、角度は直角又は鋭角である。
【０１５７】
図２８，３０，及び３１に示されているように、傾斜側壁３５８によって、デッキ１４の外周から入り込みかつ前記デッキ１４の下の位置で中間フレーム５２にサイドレール２０，２１を結合させることができるので、格納式サイドレールを具備しないベッドよりも全体幅の狭い病院用ベッド１０を提供する。サイドレール２０，２１が下方位置にあるとき、上面レール部２５８，２５９はマットレス１３の周囲の下側に位置づけされ、かくして、レール２０，２１はマットレス１３の幅から突出しない。さらに、サイドレール２０，２１を入り込ませることにより、サイドレール２０，２１が上方位置と下方位置との間で揺動するのに必要な余地はさらに小さくてすむ。さらに、サイドレール２０，２１がその下降位置にあるとき、サイドレール２０，２１の上面縁部はマットレス１３の上面と底面との間で傾斜側壁に隣接して存在し、こうして中間フレーム５２及びデッキ１４がその下降位置にあるときサイドレール２０，２１の底面縁部と床との間に存在する隙間量が増大する。
【０１５８】
デッキ１４の背部及び座部２４，２６は、そうでなければマットレス１３内に付加的な発泡材を必要とするであろう、付加的な追従性をベッド１０に付与するために、患者の体重に起因よって撓む可撓性底面を有する。デッキ１４の背部及び座部２４，２６は、傾斜側壁３５８，傾斜側壁３５８に結合されたそれぞれの水平方向フランジ４１６，４１８及び図４３−４５に示されているような締結装置４２２によって水平方向フランジ４１６，４１８に結合された可撓性パネル又は支持部材４２０を含む。図４４に示されているように、可撓性パネル４２０の各々の各コーナーは、締結装置４２２の１つを受けるスロット４２４を含むべく形成されている。可撓性パネル４２０上に重さが加わるにつれて、パネルは、図４３及び４５に破線で示されているように下方へ曲がり、可撓性パネル４２０の外縁部は、図４４に破線で示されているように締結装置４２２に対してスロット４２４が移動するにつれて内方へ引っ張られる。この運動によりパネル４２０は約２インチ偏向する。可撓性パネル４２０は、硬質熱硬化性樹脂によって接着された圧縮成形ガラスメッシュで作られる。好ましい可撓性パネルは、Premixによって提供されている。他の実施形態によれば、その他の材料で作られた可撓性パネルが使用される。
【０１５９】
可撓性パネル４２０は、病院用ベッド１０内に横たわる患者のＸ線撮影を容易にするためにＸ線透過性である。さらに、可撓性パネル４２０は、デッキ１４のふき取り又は清掃を容易にするために実質的平滑な表面を有する。かくして、病院用ベッド１０内に位置づけされた患者をＸ線撮影できるようにし同様に比較的清掃が容易である可撓性デッキが提供される。
【０１６０】
デッキ１４の足部２８は、伸張自在かつ引込み自在である。足部２８の完全な記述は、本書にその開示が参考として特に含まれる、１９９８年７月２２日提出の米国特許出願第０９／１２０,１２５号に開示されている。
【０１６１】
図４０に示されているように、デッキ１４はさらに、デッキ１４の頭部２２の上端部に結合された一対のグリップハンドル４３４を含む。病院用ベッド１０内に位置づけされた患者は、自らの体重をもち上げるべくグリップハンドル４３４をつかみ自らを右又は左に移動させるか又は自らを上部フレーム５２のヘッド端５３により近づくよう引っ張ることにより自らの姿勢を直すことができる。他の実施形態のグリップハンドル対４３５が図５３に示されている。グリップハンドル４３５は、デッキの頭部の上部コーナー上に結合され、デッキ上に適切に位置づけされた状態にマットレスを保つのを補助する。病院用ベッドの上部本体部が上昇するときに、ベッド上に支持された患者はベッドのフット端に向かって摺動する傾向があることは知られており、従って、背部及び頭部２２，２４が上昇するときに患者が自らの姿勢を直すためにはグリップハンドル４３４，４３５が特に有用である。
【０１６２】
図４０及び４２に示されているように、病院用ベッド１０は多要素マットレス１３を含む。マットレス１３は、堅固発泡材周辺フレーム３３４，堅固パッド３３６，堅固パッド３３６の下に位置づけされた上部柔軟発泡材層３３８，上部柔軟発泡材層３３８の下に位置づけされた加熱層３４０，加熱層３４０の下に位置づけされたクラウン形成ブラダー３４２，クラウン形成ブラダー３４２の下に位置づけされた中央発泡材層３４６、中央発泡材層３４６の下に位置づけされた下部発泡材層３４８，及び図４２内に最も良く示されているようにマットレス１３のその他の構成要素をカバーする皮地（ticking)層３４７を含む。
【０１６３】
堅固発泡材周辺フレーム３３４は、患者をマットレス１３の周囲から離れるように付勢する構造をマットレス１３に付与するために、柔軟発泡材層３３８よりも大きい堅さをもつ発泡材料で作られている。周辺フレーム３３４は、頭部又は頭部３５０，頭部３５０よりも柔軟な発泡材で作られている本体部又は本体セクション３５２，及び本体部３５２と等しい堅さをもつ発泡材で作られた座部またはセクション３５３を含む。周辺フレーム３３４の各部３５０，３５２，３５３は、傾斜ベース部３５４及びそれに結合されたフランジ部３５６を有する。傾斜ベース部３５４は、デッキ１４に適合し、フランジ部３５６は、図４２に示されているように、デッキ１４を超えて外に延びている。部３５０，３５２，３５３の隣接端部は共働してその間にテーパー付き間隙３５５，３５７（図４１に示されているような）を形成してデッキ１４の頭部，背部及び座部２２，２４，２６の傾動を促進する。
【０１６４】
図４０に示されているように、堅いパッド３３６には、横方向に延びる複数のブラダー３６２が含まれる。堅いパッド３３６は、圧縮空気をブラダー３６２に送る入口管３６４を含む。圧縮空気は、図４２に示されているように、マットレス１３を硬直させるためにブラダー３６２を膨らませる。マットレス１３を硬直させることで、介護人はＣＰＲの処置をしたり患者を病院用ベッド１０から移動させることが容易にできるようになる。その上、マットレス１３を硬直させることにより、患者は、それを硬直させなかった場合に比べて病院用ベッド１０にいる間により良く運動を行なうことができる。病院用ベッド１０はさらに、ブラダー３６２を膨張させるためのデッドヘッドポンプ（図示せず）及びマットレス１３をより柔軟な状態に戻すためにブラダー３６２から圧縮空気を放出するための排気ポート（図示せず）を含む。
【０１６５】
図４１に示されているように、上部柔軟発泡材層３３８は、頭部及び背部又は背セクション３３９及び別々の座部又は座セクション３４１を含む。図４２に示されているように、各々の部は又はセクション３３９，３４１は、周辺フレーム３３４のベース部３５４と嵌合するように構成された一対のテーパー付き側面又は側壁３６６，３６８を含む。入口管３６４を受けるために、上部発泡材層３３８内には１つの孔３７０が形成されている。前述のように、上部柔軟発泡材３３８は、患者が休養できる柔軟な構造を提供するために、より柔軟な発泡材で作られている。加熱層３４０は、マットレス１３の表面の近くになるように上部柔軟発泡材３３８の下に位置づけされる。加熱層３４０は好ましくは Gorix等の抵抗加熱材料で作られる。加熱層３４０及び加熱温度及びタイミングを調節する制御ユニット６９２の加熱制御部に、ケーブル３７２が結合されている。他の実施形態によれば、マットレスの異なる領域を異なる温度又は持続時間で加熱するための複数のゾーンが、加熱層に設けられている。例えば、本体部がより低い温度で加熱される一方で、足の末端の暖房のためにマットレスのフット端を加熱することができる。
【０１６６】
クラウン形成ブラダー３４２は、介護人が患者をマットレス１３の側方へ移動させるとき少量の重力補助を提供する傾斜した表面を作り出すことによりベッド１０からベッド１０に隣接したもう１つの患者支持装置まで容易に患者を側方移送できるようにするため、図４３で示されているようなマットレス１３が実質的に平坦である収縮位置と、図４５に示されているようにマットレスが冠状になった膨張位置との間で移動自在である。堅固化パッド３３６とクラウン形成ブラダー３４２は患者の移動中両方共膨張することが好ましいが、必ずしもその必要はない。
【０１６７】
図４２に示されているように、クラウン形成ブラダー３４２は、上面層３７４，上面層３７４に結合された底面層３７６及び下面層３７６に結合された入口管３７８を含む。入口管３７８は、上面層と底面層３７４，３７６との間の領域を膨張するため加圧空気を提供するポンプ（図示せず）に結合されている。圧縮空気を解放してマットレス１３を平坦な位置に戻すために、クラウン形成ブラダー３４２には排気ポート（図示せず）が結合されている。
【０１６８】
介護人が患者に対して快適さのための振動療法を提供しかつ肺の合併症を防止するため、マットレス１３内にはマッサージモーター３４４が位置づけされている。各マッサージモーターは、実質的に薄いものである直流「スロット」モーターである。ケーブル３８０が各々のマッサージモーター３４４に結合され、かつ振動のタイミング及び強度を調節する制御ユニット６９２に結合されている。各マッサージモーター３４４は独立又は同時に操作され得る。
【０１６９】
中間発泡材層３４６は、上部柔軟発泡材３３８よりも剛性の高い粘弾性発泡材で作られている。上部発泡材層３３８と同様に、中間発泡材層３４６は、頭及び背部又はセクション３４５及び別々の座部又は座セクション３５１を含む。図４２に示されているように、中間発泡材層３４６の各部は、周辺フレーム３３４のベース部３５４と嵌合するように構成されたテーパー付き側壁対３８２，３８４を含む。入口管３６４，３７８を受けるために、中間発泡材層３４６の中には一対の孔３８６，３８８が形成されている。
【０１７０】
下部発泡材層３４８は、中間発泡材層３４６よりも剛性の高い材料で作られる。他の実施形態においては、下部発泡材層３４８は、周辺フレーム３３４の頭部３５０又は本体部３５２のいずれかと一体的に形成され、かつそれと同じ密度をもつ発泡材で構成される。かくして、ベッド１０は、マットレス１３の深さと共に剛性が増大する剛性勾配をもつマットレス１３を有する。上部及び中間発泡材層３３８，３４６と同様に、下部発泡材層３４８は、頭部及び背部又は部３４９及び、個別の座部又は座セクション３６３を含む。図４２に示されているように、下部発泡材層３４８は、周辺フレーム３３４のベース部３５４と嵌合するように構成された一対のテーパー付き側壁３９０，３９２を含む。入口管３６４，３７８を受けるために下部発泡材層３４８内には一対の孔３９４，３９６が形成されている。ケーブル３７２，３８０が中間及び下部発泡材層３４６，３４８のそれぞれの側壁３８４，３９２と右側ベース部３５４間に位置づけされている。マットレス１３は足部２８の動きと共に伸張したり引込んだりする足部又は足セクション４２６を含む。図４１，４６及び４７に示されているように、足部４２６は複数の横方向スロット４２８を含むように形成されている。デッキ１４の足部２８が伸張するにつれて、横方向スロット４２８の各々の幅が広がって、伸張を補償する。足部２８が引込むと、スロット４２８は狭くなる。図４６に示されているように、足部４２６は、デッキ１４の足部２８の傾斜側壁に適合するように構成された一対の傾斜側面又は壁４３０，４３２を含む。
【０１７１】
図４２に示されているように、マットレス１３のその他のコンポーネントを汚染から保護するために皮地３４７が設けられている。皮地３４７はデッキ１４に適合するように構成された上部３９８及びジッパーにより上部３９８に結合される下部４１０を含む。皮地３４７の下部４１０には、マットレス１３が摺動するのを防ぐためにデッキ１４に「貼り付く」磁石が備わっている。皮地３４７には、防火バリアを提供するファイバグラスの糸を有する耐火性アクリルニットが含まれる。皮地３４７は同様に、その他のマットレス構成要素の汚染を防ぐための蒸気バリアを提供する。他の実施形態によれば、上部及び下部は、縫い合わされるか又は１つのスリーブから構成される。本開示の他の実施形態によれば、皮地とは分離した防火バリア層が設けられる。
【０１７２】
他の実施形態のマットレス４３６が図４８に示されている。マットレス４３６は、発泡材コア４３８及び密封された上部及び下部皮地４３９，４４１を含む。コア４３８は、上部及び下部皮地４３９，４４１間に位置づけされ、中剛性の発泡材から作られた頭部、背部及び座部又はそれらのセクション４４０，４４２，４４４及び、デッキ１４の足部２８と使用するために伸張したり引込めたりすることのできる粘弾性発泡材で作られた足部又は足セクション４４６を含む。頭、背部、座部及び足部４４０，４４２，４４４は各々、デッキ１４の傾斜壁に適合するように構成された傾斜側壁を含む。かくしてマットレス４３６は、マットレス４３６のコストを最小限におさえながらなおもマットレス４３６がベッド１０のデッキ１４と連接できるようにししかもデッキ１４が長さを伸縮できるようにするワンピースブロックである部又はセクション４４０，４４２，４４４，４４６を含む。
【０１７３】
足部４４６は、足部４４６を伸張し引込めることができるようにするためにマットレス１３のスロット４２８と類似した上面及び底面を横切るスロット４４９を含むように形成される。足部４４６は、患者の足がマットレス４３６の縁部上を移動するのを防ぐように構成されている。足部４４６は、患者の足がマットレス４３６の外縁部に到達するのを遮断するための境界又はフェンスを提供する隆起した周囲４４８を含む。足部４４６は同様に、患者の足とマットレス４３６との間の界面圧力レベルを低減させるように構成される。足部４４６は、患者のふくらはぎの下にとどまるように位置づけされた隆起したふくらはぎ部４５０を含む。ふくらはぎ部４５０は、そうでなければ患者のかかとによって支持されることになる患者の体重の一部を支持し、かくして、患者のかかととマットレス４３６との間の全体的界面圧力を低下させる。好ましい実施形態によれば、ふくらはぎ部４５０は、足部４４６の残部よりも剛性の高い発泡材で作られている。足部４４６内に形成されたスロット４４９は中に波形を形成している。ふくらはぎ部４５０と連結された波形は足部４４６にわたって一貫した高さをもち、一方その他の波形の各々は、付随する隆起した周囲４４８間にあるへこんだ中央部を有する。
【０１７４】
もう１つの他の実施形態のマットレス４５２が、図４９に提供されている。マットレス４５２は上部及び下部密封皮地４５４，４５６，発泡材コア４５８，一対の加熱パッド４６０，一対のクラウン形成ブラダー４６４及び一対の振動機構４６８を含む。コア４５８は、上部及び下部皮地４５４，４５６間に位置づけされ、周辺フレーム４７０，足部又は足セクション４７２，周辺フレーム４７０内に位置づけされた下部発泡材層４７４，下部発泡材層４７４の上に位置づけされた中間発泡材層４７６及び上部皮地４５４のすぐ下に位置づけされた上部発泡材層４７８を含む。上部発泡材層４７８は、ろう含浸冷却を含む低ＩＬＤ発泡材料で作られている。中間発泡材層４７６は粘弾性発泡材で作られている。
【０１７５】
周辺フレーム４７０は、頭部又は頭セクション４８０，背部又は背セクション４８２及び座部又は座セクション４８４を含む。頭部４８０は、高ＩＬＤ発泡材で作られ、背部４８２は 中ＩＬＤ発泡材で作られる。頭部，背部及び座部４８０，４８２，４８４及び足部４７２は、デッキ１４の傾斜壁に適合するように構成された傾斜側壁を含む。下部発泡材層４７４は、選択的に、高ＩＬＤの発泡材から頭部４８０と一体的に形成されてもよいし、或いは又中ＩＬＤの発泡材から背部及び座部と一体的に形成されてもよい。
【０１７６】
足部４７２は、足部４７２が伸張し引込むことができるようにするために、マットレス１３のスロット４２８と類似した上面及び底面を横切るスロット４８６を含むように形成されている。足部４７２は、患者の足がマットレス４５２の縁部上を移動するのを防ぐように構成されている。足部４７２は、患者の足がマットレス４５２の外縁部に到達するのを遮断するための境界又はフェンスを提供する隆起した周囲４８８を含む。足部４７２は同様に、患者の足とマットレス４５２との間の界面圧力レベルを低下させるように構成されている。足部４７２は、患者のふくらはぎの下にとどまるように位置づけされた隆起したふくらはぎ部４９０を含む。好ましい実施形態によれば、ふくらはぎ部４９０は、そうでなければ患者のかかとによって支持されることになる患者の体重の一部を支持し、かくして、患者のかかととマットレス４５２との間の全体的界面圧力を低下させる。ふくらはぎ部４９０は、足部４７２の残部よりも剛性の高い発泡材で作られている。
【０１７７】
もう１つの他の実施形態のマットレス４９２が図５０に提供されている。マットレス４９２は、図４９のマットレス４５２と実質的に類似している。マットレス４９２は、並んで結合された複数の横方向シリンダ４９６を含むエア・ブラダー４９４を含む。例示的な横方向シリンダ４９６は、エア・ブラダー４９４が１つのユニットとして膨張する単一のブラダーゾーンとなるように、相互に流体連絡している。しかしながら、エア・ブラダー４９４に代ってマットレス４９２中に多数のエア・ブラダーゾーンを設けること、そして複数分離ゾーンの各々の膨張レベルを個別に制御することは現在検討している開示の範囲内にある。
【０１７８】
エア・ブラダー４９４内の空気圧は、図５１に示されている空気システム４９７によって制御される。空気システム４９７は、ポンプ４９８（好ましくはThomas６０２５ＳＥ型空気ポンプ）、第一導管５１２によりポンプ４９８に結合された逆上弁５１０，第二導管５１６によって逆上弁５１０にそして第三導管５１８によりエア・ブラダー４９４に結合された放出弁５１４に、そして第三導管５１８によりエア・ブラダー４９４に結合された逆止弁５１０，第四導管５２２により第三導管５１８に結合されたバルブスイッチ、第四導管５２２に結合されたポンプスイッチ５２４，第四導管５２２内に位置づけされた空気圧抵抗器５２６，及び同じく第四導管５２０内に位置づけされた空気圧コンデンサ５２８を含む。空気システム４９７は同様に、ポンプ４９８及び放出弁５１４に結合された共通ワイヤ５３２及びバルブ及びポンプスイッチ５２０，５２４に結合されたホットワイヤ５３４を含む電気プラグ５３０を含む。空気システム４９７はさらに、放出弁５１４及びバルブスイッチ５２０に結合された第一ワイヤ５３６及びポンプ４９８及びポンプスイッチ５２４に結合された第二ワイヤ５３８を含む。
【０１７９】
ホットワイヤ５３４は、バルブスイッチ５２０が通常閉位置にあってポンプ４９８を作動させる電気回路を完成するように、バルブスイッチ５２０に結合されている。バルブスイッチ５２０は、１０インチ（約２５．４cm)を越える水の圧力を検知したときに、開放位置に転換して電気回路を開放してポンプ４９８をオフに切換える。ホットワイヤ５３４は、放出弁５１４が通常閉鎖位置にあり、バルブスイッチ５２０が通常開位置にあるように、ポンプスイッチ５２４に結合されている。ポンプスイッチ５２４は、１２インチ（約31.2cm)を越える水の圧力を検知したときに、閉鎖位置に転換してバルブ５１４を開放する電気回路を完成する。各スイッチ５２０，５２４は、ポンプ４９８及び放出弁５１４が活性化（activate)及び非活性化する切換え圧力を調整するための調整ネジ５２３を含む。
【０１８０】
空気システム４９７は、エア・ブラダー４９４に、所定の上限及び下限間の一定範囲の空気圧を与える（好ましくは０.３〜０.４ psi）。エア・ブラダー４９４の圧力が所定の高低レベル間にある場合に、ポンプ４９４は作動せず、かつ放出弁５１４は空気を放出するために開放しない。バルブ及びポンプスイッチ５２０，５２４はエア・ブラダー４９４内の空気圧を監視することによって共働して空気圧レベルを調節し、エア・ブラダー４９４内の空気圧が所定の下限より低い場合にポンプ４９８をオンに切換え、エア・ブラダー４９４内の空気圧が所定の上限よりも高い場合に放出弁５１４を開放する。
【０１８１】
エア・ブラダー４９４を膨張させるには、プラグ５３０をアウトレット（図示せず）へ挿入するか、又はエアシステム４９７をオンに切換える。バルブ及びポンプスイッチ５２０，５２４は、第三及び第四導管５１８，５２２を介してエア・ブラダー４９４内の圧力レベルを測定する。圧力が下限より低くなった場合に、ポンプスイッチ５２４がホットワイヤ５３４と第二ワイヤ５３８との間の回路を閉じる位置まで移動し、ポンプ４９８に電力を供給してポンプ４９８を作動させる。ポンプ４９８は、第一導管５１２，放出弁５１４，第二導管５１６，逆止弁５１０及び第三導管５１８を介してエア・ブラダー４９４に圧縮空気を圧送することによって応答する。逆止弁５１０は、空気が第一導管５１２を通ってポンプ４９８から流れることができるようにするが、空気が第一導管５１２を通ってポンプ４９８に流れるのを防ぐ。
【０１８２】
エア・ブラダー４９４内への空気の漸次的な導入は、その中の圧力を増大させる。エア・ブラダー４９４内の圧力が所定の下限を超えるときに、ポンプスイッチ５２４は通常閉位置から開位置まで移動し、かくしてポンプ４９８への電気回路は切断されてポンプ４９８は停止する。エア・ブラダー４９４内の圧力レベルが所定の下限より低く降下した場合、ポンプスイッチ５２４は通常閉位置まで戻り、それによりポンプ４９８までの電気回路が完成し、かつポンプ４９８が再び空気をエア・ブラダー４９４に圧送する。
【０１８３】
患者がマットレス４９２を含む病院用ベッドに入ったときに、エア・ブラダー４９４内の全圧力は増大する。この圧力が所定の上限を超えて高く上昇すると、バルブスイッチ５２０は、放出弁５１４が非活性化され閉位置にある状態で、通常開位置から閉位置まで移動する。こうして、放出弁５１４までの電気回路は完成され、放出弁５１４を活性化させて開放する。放出弁５１４が開放したときに、空気はエア・ブラダー４９４から第三導管５１８へ、そして放出弁５１４から外に流れる。空気がエア・ブラダー４９４から外に放出されるにつれて、エア・ブラダー４９４内の空気圧は、放出弁５１４が閉鎖する所定の上限より低くなるまで徐々に低下する。かくして、空気は、単一のポート（第三導管５１８）を介してエア・ブラダー４９４から導入及び除去され、空気システム３９７をエア・ブラダー４９４に接続するのに必要な連結器は少なくなる。
【０１８４】
空気圧抵抗器５２６及び空気圧コンデンサ５２８は共働して、エア・ブラダー圧力内の瞬間的なスパイクがポンプ及びバルブスイッチ５２４，５２０に達するのを防ぐ単純でかつ安価な空気圧ダンパーを構成する。ポンプ及びバルブスイッチ５２４，５２０が「集合した」空気圧を減衰することにより、これらは、エア・ブラダーの空気圧のわずかな瞬間的変化についてスイッチをオンやオフに切換えず、かくしてポンプ４９８及びダンプバルブ５１４の過度の切換えは起こらない。エア・ブラダー４９４の空気圧のこのような瞬間的変化は、病院用ベッド内で患者が移動したとき、又はポンプ４９８及び放出弁５１４が活性化したり非活性化するときに発生しうる。
【０１８５】
空気圧抵抗器５２６は、第三及び第四導管５１８，５２２の内径よりも小さい内径をもつ制約手段である。空気圧コンデンサ５２８は、第三及び第四導管５１８，５２２の内径よりも大きい内径をもつ管である。管には発泡材でパッキングが施されている。現在好まれている実施形態によれば、空気圧抵抗器５２６の内径は、０.１２５インチ（約０．３２ｃｍ）であり、空気圧コンデンサ５２８の内径は０.５インチ（約１．２７ｃｍ）である。かくして、空気システム４９７は、マイクロプロセッサ又はマイクロコントローラといったような高価な電気回路要素を必要とせずに、所定の圧力範囲内にエア・ブラダー４９４内の膨張レベルを維持する単純で安価な空気システムである。本開示の他の実施形態によれば、エアシステムは、マイクロプロセッサ及び／又はマイクロコントローラを含む。
【０１８６】
他の実施形態のフットボード５４０が図５２示されている。フットボード５４０は、ベース５４２，ベース５４２にしっかりと結合された一対の側面部５４４，５４６及びベース５４２に対し枢軸旋回自在に結合された一対のフラップ５４８，５５０を含む。図５２に示されているように、フラップ５４８，５５０は、サイドレール２８２に向かって側面部５４４，５４６を超えて延びている。この延長により、サイドレール２８２とフットボード５４０との間の間隙は縮小し、かくして患者は、前記間隙を通って病院用ベッドから脱出しないようになっている。図５２は破線で示されているように、フラップ５４８，５５０は、ベース５４２に隣接して位置づけされた保管位置まで移動し得る。各フラップ５４８，５５０は、病院用ベッドにより支持された患者がベッドから出ようとして外方へフラップ５４８，５５０を押すのを防ぐべく、サイドレール２８２を超えて外に折り畳まれることがないように構成されている。
【０１８７】
他の実施形態のフットボードによれば、ベースとフラップ対が提供されている。ベースは中間フレームに結合され、マットレスの下端部に沿って延び、各フラップは、ベースの外表面に隣接する保管位置まで外向きに揺動するべくベースに枢軸旋回自在に結合されている。フラップを使用位置まで移動させるには、サイドレールを下降し、フラップをマットレスのそれぞれの側面に隣接する位置まで揺動する。その後にサイドレールを上昇し、それぞれのフラップを、マットレスのそれぞれの側面とそれぞれのサイドレールとの間に捕捉する。この捕捉により、ベッド内に位置づけされた患者がベッドから出ようとしてフラップを保管位置へ揺動することを防止する。かくして、患者がそれを通ってベッドから脱出できるような間隙はサイドレールとベースとの間に存在しない。
【０１８８】
フットボード５４０は、病院用ベッドからとり外し可能であり、図５３に示されているような内部位置に傾斜したサイドレール２８２上に位置づけされたときテーブルを形成する。サイドレール２８２上に位置づけされている間、ベース５４２は実質的に水平であり、例えばトレイ、飲み物容器、本又はその他の品物といったさまざまな品物を置くための表面を提供する。ベース５４２は、コップ又はその他の物体を保持するためのくぼみを含むように又は物体がベース５４２から離れて転がらないようにするための縁（lip)を構成するように形成されている。側部５４４，５４６は、フットボード５４０の横方向の運動を抑制する。フラップ５４８，５５０は、側部５４４，５４６より下に延びる位置に維持することもできるし、またフットボード５４０がテーブルとして使用されている間保管位置にしまい込むこともできる。
【０１８９】
選択的に取外し可能なヘッドボード５５２が図５４に示されている。ヘッドボード５５２は、デッキに取外し可能な形で結合された管状フレーム５５４及び管状フレーム５５４に対して摺動自在に結合された布製スクリーン５５６を含む。図５５に示されているように、布製スクリーン５５６は周辺近くで縫い合わされてスリーブ５５８を形成し、このスリーブ内に管状フレーム５５４の一部が位置づけされる。スクリーン５５６を清掃するか又は病室の装飾（例えばカーテン地、家具用布張り地、キルト掛け、シーツ又は病室内のその他の品物）と「マッチ」する他の布帛パターンと交換するには、管状フレーム５５４をデッキから上方に引張って取り外す。スクリーン５５６は、完全に取り外されるまで管状フレーム５５４に沿って摺動させる。次にスクリーン５５６を洗たくする。スクリーン５５６を管状フレーム５５４に戻すには、管状フレーム５５６の端部を各スリーブ５５８内に通し、図５４に示されているように管状フレーム５５６をとり囲むまでスクリーン５５６を管状フレーム５５６のまわりに摺動させる。その後、病院ベッドにヘッドボード５５２を再度設置するため、管状フレーム５５６のそれぞれの端部をデッキ内に挿入し戻す。本開示の他の実施形態によれば、取外し可能な布製スクリーンを有するフットボードが提供される。
【０１９０】
さらにもう１つの選択的取外し可能なフットボード５６０が図５６に示されている。フットボード５６０は、デッキから取外し可能であり、ベース５６２，一対の側部５６４，５６６及びそれぞれの側部５６４，５６６に枢軸旋回自在に結合された一対のサイドフラップ５６８，５７０を含む。サイドフラップ５６８，５７０は、デッキに結合された一対のサイドレール２８２と係合する側部５６４，５６６の延長部として機能する図５６に示されているような使用位置と図５７に示されているような側部５６４，５６６の外面内にしまい込まれた保管位置との間で移動自在である。ロック（図示されていない）が使用位置にサイドフラップ５６８，５７０をしっかり固定するために設けられる。図５８に示されているように、他の実施形態のフットボード５７４によれば、サイドフラップ５７６，５７８は、側部５８０，５８２の内面内にしまい込まれる。サイドフラップ５７６，５７８を使用位置にしっかり固定するためにストッパ（図示せず）が設けられる。サイドフラップ５６８，５７０，５７６，５７８は各々、垂直に延びるサイドレール２８２にそれぞれのベース５６２をしっかりと固定するために位置づけされた切欠きを含む。
【０１９１】
さらにもう１つの他の実施形態の取外し可能なフットボード５８４が、図５９及び６０に示されている。フットボード５８４は成形部品であり、上に物体を保持するためのくぼみを含むべく形成されたベース部５８６及び内方へ傾斜した一対のサイドレール５９２上に位置づけされた一対の傾斜側部５８８，５９０を含む。
【０１９２】
図６１に示されているように、フレーム８１２，フレーム８１２に結合されたデッキ８１４，デッキ８１４上に位置づけされたマットレス８１３，フレーム８１２に結合されたヘッドボード８１６，デッキ８１４に結合されたフットボード８１８，デッキ８１４に結合された一対のヘッド端サイドレール８２０及びフレーム８１２に結合された一対のフット端サイドレール８２２を含むもう１つの病院ベッド８１０が提供される。フレーム８１２は、床に対してデッキ８１４を上昇及び下降させ、デッキをトレンデレンブルグ位置及び逆トレンデレンブルグ位置へ移動させるように構成されている。
【０１９３】
図６２に示されているように、ベッド８１０は、ＣＰＲ応急ボード８３０，及び図６４に示されているようにボード８３０を取外し自在に収容できる寸法のポケット８３２を更に含む。必要な場合、介護人は、ＣＰＲ治療を患者に行う上で一助となるように、ポケット８３２からボード８３０をとり外し、患者の胴部の下にボード８３０を位置づけすることができる。
【０１９４】
ベッド８１０は、ポケット８３２を構成するヘッドボード８１６に結合されたＣＰＲボード保持部材又はストラップ８３４を含む。ストラップ８３４は好ましくは、鋼材又はその他のいずれかの剛性材料で作られており、ボード８３０の幅８４２よりもわずかに大きい距離８４０だけ離隔された第一及び第二側壁８３６，８３８を含む。ストラップ８３４は同様に、第一及び第二の側壁８３６，８３８間に延びかつ、必要なときにボードをポケット８３２から取外すことができるようにボード８３０の厚み８４８よりもわずかに大きい距離８４６だけヘッドボード８１６から離隔された第三側壁８４４を含む。
【０１９５】
図６３に示されているように、ヘッドボード８１６には、ベース部材８５２、及び介護設備を中心として病院ベッド８１０を容易に押すことができるようにするためにベース部材８５２に結合された一対のハンドル８５４が含まれる。ヘッドボード８１６はさらに、ボード８１０の上縁部より上に位置づけされた複数の制御ボタン８５６を含む。図８５〜８７に示され以下で詳細に記述する推進装置８５８を制御するために制御ボタン８５６が装備されている。
【０１９６】
図６５に示した通り、フレーム８１２は、矩形下部フレーム部材又はベース・フレーム８６０，一対のヘッド端車輪又はキャスター８６２，病院ベッド８１０を介護設備を中心にして転動するようにベース・フレーム８６０に結合された一対のフット端車輪又はキャスター８６３，矩形中間フレーム８６４，中間及びベース・フレーム８６４，８６０に結合されて、その間の相対的運動を可能にするリンク機構システム８６６，及びリンク機構システム８６６を作動させ、ベース・フレーム８６０に対して上部材８６４を移動させるための動力を提供するアクチュエータシステム（図示せず）を含む。リンク機構システム８６６及びアクチュエータシステムは、図８に示され上述されているリンク機構システム６５４及びアクチュエータシステム６５６と実質的に類似している。
【０１９７】
病院ベッド８１０はさらに、図６６及び６７に示されているように中空ベース・フレーム８６０を通って延びるキャスターブレーキリンク８７０を含むキャスタ制動システム８６８を含む。キャスタ制動システム８６８は、各キャスタ８６２，８６３を相互連結して、キャスタ８６２，８６３の同時制動を提供する。キャスタ８６２，８６３を同時に制動するために、介護人がフットブレーキペダル８７２，８７４の１つを踏むと、キャスタ制動システムはキャスタ８６２，８６３を転動しないようにロックする。
【０１９８】
図６６に示されているように、フットブレーキペダル８７２はキャスタ８６２から長手方向に距離８７６だけ離隔されている。フットブレーキペダル８７２はロッド８７８によりベース・フレーム８６０に結合されかつアーム８８０によりキャスタブレーキリンク８７０に枢軸旋回自在に結合されている。好ましい実施形態によれば、ロッド８７８は丸形である。他の実施形態によれば、ロッドは六角形である。
【０１９９】
フットブレーキペダル８７２が方向８８４に軸８８２を中心として回転している間、アーム８８０はキャスタブレーキリンク８７０に力を伝達する。キャスタブレーキリンク８７０はキャスタブレーキリンク８７０に枢軸旋回自在に結合されかつキャスタ制動システム８６８の六角ロッド８８８にしっかりと結合されたアーム８８６にこの力を伝達するべく、方向８７１に移動する。この回転は方向８８６に軸８９０を中心として六角ロッド８８８を回転させてキャスタ８６２をロックする。
【０２００】
本開示の好ましい実施形態によれば、方向８８４でのフットブレーキペダル８７２によるロッド８７８の反時計回りの回転がキャスタブレーキリンク８７０を方向８７１に移動させるように、ロッド８７８の下にキャスタブレーキリンク８７０が位置づけされている。同様にして、時計回り方向８６９でのロッド８７８の回転は、キャスタブレーキリンク８７０を方向８６７に、そして六角ロッド８８８を時計回り方向８６５に回転させてキャスタ８６８のロックを解除する。本開示の他の実施形態によれば、キャスタブレーキリンクは、方向８８２へのロッドの回転がキャスタブレーキリンクを方向８６７に移動させ、方向８６９へのロッドの運動がキャスタブレーキリンクを方向８７１に移動させるように、ロッドの上に位置づけされている。
【０２０１】
本開示のキャスタ制動システムに類似したキャスタ制動システムの付加的な記述は、本書に参考として特に含まれる「キャスター及び制動システム」の名称でMobley他により１９９９年３月５日に出願された米国特許出願第０９／２６３,０３９号において提供されている。本開示の他の実施形態によれば、同時ロック機能を伴う又は伴わないキャスタ制動及び／又はステアリングシステムの他の構成が、本開示のフットブレーキペダル及びキャスタブレーキリンクと共に使用する目的で提供される。
【０２０２】
キャスタブレーキリンク８７０は同様に、４つのキャスタ８６２，８６３全てを同時に制動するために他のキャスタ８６２，８６３に連結された他の六角ロッド８８８，８９２にフットブレーキペダル８７２の回転を伝達する。図６７に示されているように、リンク８７０は、フレーム部材８６０を通って連続的に延びかつ図６７に示されている六角ロッド８８０との結合と類似の方法で六角ロッド８９２に結合された部８９５を含む。従って、キャスタ８６２の六角ロッド８８８が回転軸８９０を中心に回転するときに、六角ロッド８９２は軸８９４を中心として回転する。キャスタ８６２，８６３のロックを解除するには、フットブレーキペダル８７２を方向８８４と反対の方向に回転して方向８９０とは反対の方向８９０に六角ロッド８８８を回転させ、キャスタ８６２のロックを解除する。キャスタブレーキリンク８７０は同様に、他の六角ロッド８８８，８９２に回転を伝達して全てのキャスタ８６２，８６３を同時に解放する。
【０２０３】
横方向に延びるロッド（図示せず）は、フット端キャスタ８６３のうちの１つのキャスタの六角ロッド８９２の回転をもう１つの六角ロッド８９２又はその他のフット端キャスタ８６３に伝達する。キャスタブレーキリンク８７０と同一であるもう１つのキャスタブレーキリンク（図示せず）が、ベース・フレーム８６０の反対側を通って延び、キャスタ８６２，８６３の同時ロック及びロック解除を提供するべく４つのキャスタ８６２，８６３全てに他のヘッド端ペダル８７２の回転が伝達されるように、六角ロッド８８８，８９２とロッド８７８を結合する。
【０２０４】
同様にして、キャスタブレーキリンク８７０は又、４つのキャスタ８６２，８６３全てにフットブレーキペダル８７４の回転を伝達する。フットブレーキペダル８７４は、図６１に示されているように、六角ロッド８９２に直接結合され、キャスタブレーキリンク８７０には、アーム８８６に類似したアーム（図示せず）によって結合されている。かくして、ブレーキペダル８７４が回転していずれかのキャスタ８６３をロック又はロック解除する場合、他のキャスタ８６２，８６３も同様にロック又はロック解除される。
【０２０５】
ブレーキペダル８７２は、ヘッドボード８１６の隣接して立った介護人がキャスタ制動システムを操作できるように位置づけされている。図６５に示されているように、ブレーキペダル８７２はベース・フレーム８６０のヘッド端に隣接して位置づけされたフィットパッド８７５を含む。ヘッドボード８１６の近くに身をおいた介護人は、ブレーキペダル８７２にアクセスするためにベッド８１０の側面まで移動する必要なく、パッド８７５を踏み込んでキャスタ８６２，８６３をロックすることができる。
【０２０６】
図６６に示されているように、ブレーキペダル８７２はキャスタ８６２から長手方向に離隔していることから、六角ロッド８８８の回転軸８９０はロッド８７８の回転軸８８２と六角ロッド８９２の回転軸８９４との間で長手方向に位置づけされる。かくして、アーム８８０，８８６間に位置づけされたキャスタブレーキリンク８７０の部は、ペダル８７２をキャスタ８６２から長手方向に離隔させることのできる延長部８９６である。本開示の一他の実施形態によれば、フット端ブレーキペダルは、ヘッド端ブレーキペダルと類似の方法でフット端キャスタから離隔されている。
【０２０７】
図６１に示されているように、フットボード８１８は、一対の湾曲端部９００及びこれらの湾曲端部９００との間に位置づけされた実質的平坦な中心部９０１を含む本体部材８９８を含む。端部９００は、介護設備を中心として病院ベッド１０を容易に押すことができるようにするハンドル部９０２を有する。ベッド８１０はさらに、ヒンジ９０６によって本体部材８９８の湾曲端部９００に枢軸旋回自在に結合された１対の隙間充填材９０４を含む。
【０２０８】
隙間充填材９０４は、患者が病院ベッドから間隙９０２を通って脱出するのを防ぐように、フット端サイドレール８２２とフットボード８１８との間に形成された間隙９０８への患者の移動を遮断する目的で設けられている。図７０に示されているように、隙間充填材９０４は、使用位置から保管位置まで各々の隙間充填材９０４を移動させるために方向９１４に旋回する。隙間充填材９０４を保管位置から使用位置まで移動するために、フット端サイドレール８２２をダウン保管位置まで下降させなくてはならず、それにより隙間充填材９０４は方向９０５においてマットレス８１３に隣接する位置まで自由に移動する。その後、フット端サイドレール８２２を上昇して、図６１に示されているようにマットレス８１３とフット端サイドレール８２２との間に閉じ込める。
【０２０９】
各々の隙間充填材９０４は、図６１に示されるように、隙間充填材９０４が保管位置にあるときフットボード８１８のハンドル部９０２により形成される開口部９３１と整列する開口部９３２を形成するハンドル部９３０をもつ本体部材９２８を含む。各々の本体部材９２８は、保管位置にあるときフットボード８１８の湾曲端部９００及び平坦部９０１を補完する、湾曲部９０３及びそれに結合された実質的に平坦な部９０５を含む。隙間充填材９０４を保管位置に移動させるには、サイドレール８２２を降下させてそれぞれの隙間充填材９０４を方向９１４において保管位置まで揺動させる。保管位置にあるとき、本体部材９２８の第一表面９０７は、フットボード８１８の外面９０９に隣接して位置づけされる。
【０２１０】
図６９に示されているように、フットボード８１８はさらに、好ましくはフック−ループ式材料で作られた第一の連結器９１０を含み、かつ各々の隙間充填材９０４はフットボード８１８の外面９０９に隣接する保管位置内に隙間充填材９０４を保持するために第一連結器９１０に整列する、同じく好ましくはフック−ループ式材料で作られた第二連結器９１２を含む。隙間充填材９０４が保管位置にあるとき、第二の連結器９１２は、隙間充填材９０４の第一の表面９０６がフットボード８１８の外面９０８に隣接する状態で、保管位置に隙間充填材９０４をしっかり固定するように第一連結器９１０に結合する。本開示の他の実施形態によれば、保管位置にあるときにフットボードに隙間充填材を結合するために、他の連結器が設けられる。例えば、他の実施形態によれば、スナップ、つなぎ材、タブ、保持器、磁石、締結装置及び当業者にとって既知のその他の連結器が使用される。
【０２１１】
隙間充填材９０４を使用位置まで戻すために、フット端サイドレール８２２をダウン保管位置まで移動し、かつ隙間充填材９０４の第二連結器９１２をフットボード８１８の第一連結器９１０との結合から解除する。隙間充填材９０４はヒンジ９０６を中心に方向９０５へ揺動し、それにより図７０に示されているようにその先端部９１６がマットレス８１３に隣接して位置づけされる。次に、フット端サイドレール８２２を、図６１及び７０に示されているように、それぞれのフット端サイドレール８２２とマットレス８１３との間に各々の隙間充填材９０４を捕捉するように上昇させる。
【０２１２】
図６８に示されているように、ヒンジ９０６は、第一の垂直軸９２０を中心として回転するようにピン９１８によりフットボード８１８に枢軸旋回自在に結合されている。ヒンジ９０６は、中にピン９１８が延びている１対のフランジ９２２，９２４、およびフランジ９２２，９２４間に延びる湾曲本体部９２６を含む。フットボード８１８は、第一垂直軸９２０を中心とする回転時にフランジ９２２，９２４が移動するための隙間を提供する一対のスロット９２３，９２５を含む。
【０２１３】
各々の隙間充填材９０４はさらに、隙間充填材９０４が第二垂直軸９３６を中心として回転できるように、それぞれのヒンジ９０６に各々の隙間充填材９０４を枢軸旋回自在に結合するヒンジプレート９３４を含む。ヒンジプレート９３４は、締結装置９３８により本体部材９２８に結合されている。かくして隙間充填材９０４は、保管位置にあるときにそれぞれの隙間充填材９０４がフットボード８１８の外面９０８に対しぴったりと載るように、２つの離隔した垂直軸９２０，９３６を中心に回転する。
【０２１４】
図７１に示されているように、各々のフット端サイドレール８２２は、複数のリンク機構９４０によりデッキ８１４に結合されたレール部材９３８を含む。レール部材９３８は、レール部材９３８のハンドレール部９４４の下に位置づけされた開口部９４２を含む。レール部材９３８は、２つの凸状端部部９４８，９５０とそれらの間に位置づけされた凹状部９５２を含む上縁部９４６を含む。デッキ及び中間フレームにフット端及びヘッド端ハンドレールを結合するのに適したリンク機構は、本書ならびに、その開示が本書に参考として特に含まれるWeismiller他による１９９８年１月１２日提出された「ベッドサイドレール」の名称の米国特許出願第０９／００５,６３９号の中で論述されている。
【０２１５】
各々のヘッド端サイドレール８２０は、複数のリンク機構９５６によってデッキ８１４に結合されたレール部材９５４を含む。レール部材９５４は、そのハンドレール部８５８より下に位置づけされた開口部９５７を含む。レール部材９５４は、フット端及びヘッド端サイドレール８２２，８２０間に間隙９６３を構成するべくフット端サイドレール８２２の端部部９４８から離隔した凹状側縁部９６２と上縁部９６０を含む。
【０２１６】
図７１に示されているように、上縁部９４６と側縁部９６２の端部９４８は各々、デッキ８１４の頭部又はセクション８２４の回転軸９６４に中心をおく実質的に均等な曲率半径９６５，９６７を有する。この構成により、間隙９６３は、図７３に示された位置に到達するまで頭部８２４が回転軸９６４を中心として時計方向９６８に回転するにつれて、実質的に一定に維持される。
【０２１７】
凹状部９５２は、上縁部９４６が実質的平坦である場合以上に、頭部８２４の回転軸９６４を中心とする回転を可能にする。凹状部９５２は、ヘッド端サイドレール８２０が図７３に示された位置に近づくときに、ヘッド端サイドレール８２０が移動するための隙間を提供する。かくして、凹状部９５２を有することにより、頭部８２４及びヘッド端サイドレール８２０は、間隙９６３がその他の形で閉鎖し始める前にさらに回転軸９６４を中心に回転できるようになる。現在好適な本開示の実施形態によれば、ヘッド端サイドレール８２０が図７３に示される以上にさらに時計回り方向９６８に回転することはない。
【０２１８】
凹状部９５２は、レール部材９５４の上縁部９６０及び側縁部９６２の接合部によって形成される凸状コーナー９５３を有する。ヘッド端サイドレール８２０が図７３に示されたようにその最上位置に位置づけれるときに、コーナー９５３は凹状部９５２から実質的に均等に離れる。かくして、凹状部９５２及びコーナー９５３は、その間に実質的に均等な間隙を維持する上で一助となる相補的な構造を構成する。
【０２１９】
凹状部９５２は、一対の傾斜部９６１，９６３及びそれらの間に位置づけされた湾曲部９６５を含む。本開示の他の実施形態によれば、凹状部は、切欠き入り形状、より浅い形状、より深い形状又は当業者にとっては既知のその他のあらゆる凹状形状である。本開示のもう１つの他の実施形態によれば、凹状部は、上昇位置にあるときにフット端サイドレールのヘッド端を収容するべくヘッド端サイドレール上に位置づけされる。
【０２２０】
ベッド８１０にはさらに、そのさまざまな機能を制御するために構成された制御システムが含まれる。図７４に示されているように、制御システムには、フット端サイドレール８２２から取り外されベッド８１０のさまざまな機能を制御するための無線遠隔制御装置としての役目を果たすように、フット端サイドレール８２２のレール部材９３８によって取外し自在に収容されるコントローラ９７０が含まれる。例えば、コントローラ９７０は、デッキ８１４の上昇及び下降を制御しかつデッキ８１４の頭部及び座部８２４及び８２６の動きを制御するように構成される。コントローラ９７０は同様に、患者に関係する情報を介護人から受取り、患者又はベッドに関するデータを記憶、追跡及び分析のために中央コンピュータに送受信するように構成される。
【０２２１】
本開示の他の実施形態によれば、コントローラは、マットレスの特長等のベッドの他の特長を制御するべく構成される。適切な電子部品及びコントローラの他の特長についての付加的な記述は、本書にその開示が参考として特に含まれる１９９８年４月２２日提出の「ベッド及びマットレス用手持ち式コントローラ」の名称に係る米国特許第６,００８,５９８号、及び本書にその開示が参考として特に含まれる２０００年５月５日提出の「病院ベッド用の遠隔制御装置」の名称に係る米国特許題６０／２０２,２８４号の中で提供されている。
【０２２２】
図７４に示されているように、コントローラ９７０は、ハウジング９７２，スピーカ及びマイクロホン９７２及びハウジング９７２の側壁９７８に結合された一対のボール式移動止め９７６を含む。フット端サイドレール８２２の各レール部材９３８は、図７４及び７５に示されているように、ボール式移動止め９７６を受ける構成の一対のくぼみ９８２及びポケット９８０を含む。
【０２２３】
ボール式移動止め９７６は、くぼみ９８へ適合するように外方へバネ付勢される。コントローラ９７０をレール部材９３８から除去するために、ユーザーがコントローラ９７０を引張ると、くぼみ９８２を形成する面９８３がバネ（図示せず）の付勢に対抗してボール式移動止め９７６を方向９７７，９７９において内方へ付勢してポケット９８０からのコントローラ９７０の取出しを可能にする。コントローラ９７０をいずれかのフット端サイドレール８２２に結合するためには、ボール式移動止め９７６をくぼみ９８２に整合させてポケット９８０内に押込み、この移動止めがバネによってくぼみ９８２へ押し込まれるまでポケット９８０を形成する表面９８１，９８３をバネの付勢に対して方向９７７，９７９において内方へボール式移動止め９７６を付勢する。
【０２２４】
ボール式移動止め９７６は同様に、各レール部材９３８にハウジング９７２を枢軸旋回自在に結合する。この結合によりユーザーは、ハウジンク９７２の下縁部９９３を上方に傾動させることによってコントローラ９７０のタッチ式制御スクリーン９８４を読み、マイクロホン９７４に向かって話すことがより容易になる。制御スクリーン９８４は、情報を表示しかつユーザーからのタッチ指令を受信するように構成されたタッチスクリーンである。本開示の他の実施形態によれば、ハウジングとレール部材間の連結器の他の構成が提供される。例えば、当業者にとって既知のフック、フック−ループ式ファスナ、スナップ、着脱自在のヒンジ又はその他の装置が、コントローラをサイドレールに取外し自在かつ／又は枢軸旋回自在に結合するの設けられる。適切なタッチ制御スクリーンの付加的な説明は、本書にその開示が参考として特に含まれるWeismiller他にに対する「チェアーベッド」の名称に係る米国特許第５,７１５,５４８号及びBorders に対する「手術室のテーブル及び表面用コントローラ」の名称に係る米国特許出願第０９／１８７,８２５号において提供されている。
【０２２５】
ハウジング９７２は、コントローラ９７０がポケット９８０内に位置づけされたときにコントローラ９７０及び面９８１，９８３が共働して図７３に示されているようなハンドホール９８９，９９１を形成するように、ポケット９８０の幅９８７よりも小さい幅９８５をもつ。コントローラを傾動させるか又は取外すために、介護人はその手又は指のいずれかをハンドホール９８９，９９１の１つに挿入してコントローラ９７０をつかむ。コントローラ９７０をつかんだならば、介護人は次にコントローラ９７０を上方に傾動させるか又はコントローラ９７０を引張り続け、ボール式移動止め９７６を押しコントローラ９７０をポケット９８０から取外すことができる。本開示の他の実施形態によれば、無線遠隔制御装置は、ヘッド端サイドレール，ヘッドボード又はフットボード等のベッド上の他のバリアに結合するように構成される。
【０２２６】
図７６−７８に示されているように、制御システムはさらに、頭及びフット端サイドレール８２０，８２２に取外し自在かつ摺動自在に結合するように構成された有線コントローラ９８６を含む。コントローラ９８６は、ハウジング９８８，ベッド８１０のさまざまな機能を制御するための複数の制御ボタン９９０及びベッド８１０上に位置づけされた人と介護人の間のコミュニケーションを容易にするためのスピーカー９９２及びマイクロホン（図示せず）を含む。
【０２２７】
コントローラ９８６は、ヘッド端サイドレール８２０のレール部材９５４の開口部９５７又はフット端サイドレール８２２のレール部材９３８の開口部９４２のいずれかの中に摺動するように構成されている。図７６に示されているように、コントローラ９８６は、第一位置（実線で示されている）と第二位置（破線で示されている）を含む無限数の位置間でレール部材９５４上を摺動するように構成されている。同様にして、コントローラ９８６は、第一位置（実線で示されている）と第二位置（破線で示されている）を含む無限数の位置間でレール部材９３８上を摺動するように構成されている。
【０２２８】
患者の体格は異なることから、１人の患者は、もう１人の患者に比べ、ヘッド端サイドレール８２０又はフット端サイドレール８２２のいずれかの上での利用可能な数多くの位置のうちの１つにコントローラ９８６を位置づけることがより便利であると思うかもしれない。かくして、さまざまな患者が、ヘッド端又はフット端サイドレール８２０，８２２のいずれかの上の無数の位置のうちのいずれかにコントローラ９８６を位置づけすることができる。その上、デッキ８１４の構成が変更された場合にコントローラ９８６の位置を調整する判断を患者が下すかもしれない。例えば、デッキ８１４の頭部８２４が上昇すると、患者はコントローラ９８６を位置づけし直したいと考えるかもしれない。
【０２２９】
図７７に示されているように、コントローラ９８のハウジング９８８は、ヘッド端サイドレール８２０のレール部材９５４の凸状面９９８，１０１０に対応する一対の離隔した凹状面９９４，９９６を含む。フット端サイドレール８２２は同様に、凹状面９９４，９９６に対応する凸状面１０１２，１０１４を含む。かくして、図７７に示されているように、コントローラ９８６の実質的部は、ベッド８１０の他の構成要素又は医療機器の他の部品への干渉を避けるためレール部材９５４内に位置づけされたときにコントローラ９８６がレール部材９５４の内面１０１７に比べて比較的低い断面形状を維持するように、レール部材９５４の中に位置づけされる。本開示の他の実施形態によれば、コントローラは、レール部材の内面からほとんど又は全く突出することがないように、レール部材内に形成された開口部の中にさらに位置づけされる。
【０２３０】
コントローラ９８６は、コントローラ９８６をいずれかの開口部９５４，９５７内に保持するように構成された４つの離隔されたタブ又は保持器１０１６（４つのタブ１０１６のうちの２つのみが図７７の中に見られる）を更に含む。各々のタブ１０１６は、ハウジング９８８の背面１０１８の４つのコーナー１０１５のうちの１つの近くに位置づけされ、凸状面９９８，１０１０，１０１２，１０１４のうちの１つと接触する先端部１０２０を有する。
【０２３１】
各タブ１０１６は可撓性であり、従って、患者が方向１０２２にコントローラ９８６を引張るときにタブ１０１６が内方へ撓んで先端部１０２０が凸状面９９８，１０１０，１０１２，１０１４の最も内側部の上に載ることができるようにし、かくしてタブ１０１６はもはやコントローラ９８６をそれぞれのサイドレール８２０，８２２内に保持しなくなる。コントローラをサイドレール８２０，８２２内に再設置するには、患者はコントローラを方向１０２４に押す。かくして凸状面９９８，１０１０，１０１２，１０１４の最も内側部上にタブが載り、タブ１０１６がコントローラ９８６をヘッド端及びフット端サイドレール内に保持するようになる。
【０２３２】
現在好適な本開示の実施形態によれば、タブ１０１６は、ゴム又はプラスチック材料等の可撓性材料で作られる。本開示の他の実施形態によれば、タブ又は保持器は、タブの先端部の運動を提供するべくハウジングに枢軸旋回自在に結合されている。本開示のもう１つの他の実施形態によれば、ヘッド端及びフット端サイドレール内にコントローラを取外し自在に保持するために、図７５に示されたようなボール式移動止めが設けられる。開示の他の実施形態によれば、サイドレール内にコントローラを保持するために、当業者にとっては既知のその他の保持器が使用される。
【０２３３】
凸状面９９８，１０１０，１０１２，１０１４のそれぞれの対はレール又はガイドを形成するべく共働し、凹状面９９４，９９６及びタブ１０１６は、ガイドに沿って載るように構成された相補的形態部を形成するように共働する。本開示の他の実施形態によれば、隆起したレール、チャンネル、スロット又は当業者に既知の他の構成のガイド及び相補的形態部等が提供されている。
【０２３４】
図７７に示されているように、コントローラ９８６は、コントローラ９８６に対して電気信号を送受信するコード１０３２を更に含む。図８２及び８４に示されているように、コード１０３２は、中間フレーム８６４に結合された２つのコネクタ１０３６，１０３８のいずれかに結合するコネクタ１０３４を含む。開示の好ましい実施形態によれば、コネクタ１０３６は図６１に示されているようにベッド８１０の第一側面１０３７に結合され、かつコネクタ１０３８は図８２及び図８４に示されているようにベッド８１０の反対側の第二側面１０３９に結合されている。ベッド８１０の電気的に制御されたさまざまな装置と通信するべく各コネクタ１０３６，１０３８には、複数のワイヤ１０４０が結合されている。好ましくは、各々の側面１０３７，１０３９からの複数のワイヤ１０４０が接合部（図示せず）で合致し、次に電気的に制御されたさまざまな装置まで延びている。
【０２３５】
２つのコネクタ１０３６，１０３８がベッド８１０の両側面１０３７，１０３９上に装備されることから、コントローラ９８６をベッド８１０のいずれの側面１０３７，１０３９にも差し込むことができる。かくして、患者又は介護人がベッド８１０の第一側面１０３７上のヘッド端及びフット端サイドレール８２０，８２２対の上にコントローラ９８６を位置づけすることがより便利であると考える場合には、マットレス８１３上にコード１０３２を張りめぐらす必要はなくコネクタ１０３６内にコントローラ９８６を差し込むことができる。同様にして、患者又は介護人が、ベッド８１０の第二側面１０３９上のヘッド端及びフット端サイドレール８２０，８２２対の上にコントローラ９８６を位置づけすることがより便利であると考える場合には、マットレス８１３上にコード１０３２を張りめぐらす必要なくコネクタ１０３６内にコントローラ９８６を差し込むことができる。かくして、ベッドのマットレス上にコントローラのコードを張りめぐらす必要なく、ベッドのいずれの側面にでも取外し自在に結合できるコード付きコントローラが提供される。
【０２３６】
図６１に示されているように、ベッド８１０はさらに、ペダル７５２に実質的に類似した複数のペダル１０４４を含む。ペダル１０４４は、デッキ８１４を上昇及び下降させるために及びデッキ８１４を移動させ、中間フレーム８６４に対して頭部８２４を傾動及び傾動解除させ、トレンデレンブルグ位置と逆トレンデレンブルグ位置間で中間フレーム８６４を移動させ、かつ中間フレーム８６４に対して座部８２６を傾動及び傾動解除させるために装備されている。
【０２３７】
前述のように、デッキ８１４には、中間フレーム８６４に対して傾動させることのできる複数の部又はセクション８２４，８２８，８２６が含まれている。頭部８２４は、ヘッドボード８１６に隣接して位置づけされ、図８２に示されているように中間フレーム８６４の上方に延びるフランジ８７３に枢軸旋回自在に結合されている。座部８２６も同様に、中間フレーム８６４の上方に延びるフランジ８７３に枢軸旋回自在に結合されている。足部８２６は、図７９−８１に示されているように、そのフット端にフットボード８１８を伴ってヒンジ１０４６により座部８２６に枢軸旋回自在に結合されている。座部及び足部８２６，８２８は、テーパーのついた端部８２５，８２７をもち、図８０に示されているように座部８２６に対する足部８２８の傾動時にその間に隙間を提供する。かくして、全ての部８２２，８２６，８２８は、中間フレーム８６４に対して旋回自在である。
【０２３８】
病院ベッド８１０は、中間フレーム８６４に対する座部及び足部８２６，８２８の及び座部８２６に対する足部８２８の自動的傾動を容易にする傾動機構１０４８をさらに含む。傾動機構１０４８は、中間フレーム８６４及び座部８２６に結合された傾動アクチュエータ１０５０及び足部８２８に取外し可能な形で結合され中間フレーム８６４に枢軸旋回自在に結合されたリンク１０５２を含む。中間フレーム８６４は、リンク１０３２が図７９及び８１に示されたロック位置と図８０に示されたロック解除位置間で移動可能であるように、リンク１０５２内の切欠き１０５６に受けられるピン１０５４を含む。これらの２つの位置は、座部８２６と足部８２８との間の２つの傾動モードを提供する。
【０２３９】
ロック位置にあるとき、リンク１０５２は、中間フレーム８６４と足部８２８との間に剛性リンクを提供する。傾動アクチュエータ１０５０が伸びるにつれて、座部８２６は、図８０及び８１に示されているように中間フレーム８６４に対して旋回する。リンク１０５２がロック位置にあり、傾動アクチュエータ１０５０が作動するときに、足部８２８は、図８１に示されたように中間フレーム８６４に対して上方に移動するが、実質的に水平配向を維持する。本開示の他の実施形態によれば、その他の配向が提供される。
【０２４０】
図８０に示されるように、リンク１０５２がピン１０５４から結合解除され、傾動アクチュエータ１２２が作動するときに、足部８２８は中間フレーム８６４に結合されたローラ１０５７を中心に回転し、かくして足部８２８の基端部は上昇し、足部８２８の先端部は下降する。かくして、足部８２８は、リンク１０５２がロック位置にあるときに図８１に示されているように実質的水平又はその他の位置を、またリンク１０５２がロック解除位置にあるとき中間フレーム８６４に対して図８１に示されるような傾動した又はその他の位置を維持するように座部８２６に対して移動可能である。
【０２４１】
本開示の他の実施形態によれば、上部又は他のフレーム部材に対するデッキの他のセクションの運動時に、デッキの他のセクションに対するデッキの足部又は他のセクションの２つの傾動モードを促進するために、リンク機構システムのその他の構成が提供される。かかるリンク機構システムは、付加的なリンク、ヒンジ、ケーブル、ブラケット、フランジ又は当業者に既知のその他の部材を含む。
【０２４２】
デッキ８１４は、マットレス８１３を支持するように構成されている。図８２に示されているように、セクション８２４，８２６，８２８は、デッキ１４の傾斜側壁３５８に類似した傾斜側面又は側壁１０５８を含む。デッキ８１４の頭部及び座部８２４，８２６は、それぞれの傾斜側壁１０５８に結合された水平フランジ１０６０，１０６２を含む。
【０２４３】
デッキ１４の頭部及び座部８２４，８２６は、そうでなければマットレス８１３中に付加的な発泡材を必要とすることになる、患者の体重によって撓む可撓性床又は底面を有していてベッド１０に対し付加的順応性を付与している。各部８２４，８２６は、図８２及び８３に示されているように締結装置１０６６により水平フランジ１０６０，１０６２に結合された可撓性パネル１０６４に含む。各々の締結装置１０６６は、図４４に示されているスロット４２４に類似したスロット１０６７を通って延びている。可撓性パネル１０６４に重量が加わるにつれて、これらのパネルは下方へ曲がり、その外縁部は内方へ引張られる。この動きによりパネル１０６４は約２インチ（約50.8cm)撓むことができる。可撓性パネル１０６４は、硬質熱硬化性樹脂によって接着された圧縮成形ガラスメッシュで作られている。好ましい可撓性パネルは、Premixにより提供される。他の実施形態によれば、その他の材料で作られた可撓性パネルが提供される。
【０２４４】
可撓性パネル１０６４は、病院ベッド８１０内に横たわる患者のＸ線撮影を容易にするためＸ線透過性である。その上、可撓性パネルは、デッキ８１４のふき取り又は清掃を容易にするために実質的にふき取り可能な面１０６５を有する。かくして、病院ベッド８１０内に位置づけされた患者をＸ線撮影できかつ比較的清掃が容易な平滑で可撓性かつＸ線透過性のデッキが提供される。本開示の他の実施形態によれば、パネルは剛性で粗いか又はＸ線不透過性である。
【０２４５】
図８２及び８３に示されているように、デッキ８１４は、頭部と座部８２４，８２６間に位置づけされたスピルガード１１８０を含む。スピルガード１１８０は、頭部又は座部８２６，８２４上に集まる体液又はその他の流体を捕捉するべく構成されている。これらの部８２４，８２６の傾動時に、これらの流体はパネル１０６４を下へ移動させ、下にあるベッド構成要素の汚染を防ぐためスピルガード１１８０上に集まる。
【０２４６】
スピルガード１１８０は、ゴム材料で作られ、Ｕ字形本体１１８２及び図８３に示されているようにそれに結合された一対のロッド収納スリーブ１１８４を含む。一対のロッド１１８６が、スリーブ１１８６を通って延び、側壁１０５８に結合されたサポート１１８８に結合される。図８２に示されているように、それぞれのパネル１０６４にスリーブ１１８４を結合するために、一対のつなぎ材１１９０が設けられている。
【０２４７】
デッキ８１４の足部８２８は、図８９及び９０に示されているように、第一及び第二長８２９，８３１をもつ第一及び第二位置間を移動するように伸張及び引込み可能である。足部８２８についての完全な記述は、本書にその開示が参考として特に含まれる１９９８年７月２２日提出の米国特許出願第０９／１２０,１２５号の中で開示されている。本開示の他の実施形態によれば、当業者にとっては既知のデッキのその他の構成が提供されている。
【０２４８】
図８８に示されているように、病院ベッド８１０は、マルチコンポーネントマットレス８１３を含む。マットレス８１３は、足部又は足セクション１０６８がかかと圧逃がし部１０７０を含むという点を除いて、図４０−４２に示されたマットレス１３と類似している。図８９−９１に示されているように、足部１０６８は、複数の長手方向を交互に横切るスロット１０７４及び伸張自在部１０７２のフット端に結合された発泡材端部部を含む上方及び下方へ対面する面１０７５，１０７７をもつ、調整可能な長さの又は引込み可能な発泡材部１０７２を含む。デッキ８１４の足部８２８が伸張するにつれて、横切るスロット１０７４の各々の幅が拡がって伸張を補償する。足部８２８が引込まれるにつれて、スロット１０７４は狭くなる。
【０２４９】
端部１０７６は、円筒形かかと圧逃がし部１０７０を収容できる寸法のキャビティ１０７８を含むように形成されている。好ましくは、かかと圧逃がし部１０７０は、キャビティ１０７８内に位置づけされたエア・ブラダー１０５９を含む。バルブ１０８２を含む空気供給源１０８０がブラダー１０５９に結合されている。本開示の好ましい実施形態によれば、空気供給源１０８０は、コンプレッサである。本開示の他の実施形態によれば、空気供給源はブロワ又は当業者にとっては既知のその他の空気供給源である。
【０２５０】
かかと圧力緩和部１０７０は、マットレス８１３上に位置する患者のかかとの下の圧力を緩和するように構成されている。例えば、使用時に患者のかかとは、図８９及び９０に示されているように部１０７０上に位置する。ここで圧力制御弁１０８２が第一位置から第二位置に移動し、エア・ブラダー１０５９の圧力降下を活性化して、患者のふくらはぎが下方脚の重量をより多く支えるまで患者のかかとを下降させるようにする。この移動は患者のかかとにかかる圧力量を軽減し、患者のかかとに床ずれが生ずる可能性を減少させる。かかと圧力の緩和がもはや必要なくなったならば、弁１０８２を第一位置に戻し、エア・ブラダー１０５９の圧力を増加し、患者のかかとを正常な位置に持ち上げる。
【０２５１】
本発明の別の実施形態によれば、かかと圧力緩和部の別の構成が提供される。例えば、本発明のある実施形態によると、実質的長方形のエア・ブラダーが提供される。別の実施形態によると、空洞は空になってかかと圧力緩和部のための凹みを提供する。本発明の別の実施形態によると、長さを調整できる発泡部よりもＩＬＤが小さい発泡部材が空洞に設けられ、患者のかかとのために圧力を緩和する。
【０２５２】
前述のように、デッキ８１４の足部８２８は長さ調整自在であって、第一長１０７１（図８９に示されているような）から第二長１０７２（図９０に示されているような）に動かすことができる。好ましくは、足部８２８の長さは、マットレス８１３上に位置する患者の身長に応じて、患者の足がフットボード８１８に隣接して位置するように調整される。例えば、図８９に示されているように、足部８２８は、身長の高い患者のかかとがフットボード８１８に隣接して位置するように伸ばされる。足部８２８は、もっと身長が低い患者の場合、かかとがフットボード８１８に隣接して位置するように、図９０に示されているように引っ込められる。このように、足部１０６８をマットレス８１３の他の部に対して動かして、部１０７０を患者のかかとの下に位置させることができる。
【０２５３】
患者のかかとはフットボード８１８に隣接して位置するので、患者のかかとは同様にかかと圧力緩和部１０７０の上に位置し、必要ならばかかと圧力の緩和が可能である。すなわち、本発明によると、かかと圧力の緩和が得られるように患者のかかとの下で動かすことができるかかと圧力緩和部が提供される。
【０２５４】
本発明の好ましい実施形態によると、足部８２８及びマットレス８１３の足部１０６８の長さは頭部８２４及びマットレス８１３の頭部の位置に対応している。例えば、図１１５に示されているように、頭部８２４を傾斜位置に上昇させると、デッキ８１４の足部８２８は自動的に距離１０７９だけ伸張する。頭部８２４を下げると、足部８２８は自動的に延びる前の位置へ戻る。マットレス８１３の足部１０６８の伸長と後退をデッキ８１４の頭部８２４の動きと対応させることによって、患者の足はかかと圧力緩和部１０７０の上に維持される。さらに、フットボード８１８を足の支え（foot prop）として用いる場合、頭部８２４を上げたり下げたりする間、患者の足はフットボード８１８に対して一定の距離に保たれる。
【０２５５】
本発明のこの好ましい実施形態によると、距離１０７９は、患者の身長や体重に係わりなく全ての患者に対して約４．０インチ（10．16cm）である。本発明の別の実施形態によると、個々の患者の詳細、例えば身長や体重、に応じて足部はこの距離よりも大きく又は小さく伸長する。
【０２５６】
足部８２８の動きを頭部８２４の動きに対応させるコントローラ１０８１が設けられている。患者又は介護者が頭部８２４を上昇させるためにコントローラ１０８１を作動させると、コントローラ１０８１は足部８２８を図１１５に示されている伸長した位置に動かすと同時に頭部８２４を図１１５に示されている位置に上昇させる。患者又は介護者が頭部８２４を下げるためにコントローラ１０８１を作動させると、コントローラ１０８１は頭部８２４を下げると同時に足部８２８を引っ込める。別の実施形態によると、足部の運動は、対応する頭部の運動に追従又は先行する。
【０２５７】
本発明のある好ましい実施形態によると、コントローラ１０８１は電気的であり、頭部及び足部に連結されたアクチュエータ（電気的、空気圧、油圧、等）の伸張を制御する。本発明の別の実施形態によると、コントローラは機械的であり、リンク、ケーブル、ベルト、その他の構成要素相互の運動を調整するための当業者には既知の構成要素を含む。
【０２５８】
本発明の好ましい実施形態によると、コントローラ１０８１は、頭部８２４の位置を検出するために構成された頭部センサー１０８３と、足部８２８の位置を検出するために構成された足部センサー１０８９を含む。コントローラ１０８１はセンサー１０８３，１０８９が供給する位置情報を用いて、足部８２８が頭部８２４の動きに応答して十分に大きく動く時を決定する。
【０２５９】
足部８２８がかかと圧力緩和部１０７０を患者のかかとの下に位置するように最初に調整されると、コントローラ１０８１はセンサー１０８３，１０８９によって検出された頭部８２４及び足部８２８の位置を最初の頭部及び足部基準点として記憶する。頭部８２４が上昇又は下降するときに、コントローラ１０８１は頭部８２４の運動の程度を最初の頭部基準点から決定し、足部８２８を足部基準点から比例する量だけ動かす。本発明の好ましい実施形態によると、センサーはポテンショメータである。本発明の別の実施形態によると、当業者に既知の他のセンサーが設けられる。
【０２６０】
好ましくは、足部８２６の自動的伸張は頭部８２４の角度の関数である。頭部８２４が最初の頭部基準点から高く持ち上げられるほど、足部８２６は最初の足部基準点から大きく伸ばされ、かかと圧力緩和部は頭部８２４の動きの全域にわたって連続的に患者のかかとの下に位置する。 頭部８２４が最初の頭部基準点から低く下げられるほど、足部８２６は最初の足部基準点から大きく引っ込められ、かかと圧力緩和部１０７０は頭部８２４の動きの全域にわたって連続的に患者のかかとの下に位置する。
【０２６１】
本発明の別の実施形態によると、マットレスの足部の長さを調整できる部の他の構成はかかと圧力緩和エア・ブラダーを設けることも設けないこともあり、例えば、他の構成は、発泡体、エア・ブラダー、流体ブラダー、の組み合わせ、及び当業者に既知のマットレス部の他の構成を含む。
【０２６２】
次に、図８５−８７を参照して説明すると、介護者がベッド８１０を介護施設で動かすのを助ける推進装置８５８が設けられている。推進装置８２８は、ベッドフレーム８１２のベース・フレーム８６０に結合された固定フレーム１０８４と、シャフト１０８５によって固定フレーム１０８４に回転自在に結合されたＵ字形の回転自在フレーム１０８６を含む。固定フレーム１０８４は、図８５に示されているように、間隔をおいた一対のプレート１０８８，１０９０と、プレート１０８８，１０９０との間に延伸したピボットロッド１０９２を含む。
【０２６３】
推進装置８５８はさらに、図８６に示されているように、一対のギアボックス１０９８，１１００によってＵ字形フレーム１０８６に結合された一対のモーター１０９４，１０９６と、シャフト１１１４によってＵ字形フレーム１０８６に回転可能に結合された車輪１１１２を含む。ギアボックス１０９８，１１００はシャフト１１１４に結合されてモーター１０９４，１０９６からの動力をそれに伝達する。
【０２６４】
図８６に示されているように、推進装置８５８が使用されないときには車輪１１１２は床１１１６から間隔があいている。推進装置８５８は別のピボットロッド１１２０によってピボットロッド１０９２及びギアボックス１０９８，１１００に結合されたアクチュエータ１１１８を含む。車輪１１１２を動かして床１１１６と接触させるためには、図８７に示されているように、アクチュエータ１１１８を伸ばして、ギアボックス１０９８，１１００、Ｕ字形フレーム１０８６及び車輪１１１２をシャフト１０８５のまわりで１１２２の方向に回転させる。車輪１１１２が床１１１６と接触したら、モーター１０９４，１０９６を作動させてギアボックス１０９８，１１００を介して車輪１１１２を駆動する。
【０２６５】
介護者がベッド８１０を所望位置に動かした後、アクチュエータ１１１８が引っ込むことによって車輪１１１２が上昇する。図８５に示されているように、推進装置８５８はさらに、Ｕ字形フレーム１０８６及び固定フレーム１０８４に結合された引張ばね１１２４を含む。車輪１１１２が下降するときに、ばね１１２４は伸びて張力を加える。この張力が車輪１１１２が上昇するときにアクチュエータ１１１８を助ける。
【０２６６】
図６２に示されているように、制御ボタン８５６は、推進装置８５８の動作を制御するように構成されたボタンのセット１１１１，１１１３，１１１５，１１１７を含む。ボタン１１１１は、推進装置８５８を可動させる又は不動にするように構成されたオン／オフ・ボタンである。ボタン１１１１をオン位置に動かすと、アクチュエータ１１１８が伸張して車輪１１１２が下降する。ボタン１１１１をオフ位置に動かすと、アクチュエータ１１１８が引っ込んで車輪１１１２が上昇する。ボタン１１１３は、車輪１１１２が回転する方向を制御する前進／後退ボタンである。ボタン１１１３を前進位置に動かすと、車輪１１１２が可動してベッド８１０を第一方向、すなわち、前進方向において押す方向へ回転する。ボタン１１１３を後退位置に動かすと、車輪１１１２は可動してベッド８１０を第二方向、すなわち、後退方向において押す方向へ回転する。
【０２６７】
ボタン１１１５は、車輪１１１２の回転の速度を調節するために構成された速度制御ボタンである。ボタン１１１５が高速位置にあるとき、車輪１１１２は第一速度、すなわち、高い速度で回転することが可能になる。ボタン１１１５が低速位置にあるとき、車輪１１１２は第二速度、すなわち、低い速度で回転することが可能になる。本発明の別の実施形態によると、速度制御ボタンは無数の設定が可能であり車輪動作速度に無限の可変性を付与するように構成される。
【０２６８】
ボタン１１１７は、車輪１１１２の回転を可能は不可能にするゴー／ノーゴー（go/no go)ボタンである。ボタン１１１７がゴー位置に動かされると、モーター１０９４，１０９６に電力が供給されて、車輪１１１２は指定された方向に指定された速度で回転する。ボタン１１１７がノーゴー位置に動かされると、モーター１０９４，１０９６から電力が切断される。ボタン１１１１がオン位置に動かないと、ボタン１１１７の位置に関係なくモーター１０９４，１０９６に電力は供給されない。
【０２６９】
本発明の好ましい実施形態によると、ボタン１１１１，１１１３，１１１５，１１１７からヘッドボード８１６を通って推進装置８５８まで延びるワイヤが設けられる。ヘッドボード８１６の下端に、ヘッドボード８１６とフレーム８１２の結合と分離を助けるコネクタ（不図示）がワイヤに設けられている。コネクタは、ヘッドボード８１６におけるワイヤの部とフレーム８１２上に位置する残りのワイヤとの間の結合を可能にしてヘッドボード８１６をフレーム８１２から外したり結合したりするときにこれらのワイヤの速やかな分離と再結合を容易にする。適当なコネクタについてのさらに詳しい記述は、Dixon他による１９９９年３月５日出願の「ベッド用患者位置検出装置」の名称に係るＵ．Ｓ．特許出願Ｎｏ．０９／２６４，１７４に与えられており、その記述は参照によって本明細書に特に取り入れられる。
【０２７０】
図９２に示されているように、別の病院ベッド１２１０が提供され、病院ベッド１２１０は、床に位置するフレーム１２１２と、フレーム１２１２に結合されたデッキ１２１４と、デッキ１２１４上に位置するマットレス１２１６と、フレーム１２１２に結合されたヘッドボード１２１と、デッキ１２１４と結合したフットボード１２１８と、デッキ１２１４に結合された一対のヘッド端サイドレール１２２０と、フレーム１２１２に結合された一対のフット端サイドレール１２３４を含む。フレーム１２１２はデッキ１２１４を床に対して昇降し、デッキ１２１４をトレンデレンブルグ位置及び逆トレンデレンブルグ位置へ移動させるように構成されている。
【０２７１】
図９２に示されているように、フレーム１２１２は、長方形のベース・フレーム１２３２，上方フレーム部材又は中間フレーム１２５２，中間フレームとベース・フレーム１２５２，１２３２に結合されてその間の相対運動を可能にするリンク機構シテスム１２５４，及び中間フレームに結合された長方形の検量（weigh）フレーム１２４８を含む。ベッド１２１０はさらに、ベース・フレーム１２３２に結合されて病院ベッド１２１０を介護施設で動かすことを可能にする複数の車輪又はキャスター１２５０と、リンク機構シテスム１２５４を作動させて中間フレーム１２５２と検量フレーム１２４８をベース・フレーム１２３２に対して動かすための動力を供給するアクチュエータシステム１２５６を含む。
【０２７２】
病院ベッド１２１０はさらに、病院ベッド８１０のキャスター制動システム８１６と実質的に同様なキャスター制動システムを含む。このキャスター制動システムは、中空ベース・フレーム１２３２を通って延びる一対のキャスター制動リンク１２５１を含む。キャスター制動システムは各キャスター１２５０を連結してキャスター１２５０の同時制動を可能にする。キャスター１２５０を同時制動するために介護者がフットブレーキペダル１２６３の一つを踏むと、キャスター制動システムがキャスター１２５０をロックして回転しないようにする。
【０２７３】
リンク機構１２５４は、ベース・フレーム１２３２のヘッド端１２４４に枢軸回転自在に結合され中間フレーム１２５２に摺動自在に結合されたヘッドリンク１２５８と、それぞれのヘッドリンク１２５８に枢軸回転自在に結合され固定ピボット点で中間フレーム１２５２に枢軸回転自在に結合された一対のヘッド端ガイドリンク１２３６と、ベース・フレーム１２３２に摺動自在に結合され中間フレーム１２５２に摺動自在に結合された一対のフットリンク１２６０と、それぞれのフットリンク１２６０に枢軸回転自在に結合され固定ピボット点で中間フレーム１２５２に枢軸回転自在に結合された一対のフット端ガイドリンク１２３６を含む。
【０２７４】
図９４及び９５に示されているように、リンク機構１２５４はさらに、中間フレーム１２５２に載っているローラー１２３８と、ローラー１２３８をヘッドリンク及びフットリンク１２５８，１２６０に結合してローラー１２３８をヘッドリンク及びフットリンク１２５８，１２６０に回転可能に結合するピン１２６１を含む。中間フレーム１２５２は、ローラー１２３８を受ける寸法の一対のチャンネル部材１２６８を含み、ベース・フレーム１２３０に対する中間フレーム１２５２の昇降時にヘッドリンク及びフットリンク１２５８，１２６０の中間フレーム１２５２に沿った摺動を可能にする。
【０２７５】
リンク機構１２５４はまた、図９５に示されているように、フット端リンク１２６０のそれぞれの下端に結合されたピン１２４３を受ける寸法のスロット１２４１を含むプレート１２３９を含む。中間フレーム１２５２のベース・フレーム１２３２に対する運動時にピン１２４３はスロット１２４１内で摺動して、リンク機構１２５４の拘束を防止するのに役立つ余剰自由度を与える。
【０２７６】
ヘッド端ガイドリンク１２３６は、ヘッドリンク１２５８の動きを制限して、ヘッドリンク１２５８と中間フレーム１２５２の間のピボット点が水平方向に動かずに垂直方向に動くように拘束する。この制限は、中間フレーム１２５２を上げたり下げたりするときに中間フレーム１２５２のベース・フレーム１２３２に対する水平運動を妨げる。この拘束運動によって、中間フレーム１２５２が、上方及び下方位置間での運動時にアーチを描くことを阻止し、それにより中間フレーム１２５２は間隙としての付加的病院スペースを必要とすることなく昇降できる。同様に、フット端ガイドリンク１２６２は、フットリンク１２６０の動きを制限して、フットリンク１２６０と中間フレーム１２５２との間のピボット点が水平方向に動かずに垂直方向に動くように拘束する。同様な動きに関するさらに詳しい記述はベッド１０のフレーム１２に関して上述の説明から知見できる。
【０２７７】
アクチュエータシステム１２５６は、中間フレーム１２５２を上げたり下げたりするのに必要な力と動力を供給する。アクチュエータシステム１２５６は、ヘッドリンク１２５８と中間フレーム１２５２に結合されたヘッドリンクアクチュエータ１２６４と、フットリンク１２６０と中間フレーム１２５２に結合されたフットリンクアクチュエータ１２６６を含む。アクチュエータ１２６４は、ヘッドリンク１２５８間に延びてその各々と固く結合された横支柱１２５９と固く結合した伸長リンク１２７５によってヘッドリンク１２５８に結合される。
【０２７８】
同様に、アクチュエータ１２６６は、フットリンク１２６０間に延びてその各々と固く結合された横支柱１２５７と固く結合した伸長リンク１２７７によってヘッドリンク１２５８に結合される。横支柱１２５９，１２５７は、ヘッド及びフットリンク１２５８，１２６０のそれぞれの同時的な動きを調整する。
【０２７９】
ピン１２６１は、アクチュエータ１２６４，１２６６を伸長リンク１２７５，１２７７に枢軸回転自在に結合するために設けられている。ローラー１２３８もピン１２６１に結合されて、アクチュエータ１２６４，１２６６の作動時に伸長リンク１２７５，１２７７と横支柱１２５９，１２５７、及びヘッド及びフットリンク１２５８，１２６０の動きをガイドする。
【０２８０】
アクチュエータ１２６４，１２６６は、中間フレーム１２５２に対するヘッドリンク及びフットリンク１２５８，１２６０の角度位置を調整して中間フレーム１２５２のヘッド端及びフット端を上げたり下げたりできるようにするための伸張自在長を有する。アクチュエータ１２６４，１２６６の各々は、好ましくは電気的線形アクチュエータであって、それぞれのシリンダー・ボディ１２６７，シリンダー・ロッド１２６９，及びシリンダー・ロッド１２６９をシリンダー・ボディ１２６７に対して完全に伸張した位置から完全に引っ込んだ位置まで、その間の無数の位置への伸縮のために作動するモーター１２７１を有する。シリンダー・ロッド１２６９は各々それぞれの伸長リンク１２７５，１２７７にピン１２６１によって枢軸回転自在に結合され、モーター１２７１は各々、例えば図９４に示されているように、中間フレーム１２５２に含まれる支柱１３２２，１３２４に枢軸回転自在に結合される。
【０２８１】
各モーター１２７１は、ベース・フレーム１２３２に結合された電源１２８１に電気的に結合される。電源１２８１は、電池（不図示）とプラグ（不図示）を含む。ベッド１２１０が壁のアウトレットに近い位置にあるときは、プラグを壁のアウトレットに差し込んでモーター１２７１やその他のベッド１２１０の機能を作動させたり電池を充電するための電力を得る。壁のアウトレットから電源のプラグが引き抜かれると、電池がベッド１２１０に必要な作動電力を供給する。
【０２８２】
アクチュエータ１２６４，１２６６は、Louisville, Kentucky のＬＩＮＡＫ  Ｕ．Ｓ．Ｉｎｃ．から入手できる。各アクチュエータ１２６４は、回転運動とモーター１２７１のパワーを直線運動とシリンダー・ロッド１２６９のパワーに変換するパワーねじ（不図示）を含む。シリンダー・ロッド１２６９に結合されたねじナット（不図示）が設けられている。ねじナットはシリンダー・ボディ１２６７に位置しているパワーねじに係合する。モーター１２７１は、パワーねじを一方向に回してねじナットをモーター１２７１から離れる方向に押してシリンダー・ロッド１２６９を伸ばし、パワーねじを反対方向に回してねじナットをモーター１２７１の方へ引いてシリンダー・ロッド１２６９を引っ込める。本発明の別の実施形態によると、電気的又は空気的な制御装置を備えた空気圧アクチュエータ、電気的又は油圧的な制御装置を備えた油圧アクチュエータ、リンクを備えたモーター、プーリー、又はケーブル、など他の形態のアクチュエータ、又は当業者に既知の他の形態の直線的又は非直線的なアクチュエータ、が設けられる。
【０２８３】
ヘッド及びフットリンク・アクチュエータ１２６４，１２６６が同時に各アクチュエータが伸張するように作動すると、中間フレーム１２５２はベース・フレーム１２３２から離れるように上昇する。 ヘッド及びフットリンク・アクチュエータ１２６４，１２６６が同時に各アクチュエータが引っ込むように作動すると、中間フレーム１２５２はベース・フレーム１２３２の方へ下降する。アクチュエータ１２６４，１２６６の両方がほぼ同じ速度で伸びたり引っ込んだりすると、中間フレーム１２５２は概ね水平配向を維持し、ベース・フレーム１２３２に対して外方又は内方に“揺動する”ことはない。
【０２８４】
ヘッドリンク・アクチュエータ１２６４が作動し、フットリンク・アクチュエータ１２６６が一定長に維持されているときに、中間フレーム１２５２は、図５にベッド１０に関して示されているようなトレンデレンブルグ位置に移動して中間フレーム１２５２のヘッド端１２５３は下降し中間フレーム１２５２のフット端１２５５は少し上昇する。フットリンク・アクチュエータ１２６６が作動し、ヘッドリンク・アクチュエータ１２６４が一定長に維持されているときに、中間フレーム１２５２は、逆トレンデレンブルグ位置に移動して、中間フレーム１２５２のフット端１２５５は下降し中間フレーム１２５２のヘッド端１２５３は少し上昇する。
【０２８５】
図９５及び９６に示されているように、中間フレーム１２５２はヘッド及びフットリンク・アクチュエータ１２６４，１２６６の両方が作動することによって下降する。フットリンク・アクチュエータ１２６６の長さが縮小するにつれて、フットリンク１２６０と中間フレーム１２５２との間の角度が縮小し、中間フレーム１２５２のフット端１２５５が下降する。ヘッドリンク・アクチュエータ１２６４の長さが縮小するにつれて、ヘッドリンク１２５８と中間フレーム１２５２の間の角度が増加し、中間フレーム１２５２のヘッド端１２５３が下降する。
【０２８６】
ヘッド及びフットリンク・アクチュエータ１２６４，１２６６の長さが縮小し続けると、中間フレーム１２５２は、例えば図９６に示されているように、上方位置から下方位置へ下降し続ける。ヘッドリンク・アクチュエータ及びフットリンク・アクチュエータ１２６４，１２６６は、それぞれの長さが実質的に同じ速度で縮小するので、中間フレーム１２５２は、図９５に示されているような上方位置から図９６に示されているような下方位置へ移動する間、実質的水平に維持される。上方フレーム１２５２を上方位置に戻すために、ヘッドリンク・アクチュエータ及びフットリンク・アクチュエータ１２６４，１２６６は同時に、各アクチュエータ１２６４，１２６６が図９５に示されているような元の長さに戻るまで、伸張している。
【０２８７】
リンク機構シテスム１２５４とアクチュエータ・システム１２５６はまた、共働して中間フレーム１２５２をトレンデレンブルグ位置へ動かす。中間フレーム１２５２をトレンデレンブルグ位置へ動かすには、ヘッドリンク・アクチュエータ１２６４が長さを縮小して中間フレーム１２５２とヘッドリンク１２５８との間の角度が増加するようにする。中間フレーム１２５２のヘッド端１２５３が下降しかつフットリンク・アクチュエータ１２６６の長手が実質的一定を維持して、中間フレーム１２５２の回転ピボット点を提供する。中間フレーム１２５２が回転するときに、中間フレーム１２５２のフット端１２５５は少し上昇する。中間フレーム１２５２を上方水平位置に戻すために、ヘッドリンク・アクチュエータ１２６４の長手は以前の長さに戻るまで伸張する。
【０２８８】
アクチュエータ・システム１２５６とリンク機構１２５４はまた、共働して中間フレーム１２５２を、図９２に示されているような逆トレンデレンブルグ位置へ移動させる。中間フレーム１２５２を逆トレンデレンブルグ位置へ移動させるために、フットリンク・アクチュエータ１２６６の長さが縮小して中間フレーム１２５２とフットリンク１２６０との間の角度が増加しかつ中間フレーム１２５２のフット端１２５２が下降するようにする。中間フレーム１２５２がヘッドリンク１２５８を中心に旋回するようにヘッドリンク・アクチュエータ１２６４の全長は実質的一定を維持する。中間フレーム１２５２が旋回するときに、中間フレーム１２５２のヘッド端１２５３は、中間フレーム１２５２のフット端１２５５が下降するにつれて少し上昇する。中間フレーム１２５２を上方水平位置に戻すために、フットリンク・アクチュエータ１２６６の長さは以前の長さに戻るまで伸張する。
【０２８９】
図９３に示されているように、中間フレーム１２５２は矩形検量フレーム１２４８によって囲まれている。矩形フレーム１２４８は、一対の間隔をあけて長手方向に延びる部材１３１０，１３１２と、各々長手方向に延びる部材１３１０，１３１２と結合している一対の横切る方向に延びる部材１３１４，１３１６を含む。
【０２９０】
中間フレーム１２５２は、一対の長手方向に延びる部材１３１８，１３２０と、各々長手方向に延びる部材１３１８，１３２０と結合している一対の横方向に延びる部材１３２２，１３２４を含む。図９３に示されているように、ロードセル部材１３２６，１３２８，１３３０，１３３２が横切る方向に伸びている部材１３２２，１３２４それぞれの各端に結合されている。ロードセル１３３４，１３３６，１３３８，１３４０が各ロードセル部材１３２６，１３２８，１３３０，１３３２に結合されている。図９３及び９５に示されているように、検量フレーム１２４８の横切る方向に延びる部材１３１４，１３１６はそれぞれロードセル１３３４，１３３６，１３３８，１３４０によって支持されている。
【０２９１】
検量フレーム１２４８及び検量フレーム１２４８によって支持される全てのもの、例えば、デッキ１２１４，マットレス１２３０，及び患者、の重量はロードセル１３３４，１３３６，１３３８，１３４０に伝達される。この重量は、そこに支えられる全重量を決定するために検出されるロードセル１３３４，１３３６，１３３８，１３４０の特徴を偏向又は変化させる。検量フレーム１２４８、デッキ１２１４，マットレス１２３０，及び検量フレーム１２４８で支持される他のベッド構成要素の既知の重量を差し引くことによって、ベッド１２１０に位置する患者の重量を決定することができる。ロードセル及び患者の重量、ベッドにおける位置、その他のロードセルによって得られる標示を決定する方法についてのさらに詳しい記述は、「ロードセル装置」の名称でMobley他により２０００年９月２６日に出願された米国特許出願Ｎｏ．０９／６６９，７０７にあり、その開示は参照によって本明細書に特に組み込まれる。本発明の別の実施形態によると、患者の重量や患者に関するその他の情報を決定するためにロードセル又は当業者に既知の他の装置を用いる他の構成及び方法が提供される。
【０２９２】
図９３に示されているように、中間フレーム１２５２はさらにロードセル部材１３２６，１３２８，１３３０，１３３２に結合した部材１３４２，１３４４，１３４６，１３４８と、それぞれの横切る部材１３２２，１３２４及びそれぞれの部材１３４２，１３４４，１３４６，１３４８に結合されたプレート部材１３５０，１３５２，１３５４，１３５６を含む。図９３に示されているように、ヘッド及びフット・ガイドリンク１２３６，１２６２は、それぞれのプレート部材１３５０，１３５２，１３５４，１３５６に枢軸回転自在に結合されてヘッド及びフット・ガイドリンク１２３６，１２６２と中間フレーム１２５２との間の枢軸回転自在な結合を提供する。
【０２９３】
図９４に示されているように、中間フレーム１２５２の長手方向に延びる部材１３１８，１３２０は、横切る方向に伸びている部材１３２２，１３２４の底側及びプレート部材１３５０，１３５２，１３５４，１３５６の外側に結合されたそれぞれの上方部１３５８，１３６０，１３６２，１３６４と、それぞれの上方部１３５８，１３６０，１３６２，１３６４に結合された工程部１３６６，１３６８，１３７０，１３７２と、それぞれの工程部１３６６，１３６８，１３７０，１３７２に結合された下方部１３７４，１３７６を含む。図９４に示されているように、長手方向に延びる部材１３１８，１３２０の下方部１３７４，１３７６は、検量フレーム１２４８の長手方向に延びる部材１３１０，１３１２よりも低い高さに位置している。
【０２９４】
中間フレーム１２５２はさらに、下方部１３７４，１３７６間で横切る方向に延びる支柱１３７８と、アクチュエータ１２６４，１２６６のシリンダー・ボディ１２６９上に位置するヨーク１３８０を含む。ヨーク１３８０は、ファスナー１３８２によって横切る方向に延びる支柱１３７８に結合されて、アクチュエータ１２６４，１２６６のシリンダー・ボディ１２６９をその間に挟持する。
【０２９５】
中間フレーム１２５２はまた、図９４に示されているように、横切る方向に延びる部材１３２２，１３２４とチャンネル部材１２６８に結合された部材１３８４，１３８６を含む。チャンネル１２６８は部材１３８４，１３８６の底側及び横切る方向に延びる支柱１３７８の上側に結合されており、チャンネル部材１２６８は検量フレーム１２４８の長手方向に延びる部材１３１０，１３１２よりも低い高さに位置している。
【０２９６】
図９３に示されているように、アクチュエータ１２６４のモーター１２７１は横切る方向に延びる部材１３２２に結合されており、アクチュエータ１２６６のモーター１２７１は横切る方向に延びる部材１３２４に結合されている。図９５に示されているように、アクチュエータ１２６４，１２６６は検量フレーム１２４８の上面の高さよりも下に位置している。
【０２９７】
図９６に示されているように、中間フレーム１２５２のある部は中間フレーム１２５２が最も低い位置にあるときベース・フレーム１２３２の内部に入る。図９３に示されているように、中間フレーム１２５２の長手方向に延びている部材１３１８，１３２０によって画定される外幅１３１１は、ベース・フレーム１２３２の長手方向に伸びている部材１３１５，１３１７間の内幅１３１３よりも小さい。検量フレーム１２４８は長手方向に延びている部材１３１０，１３１２によって画定される外幅１３１９を有し、それはベース・フレーム１２３２の外幅１３２１と実質的に等しい。長手方向に伸びている部材１３１８，１３２０の下方部１３７４，１３７６は検量フレーム１２４８の下に延び、ベース・フレーム１２４８の長手方向に延びている部材１３１５，１３１７よりも接近しているので、中間フレーム１２５２の下方部１３７４，１３７６は、最も低い位置にあるときに、ベース・フレーム１２４８の内部にある。
【０２９８】
ベッド１２１０はさらに、アクチュエータ１２６４，１２６６及びベッド１２１０の他の種々の構成要素と機能を制御する制御システムを含む。図９７に示されているように、この制御システムは、フット端サイドレール１２３４によって脱着可能に受け入れられ、フット端サイドレール１２３４の一方から取り外してフット端サイドレール１２３４の他方に結合してベッド１２１０のいろいろな機能を制御することができるコントローラ１４１２を含む。コントローラ１４１２は、デッキ１２１４の上げ下げを制御し、デッキ１２１４の他の部又はセクションの動きを制御するように構成される。コントローラ１４１２は、また、患者に関連した介護者からの情報を受け取り、患者又はベッドに関するデータを記憶し、追跡し、分析するために中央コンピュータと送受信できる構成である。
【０２９９】
本発明の別の実施形態によると、コントローラはベッドの他の特徴、例えばマットレスの特徴、を制御するように構成される。適当なエレクトロニクス及びコントローラの他の特徴についてのさらに詳しい記述は、「チェア・ベッド」の名称で１９９５年８月４日に出願された米国特許第５，７１５，５４８号；「ベッド及びマットレス・アセンブリーのための手持ちコントローラ」の名称で１９９８年４月２２日に出願された米国特許第６，００８，５９８号；「病院ベッド通信及び制御装置」の名称で１９９７年１月１日に出願された米国特許第６，１３１，８６８号；及び「病院ベッド用リモート・制御」の名称で２０００年５月５日に出願された米国暫定出願Ｎｏ．６０／２０２，２８４、に見られ、これらの開示は参照によって本明細書に特に取り入れられる。
【０３００】
図９７に示されているように、ベッド１２１０は、フット端サイドレール１２３４の一つにコントローラ１４１２を脱着可能に取り付けるために構成された脱着可能なコントローラ・マウント１４１４を含む。ベッド１２１０はさらに、図９９に示されているように、他のフット端サイドレール１２３４に取り付けられるように構成された脱着可能なカバー１４１５を含む。コントローラ１４１２とカバー１４１５を含む脱着可能なコントローラ・マウント１４１４は交換可能である。例えば、コントローラ１４１２をベッドの片側から他側へ移すには、コントローラ１４１２とカバー１４１５を含む脱着可能なコントローラ・マウント１４１４をそれぞれのフット端サイドレール１２３４から取り外し、反対側のフット端サイドレール１２３４との間で入れ換えて、反対側のフット端サイドレール１２３４に結合して交換を完了する。したがって、もしも病院やその他の部屋におけるベッド１２１０の向きがコントローラ１４１２を利用するのにアクセスが不便な場合、コントローラ１４１２をベッドの片側から他側に移してアクセスし易くすることができる。
【０３０１】
コントローラ１４１２は、ハウジング１４１６と、複数の制御・ボタン１４１８と、ＬＥＤディスプレー１４１９と、ハウジング１４１６をコントローラ・マウント１４１４に結合するロッド１４２０を含む。図９７と９８に示されているように、コントローラ・マウント１４１４は、コントローラ１４１２を受けるように構成されたポケット１４２２を含む。本発明の別の実施形態によると、ディスプレーはＬＣＤ、プラズマ、又は当業者に既知の他のディスプレーである。
【０３０２】
ロッド１４２０は、ハウジング１４１６をコントローラ・マウント１４１４に枢軸回転自在に結合する。この結合によって、ユーザーはハウジング１４１６の下端１４２４を上方へ傾動することによって制御・ボタン１４１８を見やすくできる。本発明の別の実施形態によると、ハウジングとコントローラ・マウントとの結合器の他の形態が提供される。例えば、フック、フック−ループ型ファスナー、スナップ、脱着可能な蝶番、その他当業者に既知のデバイスがコントローラをサイドレールに枢軸回転自在に又はその他の方法で結合するために提供される。
【０３０３】
ハウジング１４１６は、幅がポケット１４２２の幅より小さく、したがって図９７に示されているように、コントローラ１４１２がポケット１４２２内にあるとき、コントローラ１４１２と面１４３０，１４３２は共働してハンドホール１４３４，１４３６を画定する。コントローラ１４１２を傾動するには、介護者はその手又は指のいずれかをハンドホール１４３４，１４３６の一つに差し込んでコントローラ１４１２をつかむ。コントローラ１４１２をつかんだら、介護者はコントローラ１４１２を上方に傾動させることができる。
【０３０４】
図９７に示されているように、各フット端サイドレール１２３４はコントローラ・マウント１４１４の本体１１４２を受けることのできる寸法のポケット１４３８を含む。脱着可能なコントローラ・マウント１４１４は、ポケット１４２２を画定する周囲フランジ１４４０と本体１４４２を含む。フット端サイドレール１２３４は、コントローラ・マウント１４１４がそれぞれのフット端サイドレール１２３４に結合されてサイドレール１２３４の外面１４１７が周囲フランジ４４０の外面１４２１と同一面になったときに周囲フランジ１４４０が載置されるエッジ又はショルダー１４４４を含む。
【０３０５】
図９８に示されているように、本体１４２２は上壁１４２３と、上壁１４２３から離隔した底壁１４２５と、上壁１４２３と底壁１４２５との間で延びた一対の側壁１４２７，１４２９と、上壁、底壁、及び側壁１４２３，１４２５，１４２７，１４２９に結合された背壁１４３１を含む。上壁、底壁、側壁、及び背壁１４２３，１４２５，１４２７，１４２９，１４３１は共働してポケット１４２２を画定する。周囲フランジ１４４０は上壁、底壁、及び側壁１４２３，１４２５，１４２７，１４２９に結合される。
【０３０６】
コントローラ・マウント１４１４とパネル１４１５の本体１４４２とフランジ１４４０は、二つのフット端サイドレール１２３４のどちらにも取り付けられるように構成され、上述のように、コントローラ１４１２を最初は一方のフット端サイドレール１２３４に取り付け、あとで他方のフット端サイドレール１２３４に移すことができる。例えば、フランジ１４４０とパネル１４１５は、フット端サイドレール１２３４のどちらかのエッジ１４４４上に適合するように垂直軸に対して対称的である。パネル１４１５がそれぞれのフット端サイドレール１２３４に結合されると、図１００に示されているように、フット端サイドレール１２３４の外面１４１７はパネル１４１５の外面１４３３と同一面になる。
【０３０７】
図１００に示されているように、サイドレール１２３４は上壁１４３５と、上壁１４３５から離隔した底壁１４３７と、上壁１４３５と底壁１４３７との間に延びた一対の側壁１４３９，１４４１と、上壁、底壁、及び側壁１４３５，１４３７，１４３９，１４４１に結合された背壁１４４３を含む。上壁、底壁、側壁、及び背壁１４３５，１４３７，１４３９，１４４１，１４４３は共働してポケット１４３８を画定する。エッジ１４４４は上壁、底壁、及び側壁１４３５，１４３７，１４３９，１４４１と隣接して位置する。
【０３０８】
図９８及び１００に示されているように、各フット端サイドレール１２３４は締結具１４５０を受け入れる構成の一対のねじ切した締結具受け開口部１４４８を含み、締結具１４５０はコントローラ・マウント１４１４の本体１４４２の背壁１４３１における締結具受け開口部１４５２へ延びて、コントローラ・マウント１４１４をそれぞれのフット端サイドレール１２３４に脱着可能に結合する。脱着可能なカバー１４１５は、同様に、締結具受け開口部１４４８に延びる締結具１４６０を受けるカバー１４１５をどちらかのフット端サイドレール１２３４に脱着可能に結合できるように構成された締結具受け皿穴開口部１４５８を含む。本発明の別の実施形態によると、コントローラ・マウントをフット端サイドレールに脱着可能に又はその他の方法で結合するための他の形態の締結具、例えば、スナップ、タブ、ラッチ、フック、フック−ループ型ファスナー、ねじ、ボルト、リベット、接着剤、又はその他の当業者に既知の結合形態が提供される。
【０３０９】
コントローラ１４１２及び各サイドレール１２３４は、コントローラ１４１２をどちらかのサイドレール１２３４に電気的に結合したり切り離したりするのを容易にするように構成されている。各フット端サイドレール１２３４は電気的結合器１４５４を含み、コントローラ１４１２もフット端サイドレール１２３４の個別電気的結合器１４５４に結合されるように構成された対応する電気的結合器１４５６を含む。電気的結合器１４５４は、コントローラ１４１２がそれぞれのサイドレール１２３４に結合されたときにコントローラ・マウント１４１４の上壁１４２３とサイドレール１２３４の上壁１４３５との間に形成されるスペース１４４５内に位置する。
【０３１０】
電気的結合器１４５４は、好ましくは本体と複数個のプラグを含む雄プラグ・コネクタである。各プラグはフット端サイドレール１２３４を通って中央のコントローラ又はプロセッサー及びベッド１２１０のいろいろな電気的構成要素に延びる複数のワイヤ１４６６の一つに対応する。同様に、電気的結合器１４５６は、好ましくは雌プラグ・コネクタであって、本体と複数個のソケットを含み、ソケットはコントローラ・ハウジング１４１６へ延びそれを通ってボタン１４１８からの指令を受けてディスプレー１４１９へデータを出力するように構成された回路盤１４７４へ延びる複数のワイヤ１４７２の一つに対応する。結合器１４５６の各ソケットは、対応する結合器１４５４のプラグを受けてそれぞれのサイドレール１２３４のワイヤ１４６６とコントローラ１４１２のワイヤ１４７２との間の電気的結合を可能にするような寸法である。電気的結合器１４５４，１４５６は、対応するプラグとソケットの正しい配向を保証するように標示されていることが好ましい。
【０３１１】
コントローラ１４１２を一方のフット端サイドレール１２３４から他方へ移すには、コントローラ１４１２を旋回させて締結具１４５０にアクセスできるようにする。次に、締結具１４５０を取り外して、コントローラ・マウント１４１４そしてコントローラ１４１２をフット端サイドレール１２３４から分離する。コントローラ１４１２の電気的結合器１４５６をサイドレール１２３４の電気的結合器１４５４から分離することによりコントローラ１４１２はサイドレール１２３４から電気的に分離する。同様に、締結具１４６０が他方のフット端サイドレール１２３４から取り外され、カバー１４１５がそれから分離される。
【０３１２】
次に、コントローラ・マウント１４１４とコントローラ１４１２とカバー１４１５は反対側のサイドレール１２３４に移される。そして、電気的結合器１４５４がそれぞれのサイドレール１２３４の電気的結合器１４５６に結合され、締結具１４５０が締結具受け開口部１４４８に螺合されてコントローラ・マウント１４１４とコントローラ１４１２がサイドレール１２３４に結合される。同様に、締結具１４６０がそれぞれのサイドレール１２３４の締結具受け開口部１４４８に螺合されてカバー１４１５がサイドレール１２３４に結合される。
【０３１３】
本発明の別の実施形態によると、コントローラ・マウントとコントローラはベッド上の他のバリア、例えばヘッド端サイドレール、ヘッドボード、又はフットボード、に結合するように構成される。本発明の別の実施形態によると、各ベッドに複数のコントローラ・マウントがコントローラと共に設けられる。
【０３１４】
コントローラ１４１２はさらに、図１０１に示されているインターフェース・パネル２０２０を含む。インターフェース・パネル２０２０は、複数の入力制御・ボタン膜１４１８と複数の状態インジケータ２０００を含み、これらは回路盤１４７４に電気的に結合されて、ベッド１２１０の外にいる人がコントローラ１４１２を用いてベッド１２１０のいろいろな特徴の動作−デッキ１２１４の操作、患者秤量機能の動作、患者位置監視システムの可能化、コード付患者ペンダント・コントローラ１４７６のロックアウト、ナースコール信号の送出、及び／又はテレビジョン、ラジオ等の娯楽装置のロックアウト等を制御することを可能にする。好ましい実施形態では、状態インジケータ２０００はインターフェース・パネル２０２０に電気的に結合されたＬＥＤ’ｓである。本発明の別の実施形態によると、ベッド又は遠隔装置の他の機能がコントローラによって制御される。
【０３１５】
本発明の好ましい実施形態によると、ボタン１４１８のいくつかはキー・制御・ボタン２０７０が最初に押された後でしか作動しない。これによってベッド１２１０のいくつかの機能が偶発的に活性化されたり不活性化されたりすることが防がれる。
【０３１６】
図１０１に示されているように、キー・制御・ボタン２０７０が最初に押された後でしか作動しない患者位置監視ボタン２０９０，２０９２，２０９４が設けられている。介護者又は患者がキー・制御・ボタン２０７０を最初に押さずにボタン２０９０，２０９２，２０９４のいずれかを押した場合、ボタン２０９０，２０９２，２０９４は押されたことに対して応答しない。本発明の別の実施形態によると、他のボタンもキー・制御・ボタン２０７０が最初に押された後でしか作動しない 。
【０３１７】
患者監視ボタン２０９０，２０９２，２０９４は、患者がベッド１２１０に対して位置を変えたときに介護者に通報する患者監視システムの活性化を制御する。ボタン２０９０，２０９２，２０９４の一つが選択されたとき、それぞれの他のボタン２０９０，２０９２，２０９４は自動的に選択から外される。
【０３１８】
ボタン２０９４は、患者がベッド１２１０から出たときに「脱出」状態を検出する位置監視システムの活性化を制御する。ボタン２０９４を押して脱出状態の監視を活性化すると、ボタン２０９４に隣接するそれぞれインジケータ２０００が点灯する。それ以外では、ボタン２０９４に隣接する個別インジケータ２０００はオフになっている。脱出状態が検出されると、目と耳へのアラームが作動して介護者に患者がベッド１２１０から脱出したことを通報する。
【０３１９】
ボタン２０９２は、患者が主にベッド１２１０のエッジに体重をかけているとき、例えば患者がベッド１２１０の縁に座っているときに「脱出直前」状態を検出する位置監視システムの活性化を制御する。ボタン２０９２を押して脱出直前状態の監視を活性化すると、ボタン２０９２に隣接するそれぞれインジケータ２０００が点灯する。それ以外では、ボタン２０９２に隣接する個別インジケータ２０００はオフになる。脱出直前状態が検出されると、目と耳へのアラームが作動して介護者に患者がベッド１２１０の縁に移動したことを通報する。さらに、脱出状態が検出された場合もアラームは作動する。
【０３２０】
ボタン２０９０は、患者の胴体がデッキ１２２６の頭部１４８７上の位置からデッキ１２２６の他部上の位置に移動すると「患者アップ」状態を検出する位置監視システムの活性化を制御する。ボタン２０９０を押して患者アップ状態の監視を活性化すると、ボタン２０９０に隣接するそれぞれインジケータ２０００が点灯する。それ以外では、ボタン２０９０に隣接する個別インジケータ２０００はオフになっている。患者アップ状態が検出されると、目と耳へのアラームが作動して介護者に患者がアップ状態に移動したことを通報する。さらに、脱出直前及び脱出状態が検出された場合もアラームは作動する。
【０３２１】
この三つの患者位置検出機能のいずれかをオン又はオフにするには、最初にキー・コントロール・ボタン２０７０を押さなければならない。キー・コントロール・ボタン２０７０が押されると、介護者は所定時間のうちに個別ボタン２０９０．２０９２，２０９４を押してそれぞれの患者位置検出機能をオン又はオフにするか又は別の患者位置検出機能を選択しなければならない。介護者が所定時間内に特定の患者位置検出機能をオン又はオフに転換しないか、または別の患者位置検出機能を選択しない場合には、ボタン２０９０．２０９２，２０９４は作用せず、キー・コントロール・ボタン２０７０を再び押さなければならない。介護者が所定の時間内にボタン２０９０．２０９２，２０９４の一つを押すと、そのボタンはオンからオフに、又はオフからオンに切り換わり、それに応じて個別インジケータ２０００が点灯するか又は消灯する。本発明の別の実施形態によると、この所定の時間は１０秒である。
【０３２２】
患者監視システムが上記状態の一つを検出したときに鳴る音声アラームの音量を介護者が制御するためにアラーム・コントロール・ボタン２０９６，２１００とボリューム・インジケータ２０９８が設けられている。アラーム・ボタン２０９６はアラームの音量を制御する。ボリューム・インジケータ２０９８は複数個のＬＥＤ’ｓから成り、それらが選択された音量レベルに応じて点灯する、すなわち、選択された音量が大きいほど、多くのＬＥＤ’ｓが点灯する。ユーザーが音量を上げようと思う場合、アラーム・ボタン２０９６を所望音量に達するまで繰り返し押す。音量を下げるには、アラーム・ボタン２０９６をピーク音量に達するまで繰り返し押す。ピーク音量に達した後、続けてアラーム・ボタン２０９６を押すとアラームの音量は最低の音量に達するまで漸次減少する。最低の音量に達した後に、続けてアラーム・ボタン２０９６を押すとアラームの音量は漸次増加する。アラーム・コントロール・ボタン２１００は音声アラームをオフにする。
【０３２３】
空気圧膨張システムの機能を制御する膨張システム・ボタン２２００，２２０２，２２０４，２２０６，２２０８が設けられている。オン／オフ・ボタン２２００は、膨張システムをオン又はオフにする。最大膨張ボタン２２０２はマットレス・ゾーンを所定空気圧レベルに膨張させてＣＰＲ治療を促進する。かかとゾーン・ボタン２２０４，２２０６，２２０８は、かかと圧力緩和のためにマットレス１２３０のいろいろなかかとゾーンに対応するエア・ブラダーの膨張又は収縮を可能にする。かかとゾーン・ボタン２２０４，２２０６，２２０８の一つが選択されると、対応するかかと圧力緩和エア・ブラダーが収縮してかかと圧力が緩和される。個別ボタン２２０４，２２０６，２２０８が選択から外されると、対応するかかと圧力緩和エア・ブラダーが膨張して圧力が正常な動作圧力になる。各ボタン２２０４，２２０６，２２０８に隣接する個別インジケータ２０００は現在どのかかと圧力緩和エア・ブラダーが収縮しているかを表示する。
【０３２４】
フット伸張・後退ボタン２２１０，２２２０は足部１５９０を伸張又は後退させてベッド１２１０のフットボード１２１８の位置を患者の足の位置に対して調整することを可能にする。足部１５９０を伸張するには、フットボード１２１８が所望位置に達するまで伸張ボタン２２１０を押す。足部１５９０を後退させるには、所望の位置に達するまで後退ボタン２２２０を押す。
【０３２５】
チェアー・ボタン２２２６，２２２８は、チェアー位置とベッド位置との間でデッキ１２２６の位置の調整を制御するために設けられている。ベッド１２１０をチェアー位置の方へ動かすには、所望程度のチェアー位置に達するまでチェアー・ボタン２２２６を押す。ベッド１２１０をベッド位置の方へ動かすには、所望程度のチェアー位置が排除されるまで、又はベッド１２１０がベッド位置に達するまでチェアー・ボタン２２２８を押す。
【０３２６】
ＴＶボタン２２２４は、テレビジョン又はその他の娯楽システムの制御を可能かつ不可能（ロックアウト）にする。ナースコール・ボタン２０５０を押すと、患者が注意を必要としていることを表示する信号がナースステーションに、又は直接に所定介護者に送られる。
患者ペンダント・ボタン２２３０は、コード付患者ペンダント・コントローラ１４７６の特定機能を有効かつ無効（ロックアウト）にする。ボタン患者ペンダント・ボタン２２３０を押すことによって、ヘッド・アップ及びニー・アップ（knee up）機能を制御するコントローラ１４７６の制御機能が有効にされたり無効にされたりする。ボタン２２３０を一回押すことによって、コントローラ１４７６のヘッドアップ・コントロールが無効にされ、ニーアップ・コントロールは有効に維持される。ペンダント１４７６のヘッドアップ・コントロールが無効になると、文字“ＨＥＡＤ”に隣接する個別インジケータ２０００が点灯する。ボタン２２３０が二回目に押されると、コントローラ１４７６のニーアップ・コントロールが無効にされ、ヘッドアップ・コントロールが有効にされる。ペンダント１４７６のニーアップ・コントロールが無効になると、文字“ＫＮＥＥ”に隣接する個別インジケータ２０００が点灯する。ボタン２２３０を三回目に押されると、コントローラ１４７６のヘッドアップ・コントロールとニーアップ・コントロールが両方共無効にされ、個別インジケータが両方共点灯する。ボタン２２３０が四回目に押されると、コントローラ１４７６のヘッドアップ・コントロールとニーアップ・コントロールが両方共有効にされ、個別インジケータがオフになる。コントローラ１４７６の制御を有効にしたり無効にしたりすることによって、介護者は、コントローラ１４７６にアクセスできる患者が偶発的にベッド１２１０を操作することを、そのような操作が望ましくない場合に防ぐことができる。
【０３２７】
インターフェース・パネル２０２０の検量システム・パネル２２４２は、複数のボタンとＬＥＤディスプレー１４１９を含み、それによって介護者は患者検量機能を用いて患者の重量を計測することができる。検量システム・パネル２２４２はオン／オフ・ボタン２２３２によって有効にされたり無効にされたりする。単位選択ボタン２２３４は、介護者が体重測定の単位としてポンドとキログラムのどちらかを選択することを可能にする。ＬＥＤディスプレー１４１９は、患者の体重と選択された測定単位を表示する。
【０３２８】
校正ボタン２２３６、項目変更ボタン２２３８、項目追加ボタン２２４０、及び項目削除ボタン２２４２が、介護者が患者の体重を測定するシステムを校正するために設けられている。例えば、患者をベッド１２１０に載せる前に、校正ボタン２２３６を押して重量の読取値を０００．０ｌｂｓ／ｋｇにセットして、マットレス１２３０，デッキ１２２６，及びその他のベッド構成要素、又は医療設備の一部、初期重量を重量読取値から引いておく。こうして、患者がベッド１２１０上にいるときに患者の体重だけが表示されるようになる。
【０３２９】
もしも重量読取値に影響があるベッド構成要素、又は医療設備の一部がベッド１２１０に追加又は除去された場合、項目変更ボタン２２３８、項目追加ボタン２２４０、及び項目削除ボタン２２４２を用いて追加の重量又は削除される重量を考慮に入れる。例えば、医療設備の一部、例えばＩＶポール、がベッド１２１０に追加される場合は項目変更ボタン２２３８と項目追加ボタン２２４０を押して、その医療設備の一部を追加して検量システムが検出した追加重量を測定された重量から差し引いてＩＶポールの追加重量がディスプレー１４１９で表示される重量に現れないようにする。同様に、医療設備の一部がベッド１２１０から除去される場合、項目変更ボタン２２３８と項目削除ボタン２２４２を押して、その医療設備の一部を除去して検量システムが検出した除去重量を測定された重量に加えて、除去された医療設備による重量減少がディスプレー１４１９で表示される重量に現れないようにする。
【０３３０】
モーター・パワー、ベッド・ノット・ダウン(bed not down)、又は必要サービス等の様々なベッド状態機能に関する光ＬＥＤインジケータ２０８０もインターフェース・パネル２０２０に含まれる。アクチュエータ１２６６，１２６８へのパワーがオフになっているときに、「Ｍｏｔｏｒ  Ｐｏｗｅｒ  Ｏｆｆ」の標示に隣接する個別インジケータ２０８０が点灯する。アクチュエータ１２６６，１２６８へのパワーがオンになっているとき、この個別インジケータ２０８０はオフになる。中間フレーム１２５２が最も低い位置にないとき、「Ｂｅｄ  Ｎｏｔ  Ｄｏｗｎ」の標示に隣接する個別インジケータ２０８０が点灯する。中間フレーム１２５２が最も低い位置にあるとき、この個別インジケータ２０８０はオフになる。ベッド１２１０があるコンポーネントを点検する必要があると検出すると、「Ｓｅｒｖｉｃｅ  Ｒｅｑｕｉｒｅｄ」の標示に隣接する個別インジケータ２０８０が点灯する。構成要素がサービスを必要とすることをベッド１２１０が検出しない場合には、この個別インジケータ２０８０はオフになる。
【０３３１】
図１０２に示されているように、制御システムはさらに、ヘッド端サイドレール及びフット端サイドレール１２２０，１２３４に脱着自在にかつ摺動自在に結合される、ベッド８１０のコントローラ９８６と同様なコード付ペンダント・コントローラ１４７６を含む。ペンダント・コントローラ１４７６は、ハウジング１４７８と、ベッド１２１０のいろいろな機能を制御する複数の制御ボタン（不図示）と、ベッド１２１０上に位置する人と介護者間のコミュニケーションを助けるスピーカーとマイクロホン（不図示）と、回路ボード１４８６を含む。
【０３３２】
コントローラ１４７６は、ヘッド端サイドレール１２２０の開口１４８８又はフット端サイドレール１２３４の開口１４９０のいずれかで、コントローラ９８６について図７６と７８に示されている運動と同様に無数の位置間で摺動するように構成されている。
【０３３３】
患者の体格は異なるので、ある患者はヘッド端サイドレール１２２０又はフット端サイドレール１２３４の多くの利用できる位置のうちで、他の患者と異なる一つの位置にコントローラ１４７６を配置するのが便利であると思うであろう。このように、ベッド１２１０上に位置する個々の患者の好みによって、いろいろな患者がヘッド端サイドレール１２２０又はフット端サイドレール１２３４の無数の位置のどこにでもコントローラ１４７６を配置できる。さらに、デッキ１２１４の形態が変化すると患者はコントローラ１４７６の位置を調整しようとするかもしれない。例えば、デッキ１２１４の頭部又は頭セクションが持ち上げられると、患者はコントローラ１４７６を特定のサイドレール１２２０，１２３４に沿って再配置したり、コントローラ１４７６を取り外して別のサイドレール１２２０，１２３４に取り付けたりしたいと思うかもしれない。
【０３３４】
図１０２に示されているように、コントローラ１４７６のハウジング１４７８は、ヘッド端サイドレール１２２０のレール部材１５０６の凸面１４９６，１４９８に対応する第一段付凹面１４９２と第二凹曲面１４９４を含む。フット端サイドレール１２３４は、凹面１４９２，１４９４に対応するも凸面１５１０，１５１２を含む。図１０２に示されているように、コントローラ１４７６の実質的な部がレール部材１５０６の内部にあるので、コントローラ１４７６がレール部材１５０６に位置するときコントローラ１４７６はレール部材１５０６の内面１５１４と比較して相当に低い輪郭を維持して、ベッド１２１０の他の構成要素、又は医療設備の他の部に対する干渉を回避する。本発明の別の実施形態によると、コントローラはレール部材に形成された開口部中にさらに深く配置されるのでコントローラはレール部材の内面からほとんど又は全く突出しない。
【０３３５】
サイドレール１２２０，１２３４の凸面１４９６，１４９８，１５１０，１５１２の各対は共働して、ガイドを形成するトップ・レールとボトム・レールを形成する。凹面１４９２，１４９４と保持器１５１６は共働してトップ・レール及びボトム・レール／ガイドに沿って動くように構成された相補的形態を形成する。本発明の別の実施形態によると、レールとガイド及び相補的形態の他の構成が、例えば、高いレール、チャンネル、スロット、その他の当業者に既知のガイド及び相補的形態の構成が提供される。
【０３３６】
コントローラ１４７６はさらに、コントローラ１４７６をどちらかの開口部１４９０，１４８８に保持して、サイドレール１２２０，１２３４に沿ったコントローラ１４７６の摺動を可能にし、開口部１４９０，１４８８からコントローラ１４７６を取り外すことを可能にする保持器１５１６を含む。コントローラ１４７６がフット端サイドレール１２３４の開口部１４９０に位置するときに、保持器１５１６はハウジング１４７８の凹面１４９６に隣接した位置にある。
【０３３７】
保持器１５１６は、ハウジング１４７８に形成された孔１５２０を通るばね付勢された保持器又はラッチ部材１５１８を含み、患者がコントローラ１４７６を１５２２の方向に引くと保持器部材１５１８が内方へ押され、保持器部材１５１８の先端１５２４が凸面１４９６の最も内部の上に載り、保持器１５１６はもはやコントローラ１４７６をそれぞれのサイドレール１２２０，１２３４に保持しなくなる。
【０３３８】
コントローラ１４７６を再びサイドレール１２２０，１２３４に取り付けるには、患者は第二凹面１４９４をヘッド端サイドレール１２２０のレール部材１５０６の凸面１４９８に隣接する位置にして、ハウジング１４７８の最先端１４９５がそれぞれのレール部材１５０６を捕捉するようにする。コントローラ１４７６の下端が参照番号１５２６の方向に押されると、保持器部材１５１８が凸面１４９６の上に載る。この時、最先端１４９５と保持器部材１５１８は開口部１４８８の幅１４９９よりも大きな幅１４９７を形成して、コントローラ１４７６がヘッド端サイドレール１２２０に保持されるようにする。同じ手順に従って、コントローラ１４７６がフット端サイドレール１２３４の開口部１４９０から取り外されかつ取り付けられる。さらに、コントローラ１４７６は開口部１４８８の反対側からレール部材１５０６に結合することもできる。本発明の別の実施形態によると、ヘッド及びフット端サイドレールの開口部はサイドレールを貫通していない。
【０３３９】
図１０２と１０３に示されているように、ハウジング１４７８は一対のマウント１５２０を含み、保持器部材１５１８がそれに枢軸回転自在に結合されている。ハウジング１４７８はさらに、ばねマウント１５２２を含み、保持器１５１６はさらに、ばねマウント１５２２と保持器部材１５１８との間に位置する付勢器（biaser）又はばね１５２４を含む。図１０２に示されているように、ばね１５２４は保持器部材１５１８を参照番号１５２７の方向において凸面１４９６に向けて付勢する。本発明の別の実施形態によると、他の付勢器、例えば、ねじりばね、保持器部材が片持ちばりで可撓性のもの、又は当業者に既知の他の形態の付勢器、が提供される。
【０３４０】
保持器部材１５１８は、図１０３に示されているように、マウント１５２０に枢軸回転自在に結合される本体部１５２８と，ハウジング１４７８の孔１５２０を通るように位置決めされた湾曲形ラッチ部１５３０と、一対のストッパ又はタブ１５３２を含む。湾曲形ラッチ部１５３０は、凸面１４９６に載る傾斜面１５３４を含む。タブ１５３２は、外幅が孔１５２０の幅よりも大きく保持器部材１５１８が図１０２と１０３に示されているより大きく回転するのを防止する。
【０３４１】
本発明の別の実施形態によると、ヘッド及びフット端サイドレールにコントローラを脱着自在に保持するために、図７５に示されているようなボール戻り止め保持器が設けられる。本発明のさらに別の実施形態によると、コントローラをサイドレールに保持するために当業者に既知の他の保持器、タブ、クラスプ、キャッチ、ロック、他のラッチ、クランプ、ピン、ボルト、バー、掛け金（hasp）、フック、又は当業者に既知の他の保持器が設けられる。
【０３４２】
図１０４に示されているように、第一及び第二凹面１４９２，１４９４は、サイドレール１２２０，１２３４の凸面１４９６，１４９８，１５１０，１５１２に適合するインデックスが付けられ、コントローラ１４７６を上下逆向きに挿入することを防止する。各面１４９２，１４９４は長手方向にカーブして、ヘッド端サイドレール及びフット端サイドレール１２２０、１２３４の開口部１４８８，１４９０の長手方向の輪郭に実質的に適合するようになっている。例えば、下面１４９２は曲率半径１４８３を有し、これはヘッド及びフット端レール１２２０、１２３４の下面１４９６，１５１０の曲率半径１４８１に適合する。同様に、上面１４９４は曲率半径１４８９を有し、これはヘッド及びフット端レール１２２０、１２３４の上面１４９８，１５１２の曲率半径１４８５に適合する。患者又は介護者がコントローラ１４７６をどちらかの開口部１４８８，１４９０に上下逆向きに挿入しようとすると、コーナー１５４０，１５４２がコントローラ１４７６の開口部１４８８，１４９０への挿入を遮断する。
【０３４３】
サイドレール１２２０，１２３４の凸面１４９６，１４９８，１５１０，１５１２の曲率により、開口部１４８８，１４９０もカーブしている。コントローラ１４７６がこのカーブした面に沿って摺動すると、図１０４に示されているように、それはサイドレール１２２０，１２３４の長手軸に対して長手方向と横方向の両方の要素１５３９，１５４１を有する通路に従う。
【０３４４】
図１０２に示されているように、コントローラ１４７６はさらに、電気信号をコントローラ１４７６へ、かつコントローラ１４７６から伝達するコード１５４４を含む。コード１５４４は、検量フレーム１２４８の二つのコネクタ１５４６，１５４８のいずれかに結合するベッド１２１０のコネクタ１０３４と同様なコネクタ（不図示）を含む。本発明の好ましい実施形態によると、コネクタ１５４８は図９２に示されているようにベッド１２１０の第一側に結合され、コネクタ１５４６は図１０９に示されているようにベッド１２１０の反対の第二側に結合されている。各コネクタ１５４６，１５４８に複数のワイヤ（不図示）が結合されてベッド１２１０の様々な電気的に制御された装置と通信するようになっている。これらの複数のワイヤがある接合部、例えば中央のコントローラ又はプロセッサーで集合して、さらに種々の電気的制御装置へ延びることが好ましい。
【０３４５】
二つのコネクタ１５４６，１５４８がベッド１２１０の反対側に設けられているので、コントローラ１４７６はベッド１２１０のどちらの側にでもプラグを差し込むことができる。したがって、患者又は介護者がコントローラ１４７６をベッド１２１０の第一側のヘッド端サイドレール及びフット端サイドレール１２２０、１２３４の対に配置することがより便利であると判断した場合には、コントローラ１４７６のプラグをコネクタ１５４６に差し込むことでコード１５４４をマットレスの上に張らなくてもよくなる。同様に、患者又は介護者がコントローラ１４７６をベッド１２１０の第二側のヘッド端サイドレール及びフット端サイドレール１２２０、１２３４の対に配置することがより便利であると判断した場合、コントローラ１４７６のプラグをコネクタ１５４８に差し込むことでコード１５４４をマットレスの上に張らなくてもよくなる。このように、ベッドのマットレス上にコントローラのコードを張ることなくベッドのどちら側にも脱着自在に結合できるコード付コントローラが提供される。
【０３４６】
図１０５に示されているように、ベッド１２１０の制御システムはさらに、複数の足操作コントロール１５５５を含む足操作制御アセンブリ１５５４を含む。足操作コントロール１５５５は、デッキ１２１４の上げ下げ、検量フレーム１２４８に対する頭部１４８７の上げ下げ、及び検量フレーム１２４８のトレンデレンブルグ位置と逆トレンデレンブルグ位置間での移動を制御するために設けられる。足操作コントロール１５５５はまた、ベッド１２１０をＣＰＲモードにするために設けられる。ＣＰＲモードにあるとき、マットレス１２３０は所定最大圧力まで膨張してＣＰＲを行うための堅い表面を提供し、デッキ１２２６の頭部１４８７は上昇している場合にはフラット位置まで下降し、デッキ１２２６の座部１５５７は上昇している場合にはフラット位置まで下降する。
【０３４７】
各足操作コントロール１５５５は上記機能の一つと関連しており、それぞれの機能について適切にラベル表示されたペダル又は制御部材１５５６を含む。足の先端でどれかのペダル１５５６を踏む、又はどれかのペダル１５５６を上げることによって、ベッド１２１０のこれらの機能の一つが活性化する。ペダル１５５６を放すと、ペダルは自動的に付勢されてニュートラル位置に戻り、その機能は停止する。
【０３４８】
ペダル１５５６は、床と間隔をおく関係でベース・フレーム１２３０に固く結合されたペダル・ハウジング１５５８に枢軸回転自在に結合されている。ペダル・ハウジング１５５８は、ペダル１５５６を収容するキャビティ１５６１を共働して形成する複数の壁１５５９を含む。壁１５５９は、図１０５と１０６に示されているように共働してベース・フレーム１２３２を受ける複数の整列した矩形カラー１５６３，１５６５，１５６７，に結合されている。カラー１５６５は中央に位置し、囲まれた空間１５６７を形成する。カラー１５６３，１５６５は、複数の締結具１５６９によってベース・フレーム１２３２に結合されている。
【０３４９】
図１０６に示されているように、各ペダル１５５６は、第一又はアップ位置（破線で示される）、第二又はダウン位置（破線で示される）、及び第三又はニュートラル位置（実線で示される）間で枢軸旋回自在である。各ペダル１５５６は段付形態を有し、ペダル部１５６０，ピボット部１５６２，及びセンサー部１５６４を含む。ペダル部１５６０はペダル・ハウジング１５５８を超えて延び、介護者がペダル部１５６０を押し下げること及びペダル部１５６０を押し上げることができる。ニュートラル位置にあるとき、ペダル部１５６０の上面１５３１は水平から１５°の角度にあり、各ペダル部１５６０上に位置してベッド１２１０のどの機能がその特定ペダル１５５６によって制御されるかを表示する模様又はインジケータ１５６６を介護者の視線が観察する際の一助となる。
【０３５０】
ピボット部１５６２を通り、ペダル１５５６がハウジング１５５８上で旋回するピボット軸１５６９形成するピン１５６８が設けられている。各足操作コントロール１５５６は、図１０６に示されているように、ベース・フレーム１２３２とピボット部１５６２間に位置し時計回り方向１５７２にペダル１５５６を付勢する第一ばね１５７０と、ベース・フレーム１２３２とピボット部１５６２との間に位置し逆の反時計回り方向１５７６にペダル１５５６を付勢する第二ばね１５７４とを含む付勢器１５７１を含む。本発明の好ましい実施形態によると、第一及び第二ばね１５７０，１５７４は均衡を保ってペダル１５５６を図１０６に実線で示されているニュートラル位置に付勢する。本発明の別の実施形態によると、ペダル及び／又はベース・フレームはばねを固定するためのばねマウント又はカウンターボアを含む。本発明のさらに別の実施形態によると、ばねはペダル及び／又はベース・フレームに接着されている。
【０３５１】
ペダル部１５６０を押し下げてペダル１５５６をダウン位置に動かすと、第一ばね１５７０は圧縮され、第二ばね１５７４は伸張する。この圧縮と伸張はアンバランスを生じ、ペダル１５５６を放したときにそれがペダルをニュートラル位置に付勢する。同様に、ペダル部１５６０を押し上げてペダル１５５６をアップ位置に動かすと、第二ばね１５７４は圧縮され、第一ばね１５７２は伸張する。この圧縮と伸張はアンバランスを生じ、ペダル１５５６を放したときにそれがペダルをニュートラル位置に付勢する。
【０３５２】
各ペダル１５５６の位置はセンサー１５７８によって検出される。センサー１５７８が個別ペダル１５５６が所定のアップ位置に動いたことを検出すると、ベッド１２１０の一つの機能が活性化される。センサー１５７８が個別ペダル１５５６が所定のダウン位置に動いたことを検出すると、典型的には反対の、別の機能が活性化される。センサー１５７８が個別ペダル１５５６が所定のニュートラル位置にあることを検出すると、その個別機能は停止される。このように、各足操作コントロール１５５５は、アップ又はダウン位置に移動するときのベッド１２１０の一機能を活性化するように構成される。
【０３５３】
センサー１５７８は回路盤１５７７に取り付けることが好ましい。ペダル・ハウジング１５５８は、回路盤１５７７の反対側のエッジを受ける寸法のスロット１５４９，１５４７を形成する一対の横切る方向に延びるリップ部１５５１，１５５３を含む。センサー１５７８をハウジング１５５８上に位置決めするには、回路盤１５７７のエッジをスロット１５４９，１５４７に差し込み、締結具、例えば、ねじ、接着剤、ロッキング・タブ、又は当業者に既知の他の締結具、で固定する。センサー１５７８によって検出されたペダル１５５６の位置を示す信号を送るためにケーブル１５４５が各センサー１５７８に結合される。ケーブル１５４５は、中央にカラー１５６５を有する包囲空間１５６７へ延びている。各ケーブル１５４５は、包囲空間１５６７内の回路盤（不図示）又はその他の接合部に結合され、一つのケーブル１５８１がいろいろなアクチュエータ及びマットレス構成要素を制御する中央コントローラ又はプロセッサー１５７９まで延びる。
【０３５４】
本発明の好ましい実施形態によると、センサー１５７８は、ペダル１５５６によって発生する磁界の特性の変化を検出するＨａｌｌ効果磁場センサーである。マグネットもしくは磁石１５８０が各ペダル１５５６のセンサー部１５６４にセンサー１５７８から離隔した位置に配置される。センサー１５７８はそれぞれのペダル１５５６が動くときに磁界の変化を検出することによって磁石１５８０の位置の変化を検出する。この磁界の変化に基づいてセンサー１５７８はそれぞれペダルのアップ、ダウン、及びニュートラル位置を示す信号をコントローラ１５７９に送る。するとコントローラ１５７９は、ベッド１２１０のそれぞれの構成要素の機能を制御しかつ強化するために、電源１２８１からアクチュエータ１２６４，１２６６，１６１２，１６６０のモーター１２７１へ電力供給を開始する。
【０３５５】
本発明の別の実施形態によると、ペダルの位置を検出し、ベッドのそれぞれの機能を制御するために他のセンサーが設けられる。例えば、他の近接スイッチ、三位置機械的スイッチ、他の機械的スイッチ、他の電気的スイッチ、キャパシタンスやインダクタンスの変化による電界の変化を検出する他の場センサー、当業者に既知の他の場センサー、又は当業者に既知の他のセンサーが設けられる。
【０３５６】
図１０５に示されているように、四つのペダル１５５６は、押し上げられたり押し下げられたりするときのベッド１２１０の種々の機能を制御するために設けられている。例えば、第一ペダル１５８２は、上方へ旋回するときに検量フレーム１２４８を上昇させ、かつ踏まれたときに検量フレーム１２４８を下降させる。第二ペダル１５８４は、上昇したときに検量フレーム１２４８に対して頭部１４８７を上昇させ、かつ下降したときに検量フレーム１２４８に対して頭部１４８７を下降させるために設けられる。一連のペダル１５５６はまた、検量フレーム１２４８をトレンデレンブルグ位置と逆トレンデレンブルグ位置間で移動させるための第三ペダル１５８６を含む。
【０３５７】
第四ペダル１５８８は、ベッド１２１０を速やかにＣＰＲモードにするために設けられている。ペダル１３５８を高い又は低い位置に動かすと、マットレス１２３０は所定の最大圧力まで膨張し、デッキ１２２６の頭部１４８７は、上昇している場合にはフラット位置まで下降し、座部１５５７は、上昇している場合にはフラット位置まで下降し、ＣＰＲ処置を促進する。本発明の好ましい実施形態によると、ＣＰＲモードが開始されてから３０分後にマットレス１２３０は自動的に正常圧力に戻る。所望により、介護者はコントローラ１４１２を用いてＣＰＲモードを無視してマットレス１２３０を正常圧力に戻す。本発明の別の実施形態によると、ＣＰＲペダルは設けられない。別の実施形態によると、複数のペダルには、また、病院ベッドの足部の伸張および後退させるためのペダル、またはベッドの他の機能を活性化するためのペダルが含まれる。
【０３５８】
したがって、ペダル１５８２，１５８４，１５８６は病院ベッドのいろいろな機能を制御するために直感的な方法で操作される。すなわち、ペダル１５８２，１５８４，１５８６は、「ダウン」機能を実行するために踏み込まれ、「アップ」機能を実行するためにユーザーの足の甲で上方へ押し上げられる。
【０３５９】
図９２に示されているように、第二ペダル・ハウジング１５７３と第二セットの足操作コントロール１５７５がベース・フレーム１２３２にベッド１２１０の反対側で支持されている。ペダル・ハウジング１５７３はペダル・ハウジング１５５８と同一であり、足操作コントロール１５７５は足操作コントロール１５５５と同一である。
【０３６０】
デッキ１２１４は実質的にベッド８１０のデッキ８１４と同様であり、中間フレーム１２５２に対して傾動できるいくつかの部又はセクション１４８７，１５５７，１５９０を含む。図９２に示されているように、頭部１４８７はヘッドボード１２１６に隣接して位置し、検量フレーム１２４８に結合した一対のデッキ・フランジ１５９２に枢軸回転自在に結合している。座部１５５７も検量フレーム１２４８の上方に延びたフランジ１５９２に枢軸回転自在に結合している。足部１５９０はヒンジ１５９４によって座部１５５７に枢軸回転自在に結合し、フットボード１２１８に隣接して結合している。
【０３６１】
ベッド１０のデッキ１４のデッキ・セクション２２，２４，２６，２８と同様に、デッキ１２１４の各部（セクション）１４８７，１５５７，１５９０はアングルの側壁１６２２を含む。各部（セクション）１４８７，１５５７，１５９０はさらに実質的にフラットで硬い、好ましくはスチール製の底壁１６２４を含む。
【０３６２】
デッキ１２１４の足部１５９０は伸長させたり収縮させたりすることができる。伸長・収縮可能な足部についての詳しい記述は、１９９８年７月２２日に出願されたＵ．Ｓ．特許出願Ｎｏ．０９／１２０，１２５に開示されており、この開示は参照によって本明細書に取り入れられる。
【０３６３】
病院ベッド１２１０は、頭部１４８７が検量フレーム１２４８に対して自動的に動くことを可能にする傾斜アセンブリ１６１０を含む。図１０７に示されているように、傾斜アセンブリ１６１０は、検量フレーム１２４８の横方向に延びる支柱１６１３に結合された傾動アクチュエータ１６１２と、傾動アクチュエータ１６１２と頭部１４８７に枢軸回転自在に結合された伝達リンク１６１４を含む。
【０３６４】
頭部１４８７を持ち上げる又は傾けるには、図１０７に示されているように、アクチュエータ１６１２のロッド１６１６を伸ばして伝達リンク１６１４が頭部１４８７を時計回りの方向１６１９に押すようにする。頭部１４８７を下げるには、図１０７に示されているように、アクチュエータ１６１２のロッド１６１６を引っ込めて伝達リンク１６１４が頭部１４８７を反時計回りの方向１６２０に引くようにする。
【０３６５】
病院ベッド１２１０はさらに、足部及び座部１５９０，１５５７を検量フレーム１２４８に対して、また足部１５９０を座部１５５７に対して自動的に傾動することを助ける傾動アセンブリ１６５０を含む。傾動アセンブリ１６５０は、ベッド８１０の傾動アセンブリ１０４８と実質的に同様である。傾動アセンブリ１６５０は、検量フレーム１２４８と座部１５５７を横切って延びる支柱１６５２に結合された傾動アクチュエータ１６６０と、足部１５９０に枢軸回転自在に結合され検量フレーム１２４８に脱着自在かつ枢軸回転自在に結合されたリンク１６５４を含む。検量フレーム１２４８はリンク１６５４内の切欠きにより受けられるピンを含み、リンク１６５４はロックされた位置（例えば、ベッド８１０の傾動アセンブリ１０４８のリンク１０５２を示す図７９と８１を参照）とロック解除された位置（例えば、ベッド８１０のリンク１０５２を示す図８０を参照）との間で移動自在である。これら二つの位置は座部１５５７と足部１５９０との間に二つのモードの傾動を提供する（例えば、ベッド８１０に関する図７９−８１を参照）。
【０３６６】
ロックされた位置にあるとき、リンク１６５４は検量フレーム１２４８と足部１５９０との間の剛性リンクを提供する。傾動アクチュエータ１６６０が長くなるにつれて、座部１５５７は検量フレーム１２４８に対して旋回する（ベッド８１０について図８０と８１に示されているように）。リンク１６５４がロックされた位置にありかつ傾動アクチュエータ１６６０が起動すると、足部１５９０が検量フレーム１２４８に対して上方へ移動するが（ベッド８１０について図８１に示されているように）、実質的水平配向を維持する。本発明の別の実施形態によると、他の配向が提供される。
【０３６７】
リンク１６５４がピンからロック解除されて傾動アクチュエータ１６６０が起動すると（ベッド８１０について図８１に示されているように）、足部１５９０は検量フレーム１２４８に結合したローラーを中心に回転し、それにより足部１５９０の基端が上昇しかつ足部１５９０の先端が下降する。このように、足部１５９０は座部１５５７に対して移動自在であって、リンク１６５４がロックされた位置にあるときは実質的水平位置又はその他の位置を維持し（ベッド８１０について図８１に示されているように）、かつリンク１６５４がロック解除された位置にあるときは検量フレーム１２４８に対して傾動した位置又はその他の位置を維持する（ベッド８１０について図８１に示されているように）。
【０３６８】
本発明の別の実施形態によると、上フレーム部材又はその他のフレーム部材に対するデッキの他のセクションの運動時に、デッキの他のセクションに対するデッキの足部又は他のセクションの二つのモードの傾動を促進するために他の形態のリンク機構が提供される。このようなリンク機構は、追加のリンク、ヒンジ、ケーブル、ブラケット、フランジ、当業者に既知のその他の部材を含む。
【０３６９】
分割されたサイドレール１２２０，１２３４はデッキ１２１４の各頭部１４８７及び検量フレーム１２４８に枢軸回転自在に結合される。各サイドレール１２２０，１２３４は、図１０９に示されているようなアップ位置と、図１１０に示されているようなダウン位置との間で動くように構成され、患者が病院ベッド１２１０に入ったり、それから出たりすることを可能にする。各サイドレール１２２０，１２３４は、それぞれのレール部材１５０６，１６６４と、それぞれのレール部材１５０６，１６６４とデッキ１２１４のそれぞれの頭部１４８７及び検量フレーム１２４８との間に結合されてレール部材１５０６，１６６４が上方位置と下方位置の間で動くことを可能にするリンク機構アセンブリ１６６６，１６６７とを含む。
【０３７０】
リンク機構アセンブリ１６６６は、デッキ１２１４の各頭部１４８７及び検量フレーム１２４８に硬く結合された第一リンク１６６８と、第一リンク１６６８に枢軸回転自在に結合された一対のカーブした第二リンク１６７０と、第二リンク１６７０に枢軸回転自在に結合された第三リンク１６７２と、第三及び第一リンク１６６８，１６７２に枢軸回転自在に結合されたカーブした第四リンク１６７４を含む。リンク機構アセンブリ１６６６、１６６７はベッド１０のリンク機構１４２と実質的に同様である。
【０３７１】
第一リンク１６６８は、中間の検量フレーム１２４８に結合されたベース１６７６と、図１１１に示されているように、ベース１６７６に硬く結合された四つの上方に延びたフランジ１６８０を含む。各第二リンク１６７０は、図１０８に示されているように、ロッド１６８４によってフランジ１６８０に枢軸回転自在に結合された第一端１６８２と、ロッド１６８８によって第三リンク１６７２と枢軸回転自在に結合されたループになった第二端１６８６を含む。
【０３７２】
第三リンク１６７２は、図１０８に示されているように、ベース１６９０と、ベース１６９０に結合された第一対の内方に延びたフランジ１６９２と、やはりベース１６９０に結合された第二対の内方に延びたフランジ１６９４を含む。ロッド１６８８はフランジ１６９２と第二リンク１６７０の第二端１６８６との間に延びてその間に枢軸回転自在の結合を提供する。
【０３７３】
図１０８に示されているように、第四リンク１６７４は、ベース１６９６と、ベース１６９６に形成されたラッチを受けるスロット１６９８を含む。ベースの第一端１７１０はロッド１７１２によって第三リンク１６７２の第二対のフランジ１６９４に摺動自在かつ枢軸回転自在に結合される。ベース１６９６の第二端１７１４はロッド１７１６によって第一リンク１６６８のフランジ１６８０の下端に枢軸回転自在に結合される。このように、リンク機構アセンブリ１６６６は四つのバー・リンケージを提供して、アップ位置とダウン位置との間でサイドレール１２２０の揺動を可能にする。
【０３７４】
各サイドレール１２２０はさらに、四つのバー・リンケージを「拘束」してサイドレール１２２０がアップ位置からダウン位置へ移動するのを阻止するように構成された保持器１７１８を含む。図１０８に示されているように、保持器１７１８は、ラッチ受けスロット１６９８内に位置しかつロッド１７２２によって第四リンク１６７４に枢軸回転自在に結合されて図１０８に示されているようなラッチされた位置とラッチされない位置との間で動くＺ字形ラッチ部材１７２０と、一対のフランジ１７２６によって第一リンク１６６８に結合されたキャッチ・ロッド１７２４を含む。ロッド１７２４は、図１１２に示されているように、フランジ１７２６間に延びている。ラッチ部材１７２０は、キャッチ・ロッド１７２４と係合する第一端１７２８と第二端１７３０を含む。第二端１７３０にはハンドル１７３２が結合されている。第一端１７２８は、図１０８に示されているように、キャッチ・ロッド１７２４を受けてラッチ部材１７２０をラッチ位置に固定するように構成された切欠き１７３４を含む。
【０３７５】
第一端１７２８がキャッチ・ロッド１７２４にラッチされたとき、三つのバー・リンケージが第一リンク１６６８，ラッチ部材１７２０，及び第四リンク１６７４の間で確立される。このリンケージ配置は、第一リンク１６６８を第四リンク１６７４に対して拘束し、リンク機構１６６６もラッチ部材１７２０がラッチ位置にあるときは動きを拘束されてサイドレール１２２０の下方位置への揺動を防止する。
【０３７６】
リンク機構１６６６の拘束を解いてサイドレール１２２０が下方位置に揺動させるために、ラッチ部材１７２０をラッチ位置からラッチ解除位置に移動しなければならない。介護者は、ラッチ部材１７２０をハンドル１７３２を下方及び外方へ引っ張って時計回りの方向に旋回させることによってラッチ部材１７２０をラッチ解除することができる。この運動がラッチ部材１７２０の第一端１７２８をキャッチ・ロッド１７２４から外し、ラッチ部材１７２０はもはや第一及び第四リンク１６６８，１６７４を拘束しなくなる。
【０３７７】
図１１１に示されているように、リンク機構アセンブリ１６６６はさらに、第一リンク１６６８と第三リンク１６７２に結合されたガス・スプリング（ガス封入緩衝装置）又はダッシュポット１６６９を含む。サイドレール１２２０が下降するときにガス・スプリング１６６９は圧縮されて動きを減衰させレール部材１５０６の急速な下降を防ぐ。
【０３７８】
第一及び第四リンク１６６８，１６７４は相互に対して自由に旋回するので、リンク機構アセンブリ１６６６は同様に拘束されずかつサイドレール１２２０の上方位置と下方位置との間での揺動を自由にする。第四リンク１６７４の中央部とラッチ部材１７２０の中央部に結合されたばねマウント１７３８との間にばね１７３６が設けられて、ラッチ部材１７２０をラッチ位置に向けて付勢する。本発明の別の実施形態によると、サイドレールを上方位置に保持するために他の保持器、例えばクラスプ、キャッチ、ロック、他のラッチ、クランプ、ピン、ボルト、バー、掛け金、フック、その他の当業者に既知の保持器、が設けられる。
【０３７９】
ヘッド端サイドレール１２２０は、昇降するときに長手方向に動くように構成されている。下降するとき、ヘッド端サイドレール１２２０は、図１１１に示されている第一方向１７４０で、デッキ１２１４の頭部１４８７の方へ参照番号１７４２の距離だけ動く。上昇するとき、ヘッド端サイドレール１２２０は、図１１２に示されている第二方向１７４４で、頭部１４８７のフット端の方へ参照番号１７４２の距離だけ戻る。
【０３８０】
下降するときにヘッド端サイドレール１２２０を移動することによって、ヘッド端サイドレール１２２０とフット端サイドレール１２３４間に付加的クリアランス（間隙）が得られる。したがって、デッキ１２１４の頭部１４８７が起立位置にあり（図１１０に示されているような）、フット端サイドレール１２３４が起立位置にあり（図１１０に示されているような）、かつヘッド端サイドレール１２２０がアップ位置から下降するとき、ヘッド端サイドレール１２２０のレール部材１５０６は参照番号１７４２の方向に押され、フット端サイドレール１２３４との接触が避けられる。
【０３８１】
図１１１と１１２に示されているように、ヘッド端サイドレール１２２０のリンク機構アセンブリ１６６６は、第一セットのカム１７４６と第二セットのカム１７４８を含む。各セットのカム１７４６，１７４８は、第一リンク１６６８のフランジ１６８０に硬く結合された一対の固定カム部材１７５０，１７５２と、第二リンク１６７０の第一端１６８２に硬く結合された一対の回転カム部材１５７４，１５７６を含む。図１１１に示されているように、ロッド１６８４が回転カム部材１５７４，１５７６へ延びて第二リンク１６７０を第一リンク１６６８に枢軸回転自在に結合する。本発明の別の実施形態によると、単に一セットのカムが設けられる。
図１１１に示されているように、各固定カム部材１７５０，１７５２は、第一実質的平坦端面１７５８がフランジ１６８０に結合された切頭シリンダーである。各固定及び回転カム部材１７５０，１７５２，１７５４，１７５６はさらに、傾斜したカム面１７６０，１７６２，１７６４，１７６６を含み、これらはロッド１６８４の回転長軸１７６８と共働して、それぞれ約４５°の角度をその間に形成する。
【０３８２】
図１１１に示されているように、固定カム部材１７５０のカム面１７６０は、ヘッド端サイドレール１２２０が完全に起立した位置にあるとき、回転カム部材１７５４のカム面１７６４と実質的に平行でありかつわずかにそこから離隔する。固定カム部材１７５２のカム面１７６２は、回転カム部材１７５６のカム面１７６６から離隔しかつその間に略９０°の角度を形成する。
【０３８３】
ハンドル１７３２を引くと、ヘッド端サイドレール１２２０は下降位置へ向かって移動する。図１７７８に示されているように、この移動時に、レール部材１５０６，第二リンク１６７０，及び回転カム部材１７５４は時計回り方向１７７８に回転するので、回転カム部材１７５４のカム面１７６４は固定カム部材１７５０のカム面１７６０と接触するようになる。図１１２に示されているように、回転カム部材１７５４を続けて回転させると回転カム部材１７５４と固定カム部材１７５０との間に力が生じる。この力は回転カム部材１７５４，第二リンク１６７０，及びヘッド端サイドレール１２２０のレール部材１５０６を参照番号１７４０の方向に押す。ヘッド端サイドレール１２２０が下降位置へ移動するときに、図１１２に示されているように、レール部材１５０６は頭部１４８７のヘッド端の方向へ参照番号１４７２の距離だけ押しやられる。
【０３８４】
前述のように、第三リンク１６７２はロッド１７１２によって第四リンク１６７４に摺動自在に結合されている。ヘッド端サイドレール１２２０のレール部材１５０６が１７４０の方向に移動するときに、第四リンク１６７４は長手方向に動かないので、第三リンク１６７２とレール部材１５０６が第四リンク１６７４に対して摺動する。
【０３８５】
ヘッド端サイドレール１２２０が最初に起立位置へ向かって移動するときに、固定カム部材１７５２のカム面１７６２は回転カム部材１７５６のカム面１７６６から少し離隔する。固定カム部材１７５０のカム面１７６０は回転カム部材１７５４のカム面１７６４から少し離隔する。
【０３８６】
ヘッド端サイドレール１２２０をさらに起立位置へ向けて移動すると、図１１２に示されているように、レール部材１５０６、第二リンク１６７０、及び回転カム部材１７５４は反時計回り方向１７８０に回転し、固定カム部材１７５２のカム面１７６２は回転カム部材１７５６のカム面１７６６に接触するようになる。回転カム部材１７５４を続けて回転させると回転カム部材１７５６と固定カム部材１７５２との間に力が生じる。この力は回転カム部材１７５６，第二リンク１６７０，及びヘッド端サイドレール１２２０のレール部材１５０６を１７４４の方向に押す。この運動時に、第三のリンク１６７２とレール部材１５０６は第四リンク１６７４に対して１７４４の方向に摺動する。
【０３８７】
図１１１に示されているように、ヘッド端サイドレール１２２０が完全に起立した位置に戻ると、固定カム部材１７５０のカム面１７６０は回転カム部材１７５４のカム面１７６４と実質的に平行でありかつそこからわずかに離間する。固定カム部材１７５２のカム面１７６２は回転カム部材１７５６の接触カム面１７６６から離隔して、その間に略９０°の角度を形成する。
【０３８８】
本発明の別の実施形態によると、昇降時に長手方向に移動するサイドレールの他の形態が提供される。これら別の実施形態は、他の形態のカム、リンク、ベルト、ケーブル、プーリー、その他、ある部材のある方向への運動を同じ又は別の部材の別の方向への運動に基づいて創出するための当業者に既知のメカニズム、を含む。
【０３８９】
フット端サイドレール１２３４のリンク機構は、ヘッド端サイドレール１２２０のリンク機構アセンブリ１６６６と実質的に同様である。しかし、フット端サイドレール１２３４のリンク機構アセンブリは、昇降位置間で移動するときにレール部材１６６４を長手方向に移動するように構成されていない。したがって、フット端サイドレール１２３４のリンク機構アセンブリはカム部材を含まず、第三リンクは第四リンクに対して摺動するように構成されていない。
【０３９０】
さらに別の実施形態の病院ベッド１８１０のベース・フレーム１８３２が図１１３に示されている。図１１３に示されているように、ベッド１８１０は中空ベース・フレーム１８３２へ延びるキャスター制動リンク１８７０を含むキャスター制動システム１８６８を含む。キャスター制動システム１８６８は各キャスター１８６２，１８６３を相互連結してキャスター１８６２，１８６３の同時制動を可能にする。キャスター１８６２，１８６３を同時に制動するには、介護者がフット・ブレーキ・ペダル１８７２，１８７４を踏み、キャスター制動システム１８６８がキャスター１８６２をロックして回らないようにする。キャスター制動システム１８６８はさらに、キャスター１８６２，１８６３からオフセットして横切る方向に延びるロッド１８９２を含み、それによってベース・フレーム１８３２の反対側にあるキャスター１８６２，１８６３のロッキングとアンロッキング（ロックとロック解除）の調整を促進する。
【０３９１】
図１１３に示されているように、フット・ブレーキ・ペダル１８７２は長手方向にキャスター１８６２と参照番号１８７６の距離だけ離隔している。フット・ブレーキ・ペダル１８７２は、ベッド８１０のロッド８７８と同様なロッド（不図示）によってベース・フレーム１８３２に結合され、ベッド８１０のアーム８８０と同様なアーム（不図示）によってキャスター制動リンク１８７０に枢軸回転自在に結合されている。フット・ブレーキ・ペダル１８７２が軸１８８２を中心に参照番号１８８４の方向に回転する間、アームはキャスター制動リンク１８７０に力を伝達する。キャスター制動リンク１８７０は、参照番号１８７１の方向に移動して、この力をベッド８１０のアーム８８６と類似の、キャスター制動リンク１８７０に枢軸回転自在に結合され、かつキャスター制動システム８６８のベッド８１０のロッド８８８と類似の六角形ロッド（不図示）に硬く結合されたアーム（不図示）に伝達する。この回転により六角形ロッドは軸１８９０を中心に回転してキャスター１８６２をロックする。
【０３９２】
本発明の好ましい実施形態によると、キャスター制動リンク１８７０はロッド１８７８の下に位置し、そのようにして参照番号１８８４の方向のフット・ブレーキ・ペダル１８７２によるロッド１８７８の反時計回りの回転がキャスター制動リンク１８７０の参照番号１８７１の方向への運動を生じさせる。同様に、時計回り方向方向１８６９へのペダル１８７２の回転はキャスター制動リンク１８７０を１８６７の方向に移動し、六角形のロッドを時計回り方向方向１８６５へ回転させてキャスター１８６２のロックを解除する。本発明の別の実施形態によると、キャスター制動リンクはロッドの上に位置し、参照番号１８８４の方向へのペダルの回転はキャスター制動リンクを参照番号１８６７の方向に動かし、参照番号１８６９の方向へのペダルの運動はキャスター制動リンクを参照番号１８７１の方向に移動させる。
【０３９３】
本発明のキャスター制動システムと同様なキャスター制動システムについてのさらに詳しい記述は、Mobley他による１９９９年３月５日出願の「キャスターと制動システム」の名称に係るＵＳ特許出願Ｎｏ．０９／２６３，０３９に与えられており、その開示は参照によって本明細書に取り入れられる。本発明の別の実施形態によると、本発明のキャスター制動ペダル及びキャスター制動リンクと合わせて用いる、同時ロック機能を含む又は含まない他の形態のキャスター制動及び／又は操縦システムが提供される。
【０３９４】
キャスター制動リンク１８７０はまた、四つのキャスター１８６２，１８６３全部を同時に制動するために、フット・ブレーキ・ペダル１８７２の回転を他のキャスター１８６２，１８６３に連結した、ベッドベッド８１０の８８８，８９２と同様な他の六角形ロッド（不図示）に伝達する。図１１３に示されているように、リンク１８７０はベース・フレーム１８３２を通過して、図６７に示されている六角形ロッドとの結合と同様方法でキャスター１８６３の六角形ロッドに結合する部１８９４を含む。したがって、キャスター１８６２の六角形ロッドが回転軸１８９０を中心に回転すると、キャスター１８６３の六角形ロッドは回転軸１８９４を中心に回転する。キャスター１８６２，１８６３をロック解除するには、フット・ブレーキ・ペダル１８７２を反対方向１８８４に回して、キャスター１８６３の六角形ロッドを反対方向１８９０に回してロックを解除する。キャスター制動リンク１８７０はまた、回転を他のキャスター１８６２，１８６３の六角形ロッドに伝えて全てのキャスター１８６２，１８６３を同時に解放する。
【０３９５】
横切る方向に延びるロッド１８９２は、ペダル１８７２の回転を他方の六角形ロッドに伝える。キャスター制動リンク１８７０と同一の別のキャスター制動リンク１８７４がベース・フレーム１８３２の反対側を通過しかつ他方のキャスター１８６２，１８６３の六角形ロッドを一緒に結合しているので、他のヘッド端ペダル１８７２の回転が四つのキャスター１８６２，１８６３全部に伝達され、キャスター１８６２，１８６３の同時ロック及びロック解除が可能になる。
【０３９６】
同様に、キャスター制動リンク１８７０、１８９４はまた、フット制動ペダル１８７４の回転を四つのキャスター１８６２，１８６３全部に伝達する。フット制動ペダル１８７４は直接六角形ロッドに結合されかつベッド８１０のアーム８８６と同様なアーム（不図示）によってキャスター制動リンク１８７０に結合されている。したがって、制動ペダル１８７４がどれかのキャスター１８６３をロック又はロック解除するように回転すると、他のキャスター１８６２，１８６３は同様にロック又はロック解除される。
【０３９７】
ブレーキ・ペダル１８７２は、ヘッドボード１８１６に隣接して立っている介護者がキャスター制動システムを操作できるように配置されている。図１１３に示されているように、ブレーキ・ペダル１８７２はベース・フレーム１８３２のヘッド端に隣接して位置するフット・パッド１８７５を含む。ヘッドボード１８１６の近くに位置する介護者はパッド１８１６を踏んでキャスター１８６２，１８６３をロックすることができ、制動ペダル１８７２にアクセスするためにベッド１８１０のサイドに移動する必要はない。
【０３９８】
図１１３に示されているように、ブレーキ・ペダル１８７２はキャスター１８６２から長手方向に離隔しているので、六角形ロッドの回転軸１８９０はロッド１８７８の回転軸１８８２と反対側の六角形ロッドの回転軸１８９４との間で長手方向にある。したがって、アーム１８８０，１８８６間にあるキャスター制動リンク１８７０の部は伸張部１８９６であり、伸張部１８９６はペダル１８７２のキャスター１８６２から長手方向への離隔を可能にする。本発明の別の実施形態によると、フット端ブレーキ・ペダルはヘッド端ブレーキ・ペダルと同様にフット端キャスターから離隔している。
【０３９９】
本発明によって、患者支持体が提供される。この患者支持体は、フレームと、このフレームによって支持されるマットレスと、マットレスから患者が出るのを阻止するように配置されたバリアと、コントローラとを含む。バリアは、第一及び第二離隔レールを含み、コントローラはこの第一及び第二レールに沿って摺動するように配置されている。例としては、図７６−７８、９２，及び１０２−１０４に示されている好ましい実施形態を参照されたい。
【０４００】
本発明の別の実施形態によると、フレームと、このフレームによって支持されるマットレスと、マットレスから患者が出るのを阻止するように配置されたバリアと、コントローラとを含む患者支持体が提供される。このバリアは、共働して開口部を画定する上面と下面を含む。コントローラは、バリアの開口部を形成する下面に沿って摺動するように配置されている。例としては、図７６−８、９２，及び１０２−１０４に示されている好ましい実施形態を参照されたい。
【０４０１】
本発明の別の実施形態によると、フレームと、このフレームによって支持されるマットレスと、マットレスから患者が出るのを阻止するように配置されたバリアと、コントローラとを含む患者支持体が提供される。バリアはカーブした開口部を含み、コントローラはバリアに沿って移動するようにこのカーブした開口部に配置されている。例えば、図７６−７８、９２，及び１０２−１０４に示されている好ましい実施形態を参照されたい。
【０４０２】
本発明の別の実施形態によると、フレームと、このフレームによって支持されるマットレスと、マットレスから患者が出るのを阻止するように配置されたバリアと、コントローラとを含む患者支持体が提供される。バリアは、バリアの開口部を画定する面を含む。コントローラは、ハウジングとこのハウジングに結合された保持器を含む。保持器はバリアの表面と接触してハウジングをバリアに脱着自在に結合できるように構成される。例えば、図７６−７８、９２，及び１０２−１０４に示されている好ましい実施形態を参照されたい。
【０４０３】
本発明の別の実施形態によると、フレームと、このフレームによって支持されるマットレスと、マットレスから患者が出るのを阻止するように配置されたバリアと、コントローラとを含む患者支持体が提供される。コントローラはバリアに脱着自在に結合され、かつバリアから離隔した第一位置からバリアに結合した第二位置に移動することができる。コントローラは、コントローラをバリアに結合するために水平要素を有する通路に沿って第一位置から第二位置へ移動自在である。第二位置にあるとき、コントローラはバリアに沿って移動自在である。例えば、図７６−７８、９２，及び１０２−１０４に示されている好ましい実施形態を参照されたい。
【０４０４】
本発明の別の実施形態によると、フレームと、そのフレームによって支持されるマットレスを含む患者支持体が提供される。マットレスは第一側部と、第一側部から横切る方向に離隔した第二側部を有する。患者支持体はさらに、マットレスの第一側部から患者が脱出するのを阻止するように配置された第一バリアと、マットレスの第二側部から患者が脱出するのを阻止するように配置された第二バリアと、コントローラを含む。第一バリアはそこに形成された第一開口部を含み、第二バリアはそこに形成された第二開口部を含む。コントローラは、第一開口部に脱着自在に収容され、かつ第二開口部に脱着自在に収容されるように構成される。例えば、図７６−７８、９２，及び１０２−１０４に示されている好ましい実施形態を参照されたい。
【０４０５】
本発明の別の実施形態によると、フレームと、このフレームによって支持されるマットレスと、マットレスから患者が脱出するのを阻止するように配置されたバリアと、コントローラとを含む患者支持体が提供される。バリアは長手軸を有する。バリアは、長手方向および横切る方向の要素（構成要素？）を有する通路においてバリアに沿ったコントローラの移動を誘導できる構成のガイドを含む。例えば、図７６−７８、９２，及び１０２−１０４に例示されている好ましい実施形態を参照されたい。
【０４０６】
本発明の別の実施形態によると、フレームと、このフレームによって支持されるマットレスと、マットレスから患者が脱出するのを阻止するように配置された一対の離隔したバリアと、バリアに脱着自在に結合されたコントローラとを含む患者支持体が提供される。コントローラは、ハウジングと、ハウジングに結合されたコードと、コードに結合された第一コネクタを含む。患者支持体はさらに、フレームによって支持される第二コネクタを含む。第一コネクタは第二コネクタに結合するように構成され、第一コネクタが第二コネクタに結合されると第一及び第二コネクタを通してコントローラの通信が可能になるように構成される。患者支持体はさらに、フレームによって支持される第三コネクタを含む。第一コネクタは第三コネクタに結合するように構成され、第一コネクタが第三コネクタに結合されると第一及び第三コネクタを通してコントローラの通信が可能になるように構成される。例えば、例えば、図７６−７８、８２，８４，９２，及び１０２−１０４に例示されている好ましい実施形態を参照されたい。
【０４０７】
本発明の別の実施形態によると、ベース・フレームとベース・フレームに対して第一位置と第二位置間で移動するように構成された中間フレームとを有するフレームと、中間フレームに結合されたデッキと、デッキによって支持されるマットレスを含む患者支持体が提供される。デッキは、中間フレームに対して第一及び第二位置間で移動するように構成された少なくとも一つのデッキ・セクションを含む。患者支持体はさらに、第一及び第二位置間で移動して、中間フレームをベース・フレームに対して、かつデッキ・セクションを中間フレームに対して移動させるように構成された複数のアクチュエータと、フレームによって支持される複数の電動足操作制御装置を含む。複数の電動足操作制御装置の各々は、第一位置に移動して複数のアクチュエータの少なくとも一つの第一位置への移動を制御することができ、第二位置に移動して複数のアクチュエータの少なくとも一つの第二位置への移動を制御することができる。例えば、図１５，１６，９２，１０５，及び１０６に例示されている好ましい実施形態を参照されたい。
【０４０８】
本発明の別の実施形態によると、フレームと、そのフレームによって支持されるデッキと、そのデッキによって支持されるマットレスと、第一及び第二位置間で移動してフレームの一部及びデッキの一部の少なくとも一方を移動させるように構成されたアクチュエータとを含む患者支持体が提供される。患者支持体はさらに、第一位置に移動して第一位置へのアクチュエータの移動を活性化でき、第二位置に移動して第二位置へのアクチュエータの移動を活性化できる電動足操作制御装置を含む。例えば、図１５，１６，９２，１０５，及び１０６に例示されている好ましい実施形態を参照されたい。
【０４０９】
本発明の別の実施形態によると、フレームと、そのフレームによって支持されるデッキと、そのデッキによって支持されるマットレスと、フレームの一部とデッキの一部の少なくとも一方を移動させるように構成されたアクチュエータを含む患者支持体が提供される。患者支持体はさらに、アクチュエータの運動を制御するように構成されたコントローラを含む。コントローラは、制御部材と制御部材の位置の変化によって生じた場の変化を検出するように構成された場センサーを含み、制御部材の位置の変化に基づいてアクチュエータの動作を制御する。例えば、図９２，１０５，及び１０６に例示されている好ましい実施形態を参照されたい。
【０４１０】
本発明の別の実施形態によると、フレームと、そのフレームによって支持されるデッキと、そのデッキによって支持されるマットレスと、第一及び第二位置間で移動してフレームの一部とデッキの一部の少なくとも一方を移動させるように構成された第一アクチュエータと、第一及び第二位置間で移動してフレームの一部とデッキの一部の少なくとも一方を移動させるように構成された第二アクチュエータを含む患者支持体が提供される。患者支持体はさらに、第一位置に移動して第一及び第二アクチュエータの第一位置への移動を制御し、第二位置に移動して第一及び第二アクチュエータの第二位置への移動を制御することができる足操作制御装置を含む。例えば、図１５，１６，９２，１０５，及び１０６に例示されている好ましい実施形態を参照されたい。
【０４１１】
本発明の別の実施形態によると、フレームと、そのフレームを支持して床上でのフレームの運動を促進する複数の車輪と、フレームによって支持されるデッキと、そのデッキによって支持されるマットレスと、フレームの一部及びデッキの一部の少なくとも一方を移動させるように構成されたアクチュエータとを含む患者支持体が提供される。患者支持体はさらに、アクチュエータの運動を制御するように構成された電気的足操作制御装置を含む。例えば、図１５，１６，９２，１０５，及び１０６に例示されている好ましい実施形態を参照されたい。
【０４１２】
本発明の別の実施形態によると、フレームと、そのフレームによって支持されるデッキと、そのデッキによって支持されるマットレスと、フレームの一部とデッキの一部の少なくとも一方を移動させるように構成されたアクチュエータを含む患者支持体が提供される。患者支持体はさらに、フレームによって支持されアクチュエータの運動を制御するように構成された電気的足操作制御装置を含む。例えば、図１５，１６，９２，１０５，及び１０６に例示されている好ましい実施形態を参照されたい。
【０４１３】
本発明の別の実施形態によると、フレームと、そのフレームによって支持されるデッキと、そのデッキによって支持されるマットレスと、第一及び第二位置間で動いてフレームの一部とデッキの一部の少なくとも一方を移動させるように構成されたアクチュエータと、第一及び第二位置間で移動させるためにアクチュエータに動力を供給する構成の動力源とを含む患者支持体が提供される。患者支持体はさらに、アクチュエータを第一位置に移動させるためにアクチュエータに動力源から動力を供給することを開始する第一位置と、アクチュエータを第二位置へ移動させるためにアクチュエータに動力源から動力を供給することを開始する第二位置へ移動自在の足操作制御装置を含む。例えば、図１５，１６，９２，１０５，及び１０６に例示されている好ましい実施形態を参照されたい。
【０４１４】
本発明の別の実施形態によると、フレームと、そのフレームによって支持されるデッキと、そのデッキによって支持されるマットレスを含む患者支持体が提供される。マットレスは、調整可能な長さを有するように構成された収縮自在の足部を含む。収縮自在足部は発泡部とかかと圧力緩和部を含む。例えば、図８８−９１、１１４、及び１１５に例示されている好ましい実施形態を参照されたい。
【０４１５】
本発明の別の実施形態によると、マットレスが提供される。マットレスは、頭部、座部、及び収縮自在の足部を含む。頭部、座部、及び足部は共働して患者休息面を形成する。収縮自在の足部は調整可能な長さ、本体、及びかかと圧力緩和部を有する。本体は、かかと圧力緩和部を受ける寸法のキャビティ（キャビティ）を有する。例えば、図８８−９１、１１４、及び１１５に例示されている好ましい実施形態を参照されたい。
【０４１６】
本発明の別の実施形態によると、マットレスが提供される。マットレスは、頭部、座部、及び足部を含む。足部は調整可能な長さを有する。頭部、座部、及び足部は共働して、長さが調整できる患者休息面を形成する。足部は、調整可能な長さの発泡部と、発泡部の硬度よりも小さい硬度のかかと圧力緩和部を含む。例えば、図８８−９１、１１４、及び１１５に例示されている好ましい実施形態を参照されたい。
【０４１７】
本発明の別の実施形態によると、患者をサポートする方法が提供される。この方法は患者支持体を提供する工程を含む。患者支持体は、調整可能な長さ、発泡体ふくらはぎサポート、及び発泡体ふくらはぎサポートの硬さよりも小さな硬さを有するかかと圧力緩和部を有する。この方法はさらに、発泡体ふくらはぎサポートを患者のふくらはぎの下に位置させかつかかと圧力緩和部を患者のかかとの下に位置させるために患者支持体の長さを調整する工程を含む。例えば、図８８−９１、１１４、及び１１５に例示されている好ましい実施形態を参照されたい。
【０４１８】
本発明の別の実施形態によると、フレームと、そのフレームによって支持されるデッキと、そのデッキによって支持されるマットレスと、コントローラとを含む患者支持体が提供される。デッキは、フレームに対して動くように構成された頭部と、調整可能な長さを有する足部を含む。コントローラはデッキの頭部の位置に対応して足部の長さを変えるように構成される。デッキの足部は、足部の長さが変化する間、実質的水平に保たれる。例えば、図８８−９１、１１４、及び１１５に例示されている好ましい実施形態を参照されたい。
【０４１９】
本発明の別の実施形態によると、フレームと、そのフレームによって支持されるデッキと、そのデッキによって支持されるマットレスとを含む患者支持体が提供される。デッキは頭部と足部を含む。頭部はフレームに対して上下動するように構成されている。マットレスは、デッキの頭部上に位置する頭部と、デッキの足部上に位置する調整可能な長さの足部を有する。マットレスの足部の長さはデッキの頭部が起立または上昇するのに対応して長さが増加するように構成される。例えば、図８８−９１、１１４、及び１１５に例示されている好ましい実施形態を参照されたい。
【０４２０】
本発明の別の実施形態によると、フレームと、そのフレームによって支持されるデッキと、そのデッキによって支持されるマットレスとを含む患者支持体が提供される。デッキは頭部、座部、及び足部を含む。頭部はフレームに対して上下動するように構成されている。マットレスは、デッキの頭部上に位置する頭部と、かかと圧力緩和部を有する足部を有する。かかと圧力緩和部の位置はフレームに対する頭部の位置に対応する。例えば、図８８−９１、１１４、及び１１５に例示されている好ましい実施形態を参照されたい。
【０４２１】
本発明の別の実施形態によると、患者のかかと圧力緩和を維持する方法が提供される。この方法は、患者支持体を提供する工程を含む。患者支持体は、フレームと、そのフレームによって支持され、かつ足部、及びフレームに対して第一及び第二位置間で移動自在の頭部を有するデッキと、デッキの足部上に位置する足部とデッキの頭部上に位置する頭部を有するマットレスを含む。足部は患者のかかと上への表面圧力を減らすように構成されたかかと圧力緩和部を有する。この方法はさらに、かかと圧力緩和部の位置を患者のかかとの下に維持するためにマットレスのかかと圧力緩和部の位置をデッキの頭部の位置に対応させる工程を含む。例えば、図８８−９１、１１４、及び１１５に例示されている好ましい実施形態を参照されたい。
【０４２２】
本発明の別の実施形態によると、別の患者支持体が提供される。この患者支持体は、フレームと、フレームの上に位置するマットレスと、マットレスから患者が脱出するのを阻止するように配置されるバリアを含む。バリアは不透明でない材料により作られる。例えば、図３２に例示されている好ましい実施形態を参照されたい。
【０４２３】
本発明の別の実施形態によると、別の患者支持体が提供される。この患者支持体は、フレームと、フレームの上に位置するマットレスと、マットレスから患者が脱出するのを阻止するように配置されるバリアを含む。バリアは不透明でない材料により作られる。患者支持体はさらに、バリアを照明するために不透明出ない材料により作られたバリアへ光を導入するように位置決めされた光源を含む。例えば、図３２に例示されている好ましい実施形態を参照されたい。
【０４２４】
本発明の別の実施形態によると、別の患者支持体が提供される。この患者支持体は、フレームと、フレームの上に位置するマットレスと、マットレスから患者が脱出するのを阻止するように配置されるサイドレールを含む。サイドレールは不透明でない材料で作られる。例えば、図３２に例示されている好ましい実施形態を参照されたい。
【０４２５】
本発明の別の実施形態によると、別の患者支持体が提供される。この患者支持体は、フレームと、フレームの上に位置するマットレスと、マットレスから患者が脱出するのを阻止するように配置される少なくとも一つのヘッドボードとフットボードを含む。少なくとも一つのヘッドボードとフットボードは不透明でない材料で作られる。例えば、図１に例示されている好ましい実施形態を参照されたい。
【０４２６】
本発明の別の実施形態によると、別の患者支持体が提供される。この患者支持体は、フレームと、フレームの上に位置するマットレスと、サイドレールを含む。サイドレールは第一位置から第二位置へ動くように構成されたレール部材を含む。レール部材はマットレスに対面する内側とマットレスと反対側に向いた外側を有する。サイドレールはさらに、レール部材を第一位置に保持するように構成された保持器とサイドレールの第一位置からの移動を可能にするように構成された患者がアクセス可能リリースを含む。患者がアクセス可能リリースはマットレスに普通に位置する人がアクセスできる。例えば、図２７−３３，及び３６−３９に例示されている好ましい実施形態を参照されたい。
【０４２７】
本発明の別の実施形態によると、別の患者支持体が提供される。この患者支持体は、フレームと、フレームの上に位置するマットレスと、サイドレールを含む。サイドレールは、第一位置から第二位置へ動くように構成されたレール部材と、レール部材を第一位置に保持するように構成された保持器と、レール部材の第一位置からの移動を可能にするように構成されたリリースと、リリースがレール部材の第一位置からの移動を可能にするのを阻止するロックとを含む。例えば、図２７−３３に例示されている好ましい実施形態を参照されたい。
【０４２８】
本発明の別の実施形態によると、別の患者支持体が提供される。この患者支持体は、フレームと、フレームの上に位置するマットレスと、第一位置から第二位置へ動くように構成されたレール部材を含むサイドレールを含む。患者支持体はさらに、レール部材を第一位置に保持するように構成された保持器と、第一位置からのサイドレールの移動を可能にする第一リリースと、第二位置からのサイドレールの移動を可能にする第二リリースを含む。例えば、図２７−３３，及び３６−３９に例示されている好ましい実施形態を参照されたい。
【０４２９】
本発明の別の実施形態によると、別の患者支持体が提供される。この患者支持体は、フレームと、フレームの上に位置するマットレスと、サイドレールを含む。サイドレールは、マットレス上に位置する患者が脱出するのを阻止する第一位置から第二位置へ移動するように構成されたレール部材と、マットレス上に位置する患者の腕を支持するように配置されたアームレスト（肘掛け）とを含む。例えば、図３２−３５に例示されている好ましい実施形態を参照されたい。
【０４３０】
本発明の別の実施形態によると、別の患者支持体が提供される。この患者支持体は、フレームと、フレームの上に位置するマットレスと、サイドレールを含む。サイドレールは、マットレスから患者が脱出するのを阻止する第一位置から第二位置へ移動するように構成されたレール部材と、容器を保持するように構成された容器ホルダーを含む。例えば、図３２−３５に例示されている好ましい実施形態を参照されたい。
【０４３１】
本発明の別の実施形態によると、別の患者支持体が提供される。この患者支持体は、フレームと、フレームの上に位置するマットレスと、患者がマットレスから脱出するのを阻止するように配置されたバリアと、バリアと結合するように構成された無線コントローラを含む。無線コントローラは患者支持体の機能を制御するように構成されている。例えば、図７４と７５に例示されている好ましい実施形態を参照されたい。
【０４３２】
本発明の別の実施形態によると、別の患者支持体が提供される。この患者支持体は、フレームと、フレームの上に位置するマットレスと、患者がマットレスから脱出するのを阻止するように位置決めされた第一サイドレールを含む。第一サイドレールは第一端部と第一端部から離隔した第二端部を含む。患者支持体はさらに、患者がマットレスから脱出するのを阻止するように位置決めされた第二サイドレールを含む。第一サイドレールは第二サイドレールに対して第一位置と第二位置間を移動するように構成される。第二サイドレールは第一位置にあるときに第一サイドレールの第一端部を受けるように配置された凹部を有する上エッジを含む。例えば、図７１−７３に例示されている好ましい実施形態を参照されたい。
【０４３３】
本発明の別の実施形態によると、別の患者支持体が提供される。この患者支持体は、フレームと、フレームの上に位置するマットレスと、第一サイドレールと第二サイドレールを含む。マットレスは、実質的水平な平面を形成する。第一サイドレールは、マットレスの第一側から患者が脱出するのを阻止するように位置決めされている。第一サイドレールは、マットレスへ向かって内方へ傾動してマットレスにより形成される水平平面と鋭角を形成すように構成される。第二サイドレールはマットレスの第二側から患者が脱出するのを阻止するように位置決めさている。第二サイドレールは、マットレスへ向かって内方へ傾動してマットレスによって形成される水平平面と所定角を形成するように構成される。例えば、図５２−５３に例示されている好ましい実施形態を参照されたい。
【０４３４】
本発明の別の実施形態によると、別の患者支持体が提供される。この患者支持体は、フレームと、フレームの上に位置するマットレスと、マットレス上に位置する患者が脱出するのを阻止するように位置するバリアと、患者にＣＰＲ治療を施すことを促進するためにマットレス上に位置する患者の下に配置自在に構成されたＰＣＲパネルを含む。患者支持体はさらに、バリアに隣接してＣＰＲパネルの下コーナーを保持するように構成されたＣＰＲパネル保持部材を含む。例えば、図６２−６４に例示されている好ましい実施形態を参照されたい。
【０４３５】
本発明の別の実施形態によると、別の患者支持体が提供される。この患者支持体は、フレームと、フレームの上に位置するマットレスと、マットレス上に位置する患者が脱出するのを阻止するように位置するバリアを含む。バリアは、周辺フレーム部材と、この周辺フレーム部材と結合したスクリーンを含む。周辺フレーム部材は開口部を画定する。スクリーンは、周辺フレーム部材を摺動自在に受ける寸法の通路を画定する管状スリーブと、周辺フレーム部材が画定する開口部に拡がるようにスリーブに結合されたパネルを含む。例えば、図５４及び５５に例示されている好ましい実施形態を参照されたい。
【０４３６】
本発明の別の実施形態によると、別の患者支持体が提供される。この患者支持体は、フレームと、フレームによって支持されるマットレスと、フレームによって支持されるフットボードと、フレームによって支持されるヘッドボードと、ヘッドボードとフットボードの少なくとも一方に枢軸回転自在に結合されたコントローラを含む。例えば、図１４に例示されている好ましい実施形態を参照されたい。
【０４３７】
本発明の別の実施形態によると、別の患者支持体が提供される。この患者支持体は、フレームと、フレームによって支持されるマットレスと、フレームによって支持されるフットボードと、フレームによって支持されるヘッドボードとを含む。ヘッドボードとフットボードの少なくとも一方は、マットレスから患者が脱出するのを阻止する通常垂直ブロッキング（阻止）位置及びマットレス上に位置する水平テーブル位置から取り外し自在である。例えば、図５２，５３、及び５６−６０に例示されている好ましい実施形態を参照されたい。
【０４３８】
本発明の別の実施形態によると、別の患者支持体が提供される。この患者支持体は、フレームと、フレームによって支持されるマットレスと、フレームによって支持されるフットボードと、フレームによって支持されるヘッドボードと、フレームによって支持されるサイドレールを含む。患者支持体はさらに、フットボードとヘッドボードの少なくとも一方に結合されて前記フットボードとヘッドボードの少なくとも一方とサイドレールとの間に形成される隙間から患者が脱出（落下）するのを阻止する隙間充填部（gap filler）を含む。例えば、図６１及び６８−７０に例示されている好ましい実施形態を参照されたい。
【０４３９】
本発明の別の実施形態によると、別の患者支持体が提供される。この患者支持体は、フレームと、フレームによって支持されるデッキと、デッキによって支持されるマットレスを含む。デッキは、上方デッキ部と、傾斜デッキ側壁によって上方デッキ部と結合した下方デッキ部を含み、下方デッキ部は上方デッキ部から間隔をおいてデッキに中央の長手方向の凹みを形成する。下方デッキ部はデッキを横切って延びて下方デッキ支持面を提供する。例えば、図４０、４２−８５、及び８２に例示されている好ましい実施形態を参照されたい。
【０４４０】
本発明の別の実施形態によると、別の患者支持体が提供される。この患者支持体は、フレームとフレームによって支持されるデッキを含む。デッキは、足部と、フレームに対して第一位置と第二位置間で移動するようにフレームに結合された背部と、第一位置と第二位置間で移動するように背部と枢軸回転自在に結合された頭部を含む。患者支持体はさらに、背部及び頭部の運動を制御するように構成された機構を含む。この制御機構は、背部が第一位置から第二位置へ移動するときに頭部が背部と実質的水平に維持される第一位置と、背部が第一位置から第二位置に移動するときに頭部が背部に対して傾動する第二位置との間で動くように構成される。例えば、図１７−２１に例示されている好ましい実施形態を参照されたい。
【０４４１】
本発明の別の実施形態によると、別の患者支持体が提供される。この患者支持体は、フレームとフレームによって支持されるデッキを含む。デッキは、第一位置と第二位置間で動くようにフレームに枢軸回転自在に結合された座部と、第一位置と第二位置間で動くように座部に枢軸回転自在に結合された足部を含む。患者支持体はさらに、座部に対する足部の動きを制御するように構成された機構を含む。この制御機構は、座部が第一位置から第二位置へ動くときに足部が実質的水平に維持される第一位置と、座部が第一位置から第二位置へ動くときに足部が実質的水平から外れる第二位置との間で動くように構成される。例えば、図２２−２６，７９−８１，及び９２に例示されている好ましい実施形態を参照されたい。
【０４４２】
本発明の別の実施形態によると、別の患者支持体が提供される。この患者支持体は、フレームと、フレームによって支持されるデッキと、デッキの支持部材によって支持されるマットレスを含む。デッキは、一対の離隔した側壁とこれらの側壁間に延びる支持部材を含む。支持部材は、患者がマットレス上に位置するときに、側壁の少なくとも一方に対して移動してその偏向を可能にするように構成される。例えば、図４３−４５，及び８２−８３に例示されている好ましい実施形態を参照されたい。
【０４４３】
本発明の別の実施形態によると、別の患者支持体が提供される。この患者支持体は、フレームと、フレームによって支持されるデッキと、デッキによって支持されるマットレスを含む。デッキは、ヘッド端と、ヘッド端から離隔したフット端を含む。患者支持体はさらに、デッキのヘッド端に結合された少なくとも一つのハンドグリップを含む。例えば、図４０及び５３に例示されている好ましい実施形態を参照されたい。
【０４４４】
本発明の別の実施形態によると、別の患者支持体が提供される。この患者支持体は、フレームと、フレームによって支持されるデッキを含む。デッキは、フレームに対して移動するように構成された複数のデッキ部またはセクションを含む。患者支持体はさらに、複数のデッキ部の少なくとも二つの間に形成される隙間に位置するスピル・ガードを含む。例えば、図８２及び８３に例示されている好ましい実施形態を参照されたい。
【０４４５】
本発明の別の実施形態によると、別の患者支持体が提供される。この患者支持体は、ベース・フレーム、中間フレーム、及びベース・フレーム上に中間フレームを支持するように構成された複数のリフトアームを含むフレームを含む。複数のリフトアームはベース・フレームに配置された複数のローラーによって摺動自在にベース・フレームに結合される。患者支持体はさらに、ベース・フレームに結合されてベース・フームの運動を促進する複数の車輪と、ベース・フームに位置して複数の車輪の同時制御を促進する車輪制御リンクを含む。例えば、図３及び４に例示されている好ましい実施形態を参照されたい。
【０４４６】
本発明の別の実施形態によると、別の患者支持体が提供される。この患者支持体は、ベース・フレーム、中間フレーム、及びベース・フレームに対して中間フレームを動かすように構成された複数のリフトアームを含むフレームを含む。患者支持体はさらに、中間フレームによって支持されるデッキと、ベース・フレームに結合したヘッドボードと、中間フレームによって支持されるフットボードを含む。例えば、図１，９，６１，及び９２に例示されている好ましい実施形態を参照されたい。
【０４４７】
本発明の別の実施形態によると、別の患者支持体が提供される。この患者支持体は、ベース・フレーム、中間フレーム、及びベース・フレームに対して中間フレームを動かすように構成された複数のリフトアームを含むフレームを含む。患者支持体はさらに、中間フレームによって支持されるデッキと、ベース・フレームに結合したヘッドボードと、デッキに結合したフットボードを含む。例えば、図１，９，６１，及び９２に例示されている好ましい実施形態を参照されたい。
【０４４８】
本発明の別の実施形態によると、別の患者支持体が提供される。この患者支持体は、長軸を有するフレームと、そのフレームによって支持されるデッキと、そのデッキによって支持されるマットレスと、フレームのヘッド端を第一長手方向の場所で支持するように位置決めされた第一車輪と、患者支持体のフット端を第二長手方向の場所で支持するように位置決めされた第二車輪と、第三場所でフレームによって支持されるペダルを含む。ペダルは、第一車輪と第二車輪の少なくとも一方を制御するように構成される。第一長手方向の場所は、第二及び第三長手方向の場所との間に位置する。例えば、図６１，９２，及び１１３に例示されている好ましい実施形態を参照されたい。
【０４４９】
本発明の別の実施形態によると、別の患者支持体が提供される。この患者支持体は、ベース・フレーム、中間フレーム、及びベース・フレーム上に中間フレームを支持しベース・フームに対して第一位置と第二位置との間で中間フレームの移動を可能にするように構成された複数のリフトアームを含むフレームと、中間フレームによって支持されるデッキを含む。患者支持体はさらに、ベース・フレームによって支持される囲い板（shroud)を含む。囲い板は、少なくとも一つの開口部を含み、その開口部は、中間フレームが第一位置と第二位置との間で移動するときに患者支持体の少なくとも一つの他の構成要素の開口部内での移動を可能にするように構成される。例えば、図６１と６５に例示されている好ましい実施形態を参照されたい。
【０４５０】
本発明の別の実施形態によると、別の患者支持体が提供される。この患者支持体は、フレームと、フレームによって支持されるマットレスと、フレームによって支持されるバリアを含む。バリアは、マットレス上に位置する患者が脱出するのを阻止する上昇位置と下降位置間で移動するように構成されている。バリアは、上昇位置と下降位置間で移動するときに長軸に沿って移動するように構成されている。例えば、図１０９−１１２に例示されている好ましい実施形態を参照されたい。
【０４５１】
本発明の別の実施形態によると、別の患者支持体が提供される。この患者支持体は、フレームと、フレームによって支持されるマットレスと、マットレスから患者が脱出するのを阻止するように位置決めされた第一バリアと、マットレスから患者が脱出するのを阻止するように位置決めされた第二バリアを含む。第一バリアはそこに形成された第一ポケットを含む。第二バリアはそこに形成された第二ポケットを含む。患者支持体はさらに、第一バリアの第一ポケットに脱着可能に収容されるように、かつ第二バリアの第二ポケットに脱着可能に収容されるように構成されたコントローラを含む。例えば、図７４−７５及び９７−１０１に例示されている好ましい実施形態を参照されたい。
【０４５２】
本発明の別の実施形態によると、別の患者支持体が提供される。この患者支持体は、フレームと、フレームによって支持されるマットレスと、マットレスから患者が脱出するのを阻止するように位置決めされた第一バリアと、マットレスから患者が脱出するのを阻止するように位置決めされた第二バリアを含む。第一バリアはそこに形成された第一ポケットを含む。第二バリアはそこに形成された第二ポケットを含む。患者支持体はさらに、第一バリアの第一ポケットに脱着可能に収容されるように、かつ第二バリアの第二ポケットに脱着可能に収容されるように構成されたコントローラを含む。患者支持体はさらに、第一及び第二ポケットに収容されるように構成されたコントローラ・マウントを含み、コントローラはこのコントローラ・マウントに結合されている。例えば、図９７−１０１に例示されている好ましい実施形態を参照されたい。
【０４５３】
本発明の別の実施形態によると、別の患者支持体が提供される。この患者支持体は、フレームと、フレームによって支持されるマットレスと、コントローラを含む。コントローラは、キー制御ボタンと複数の入力ボタンを含む。複数の入力ボタンの各々は、ユーザーからの命令を受けて患者支持体のある機能を制御するように構成される。キー制御ボタンは、患者支持体の諸機能を制御するために複数の入力制御ボタンを有効にしたり無効にしたりする。例えば、図１０１に例示されている好ましい実施形態を参照されたい。
【０４５４】
本発明の別の実施形態によると、別の患者支持体が提供される。この患者支持体は、長軸を有するフレームと、そのフレームによって支持されるデッキと、デッキによって支持されるマットレスと、第一長手方向の場所でフレームのヘッド端を支持するように位置決めされた第一対の車輪と、第二長手方向の場所でフレームのフット端を支持するように位置決めされた第二対の車輪とを含む。第一及び第二各対の車輪は、第一及び第二車輪の回転又は旋回の少なくとも一方を阻止するように構成されたブロッキング装置を含む。患者支持体はさらに、第一及び第二対の車輪のブロッキング装置の動作を調整するように構成された複数の伝達リンクと、第一及び第二長手方向の場所から長手方向に間隔をあけた第三長手方向の場所に位置するロッドを含む。このロッドは複数の伝達リンクの少なくとも二つの間で横切る方向に延びてその運動を調整する。例えば、図１１３に例示されている好ましい実施形態を参照されたい。
【０４５５】
本発明によると、患者支持体に使用されるマットレスが提供される。このマットレスは、長軸を有する患者支持面を含む。マットレスはさらに、患者支持面が実質的に平坦である第一位置と患者支持面にその長軸上に位置する冠状部（クラウン）を創出する第二位置との間で動くように構成されたクラウン形成ブラダーを含む。例えば、図４５，４９，及び５０に例示されている好ましい実施形態を参照されたい。
【０４５６】
本発明の別の実施形態によると、患者支持体に使用される別のマットレスが提供される。このマットレスは、患者支持面を含む。マットレスはさらに、第一堅さを有する第一位置と第一堅さよりも大きい第二堅さを有して患者支持面として実質的に堅い支持を与える第二位置との間で動くように構成された複数のセルを含む堅固化ブラダー（firming bladder）を含む。例えば、図４０，及び４２−４５に例示されている好ましい実施形態を参照されたい。
【０４５７】
本発明の別の実施形態によると、患者支持体に使用される別のマットレスが提供される。このマットレスは、患者支持面と内部領域を形成するカバーを含む。マットレスはさらに、カバー内に位置して患者支持面に振動を与える振動モーターを含む。例えば、図４２，４９，及び５０に例示されている好ましい実施形態を参照されたい。
【０４５８】
本発明の別の実施形態によると、患者支持体に使用される別のマットレスが提供される。このマットレスは頭部、座部、及び足部を含む。頭部、座部、及び足部は共働して患者支持面を形成する。頭部、座部、及び足部の少なくとも一つは患者支持面から離脱する患者の動きを阻止するように構成されたフェンスを含む。例えば、図４８−５０に例示されている好ましい実施形態を参照されたい。
【０４５９】
本発明の別の実施形態によると、患者支持体に使用される別のマットレスが提供される。このマットレスは頭部、座部、及び足部を含む。頭部、座部、及び足部は共働して患者支持面を形成する。頭部、座部、及び足部の少なくとも一つは患者支持面から離脱する患者の動きを阻止するように構成されたフェンスを含む。患者支持体はさらに、内部領域を形成するカバーを含み、頭部、座部、及び足部はこの内部領域内に位置決めされる。例えば、図４８−５０に例示されている好ましい実施形態を参照されたい。
【０４６０】
本発明の別の実施形態によると、患者支持体に使用される別のマットレスが提供される。このマットレスは頭部、座部、及び足部を含む。頭部、座部、及び足部は共働して患者支持面を形成する。足部は患者支持面から離脱する患者の動きを阻止するように構成されたフェンスを含む。例えば、図４８−５０に例示されている好ましい実施形態を参照されたい。
【０４６１】
本発明によると、患者支持体のマットレスに使用される圧力システムが提供される。マットレスはブラダー（bladder）を含む。圧力システムは、圧力源と、マットレスのブラダーの中の流体圧力を所定範囲に維持する圧力調節器を含む。圧力システムはさらに、ブラダーの中の流体圧力が所定範囲より低くなったときに圧力源から流体をブラダーに送給し、ブラダーの中の流体圧力が所定範囲より高くなったときにブラダーから流体を除去するように構成された導管を含む。例えば、図５１に例示されている好ましい実施形態を参照されたい。
【０４６２】
本発明によると、患者支持体のためのフレームが提供される。このフレームは、ベース・フレームと、中間フレームと、中間フレームをベース・フレーム上に支持しベース・フレームに対する第一位置と第二位置との間での中間フレームの移動を可能にするように構成された少なくとも三つのリフト・アームを含む。リフト・アームの各々は、ベース・フレームに結合された第一リンクと、中間フレームに結合された第二リンクと、第一及び第二リンクと枢軸回転自在に結合された第三リンクと、第一及び第二リンクと枢軸回転自在に結合された第四リンクとを含む。例えば、図８−１３及び６５に例示されている好ましい実施形態を参照されたい。
【０４６３】
本発明の別の実施形態によると、患者支持体のための別のフレームが提供される。このフレームは、ベース・フレームと、中間フレームと、中間フレームをベース・フレーム上に支持しベース・フレームに対して第一位置と第二位置の間で中間フレームの移動を可能にするように構成された複数のリフト・アームを含む。リフト・アームの各々は、第一及び第二リンクを含み、第一リンクはベース・フレームに枢軸回転自在に結合され、中間フレームに枢軸回転自在に結合される。第二リンクは、第一リンクに枢軸回転自在に結合され、ベース・フレームと中間フレームの少なくとも一方に枢軸回転自在に結合される。例えば、図１，２−７，及び９２−９６に例示されている好ましい実施形態を参照されたい。
【０４６４】
本発明の別の実施形態によると、患者支持体のための別のフレームが提供される。このフレームは、ベース・フレームと、中間フレームと、中間フレームをベース・フレーム上に支持しベース・フレームに対して第一位置と第二位置との間での中間フレームの移動を可能にするように構成された少なくとも一つのリフト・アームを含む。ベース・フレームと中間フレームの少なくとも一方は、ベース・フレームと中間フレームの少なくとも一方の他の内部に収まるように構成されている。例えば、図９２−９６に例示されている好ましい実施形態を参照されたい。
【０４６５】
本発明によれば、本発明の種々の実施形態のベッドの、ベッドフレーム、デッキ、マットレス、ヘッドボード、フットボード、サイドレール、コントローラ、及びその他の構成要素の様々な特徴は、ここに開示された他のベッド又は当業者に既知のベッドの特徴と交換でき、または組み合わせて使用することができる。
【０４６６】
本発明の諸特徴をベッドについて記述してきたが、それらは休息、治療、又は回復中の人を支持するための検査テーブル、ストレッチャー、ガーニー（gurneys）、車椅子、チェアーベッド、又はその他の患者支持装置で利用できる。
【０４６７】
本発明をいくつかの例示的な実施形態について説明してきたが、特許請求の範囲に記載されかつ限定される本発明の範囲と精神内で変更や改良が存在する。
【図面の簡単な説明】
【図１】  フレーム、フレームに結合されフレームの上に位置づけされたデッキ、フレームに結合されたヘッドボード、デッキに結合されたフットボードそしてフレームに結合された２対の分割サイドレールを含む病院用ベッドを示す、病院用ベッドの斜視図である。
【図２】  ベース及びベースに滑動可能な形で結合されたセンターパネルを含むヘッドボードを示す、図１の線２−２に沿って切り取った断面図である。
【図３】  上部位置にあるデッキを支持する上部位置にあるフレームを示す、病院用ベッドの側面立面図である。
【図４】  中空ベース・フレーム内に位置づけされたローラー及びキャスター−ブレーキリンク機構を示す、図３の線４−４に沿って切り取った断面図である。
【図５】  中間位置にデッキを支持する中間位置にあるフレームを示し、かつ下部位置にあるデッキを支持する下部位置にあるフレーム（破線）を示す、図３に類似した病院用ベッドの側面立面図である。
【図６】  デッキの頭部がその足部よりも低いところに位置づけされた状態でデッキを支持するトレンデレンブルグ位置にあるフレームを示す、図３に類似した病院用ベッドの側面立面図である。
【図７】  デッキの頭部がその足部よりも高いところに位置づけされた状態でデッキを支持する逆トレンデレンブルグ(Trendelenburg)位置にあるフレームを示す、図３に類似した病院用ベッドの側面立面図である。
【図８】  中間フレームとデッキ（破線）を支持する４つのリンク機構アセンブリをもつ１変形実施形態の病院用ベッドフレームの斜視図である。
【図９】  中間フレームとデッキを上部位置に支持する、上部位置にあるフレームを示す図８の病院用ベッドの側面立面図である。
【図１０】  Ｃ形リンク及びその中に部分的に位置づけされた矩形のリンクを含むリンク機構アセンブリの１つを示す、図９の線１０−１０に沿って切り取られた断面図である。
【図１１】  下部位置にデッキを支持する下部位置にあるフレームを示す、図９と類似の病院用ベッドの側面立面図である。
【図１２】  デッキの頭部がその足部よりも低いところに位置づけされた状態でデッキを支持するトレンデレンブルグ位置にあるフレームを示す、図９に類似した病院用ベッドの側面立面図である。
【図１３】  デッキの頭部がその足部よりも高いところに位置づけされた状態でデッキを支持する逆トレンデレンブルグ位置にあるフレームを示す、図９に類似した病院用ベッドの側面立面図である。
【図１４】  病院用ベッドのさまざまな機能を操作するための複数の制御ボタンを含む、フットボードに旋回可能な形で結合された制御パネルの斜視図である。
【図１５】  病院用ベッドのさまざまな機能を制御するように構成された４本のフットペダルを含む、１変形実施形態の制御システムの斜視図である。
【図１６】  病院用ベッドの背面部を降下させるためのフットベダルの１つを押す介護人を示す、図１５の制御システムの斜視図である；
【図１７】  頭部（部分的に破線）、頭部に旋回可能な形で結合されている背面部（部分的に破線）及びフレームの中間フレーム、デッキの背面部及びその頭部に結合されている傾動機構を含むデッキを示す、切取り部分（部分的に破線）を伴う図１の病院用ベッドのヘッド端の側面立面図である。
【図１８】  図１７の線１８−１８に沿って切取った傾動機構の上面図である。
【図１９】  デッキの背面部との関係においてその頭部を傾動させる機構を示す、図１７に類似した側面立面図である。
【図２０】  背面部との関係において頭部を傾動させ、中間フレームとの関係において背面部を傾動させる傾動機構を示す、図１７と類似の側面立面図である。
【図２１】  頭部と背面部の間の共面関係を維持する一方で中間フレームとの関係においてデッキの頭部及び背面部を傾動させる傾動機構を示す、図１７に類似した側面立面図である。
【図２２】  結合されたフットボードを伴う足部及び足部と中間フレームに旋回可能な形で結合された座部を含むデッキ及び、デッキの足部及び座部と中間フレームとの間に位置づけされた傾動機構を示す、病院用ベッドのフット端の側面立面図である。
【図２３】  デッキの座部を上部位置まで持ち上げるアクチュエータ及び座部の運動に応答してデッキの足部を上昇させるロック位置にある一対のリンクを含む傾動機構を示す、図２２と類似の側面立面図である。
【図２４】  引込み位置にあるアクチュエータ及びロック解除位置にある傾動機構のリンクを示す、図２２に類似した側面立面図である。
【図２５】  デッキの座部を持上げるアクチュエータ，ロック解除位置にあるリンク、及びアクチュエータが座部を持上げるにつれて座部に対して傾動するデッキの足部を示す側面立面図である。
【図２６】  ロック位置にあるリンク及び、左右のリンクを相互連結しその間で同時運動させるコネクタリンクをさらに含む傾動機構を示す、デッキの足部及び座部の下側の斜視図である。
【図２７】  リンク機構アセンブリに結合された、中間フレーム及び透明レール部材に結合されたリンク機構アセンブリを含むサイドレールの１つの、一部透視図を含む斜視図である。
【図２８】  キャッチロッドに結合されたＺ字形ラッチを含むリテーナ、Ｚ字形ラッチに結合された下部解除ハンドル及び一対の垂直トランスファロッドを通してＺ字形ラッチと相互作用する患者によるアクセス可能な上部解除ハンドルを含むリンク機構アセンブリを示す、図２７の線２８−２８に沿って切り取られた断面図である。
【図２９】  患者がアクセスできる上部解除ハンドルの運動を阻止するように構成されているロックアウト機構の側面図である。
【図３０】  Ｚ字形ラッチがキャッチロッドから離れるように回転して、サイドレールが降下できるようにする形で垂直トランスファロッドを下向きに押すため、内向きに旋回させられる患者がアクセスできる上部解除ハンドルを示す、図２８と類似の断面図である。
【図３１】  中間下部位置にあるサイドレールを示す図２８と類似の断面図である。
【図３２】  リンク機構アセンブリに結合された透明レール部材及び保管位置にある透明レール部材に旋回可能な形で結合された透明肘掛けを示すサイドレールの斜視図である。
【図３３】  使用位置にあり、中にコップを支持する容器／コップホルダを有する肘掛けを示す、図３２に類似の図である。
【図３４】  保管位置にある肘掛け、肘掛けに結合されたストッパプレート、実質的に円形のローブとそれに結合された下向きに延びるローブを有するレール部材の上面レール部分を示す、図３２の線３４−３４に沿って切取られた断面図である。
【図３５】  使用位置にある肘掛け及び、肘掛けのさらなる時計回り回転を防ぐように下向きに延びるローブと係合するストッパプレートを示す、図３４と類似の断面図である。
【図３６】  上部位置にあるサイドレールを示す、変形実施形態のサイドレールの斜視図である。
【図３７】  管状支持部材を中心にして旋回可能な形で結合された垂直レール部材、この垂直レール部材に旋回可能な形で結合された一対のハンドル、管状支持部材の中に形成された孔と係合する垂直ピンを含むリテーナ、及びハンドルに対し垂直ピンを結合する一対のケーブルを含む図３６のサイドレールを示し、ここで起動位置にある前記ハンドル（破線）の１つが、管状支持部材との関係において反時計回り（破線）又は時計回り（破線）方向にレール部材が旋回できるようにするべく管状支持部材とのロック係合から垂直ピンを引き出している、図３６の線３７−３７に沿って切取られた断面図である。
【図３８】  下部位置にあるサイドレールを示す、図３６と類似の斜視図である。
【図３９】  管状支持部材の中に形成された孔からピンが係合解除された状態での、下部位置にあるサイドレールを示す、図３７と類似する断面図である。
【図４０】  デッキ上に位置づけされた、デッキ及びマットレスを示す、一部透視図を含む図１の病院用ベッドの斜視図である。
【図４１】  図４０のマットレス（皮地の外側層が取外された状態の）の斜視図である。
【図４２】  マットレスの上面近くに位置づけされた堅牢化パッド、この堅牢化パッドの下に位置づけされた上部発泡材層、上部発泡材層の下に位置づけされた頂冠ブラダー、頂冠の下に位置づけされたマッサージモーター及び同じく頂冠ブラダーの下に位置づけされた一対の付加的発泡材層を含むマットレスを示す、図４０の線４２−４２に沿って切取られた図４０のマットレスの断面図である。
【図４３】  空気抜き位置にあるもう１つの頂冠ブラダーを含むマットレス及び非屈曲位置及び屈曲位置（破線）にある可撓性デッキパネルを含むデッキを示す。図４０の線４３−４３に沿って切取られた断面図である。
【図４４】  細長いスロット及び、重みが加わった時点で可撓性パネルが下向きに反ることができるように（破線）締結装置との関係において可撓性パネルが滑動できるよう細長いスロット内に位置づけされた締結装置を含む可撓性パネルの１部を示す、図４３の線４４−４４に沿って切取られた、一部透視図を含む断面図である。
【図４５】  マットレス内に頂冠を作り出すべく膨張した位置にある頂冠ブラダーを示す、図４３に類似した断面図である。
【図４６】  図４６は、デッキと適合するよう傾斜した側面を含むように形成されたマットレスの足部を示す、図４１のマットレスの足部の端面図である。
【図４７】  足部が伸び縮みできるようにするスロットを含むべく形成された足部を示す図４１のマットレスの足部の側面立面図である。
【図４８】  一変形実施形態のマットレスの分解立体図である。
【図４９】  もう１つの変形実施形態のマットレスの分解立体図である。
【図５０】  複数のシリンダを有するエアブラダーを含むさらにもう１つの変形実施形態のマットレスの分解立体図である。
【図５１】  図５０のエアブラダー内の圧力レベルを制御するためのエアシステムの斜視図である。
【図５２】  デッキからフットボードを取外しサイドレール上に位置づけて患者用テーブル（破線）を提供できるようにデッキに解除可能な形で結合された１変形実施形態のフットボードの斜視図である。
【図５３】  テーブル位置にあり、サイドレール対の上に位置づけされた図５２のフットボードを示す断面図である。
【図５４】  デッキに取外し可能な形で結合された管状フレーム及び管状フレームに結合された布製スクリーンを含むヘッドボードを示す、代替的ヘッドボードの斜視図である。
【図５５】  管状フレームに結合された布製スクリーンを示す図５４の線５５−５５に沿って切取られた断面図である。
【図５６】  デッキから取外され、ベース及びベースに対して旋回可能な形で結合されベースを支持するべくサイドレール上に位置づけされた一対のサイドフラップを有するさらにもう１つの変形実施形態のフットボードの断面図である。
【図５７】  ベースの外側の保管位置にあるサイドブラダーを示す、図５６と類似した図である。
【図５８】  ベース及びベースの内側で保管位置に位置づけされた一対のサイドブラダーをもつもう１つの変形フットボードを示す、図５７と類似した図である。
【図５９】  テーブルを提供するべく１対のサイドレール上に位置づけされたさらにもう１つの変形実施形態の取外し可能なフットボードの斜視図である。
【図６０】  内向きに傾斜しているサイドレール上に位置づけされたフットボードを示す、図５９のフットボードの断面図である。
【図６１】  フレーム、頭部がフレームの中間フレームに対して傾動した状態でフレームに結合されたフレームより上に位置づけされたデッキ，デッキにより支持されたマットレス、フレームに結合されたヘッドボード，デッキに結合されたフットボード，デッキの頭部に結合された一対のヘッド端サイドレール及び、フットボードに結合され、フット端サイドレールまで延びる一対の間隙充填物を含む病院用ベッドを示すもう１つの変形実施形態の病院用ベッドの斜視図である。
【図６２】  中間フレームの一部に結合されたヘッドボードを示し、このベッドが、ポケット及びヘッドボードから離隔しヘッドボードのポケットに適合するように整列したパネルを含む、図６１のヘッドボードの斜視図である。
【図６３】  ヘッドボードから離隔されたパネルを示す図６１のヘッドボードの端面図である。
【図６４】  ヘッドボードのポケット内に位置づけされたパネルを示す、図６３と類似した図である。
【図６５】  中間フレーム，ベース・フレームをカバーする側板及びこの側板の上で中間フレームを支持する４つのリンク機構アセンブリを含むフレームを示す、デッキ，マットレス、サイドレール及びヘッドボードを取外した状態の図６１のヘッドの斜視図である。
【図６６】  ベース・フレームに結合され、このベース・フレームに結合されたキャスタから離隔されたキャスタブレーキペダルを示すベース・フレームの一部の斜視図である。
【図６７】  六角ロッドを含むキャスタ制動機構のアームまでキャスタブレーキペダルのアームから延びているリンクを示す、図６６の線６７−６７に沿って切取られた断面図である。
【図６８】  フットボードに対し図６１の間隙充填物の１つを結合するヒンジを示す斜視図である。
【図６９】  第１の締結装置を含むフットボード及びフットボードと結合するように第１の締結装置と整列した第２の締結装置を含む間隙充填物を示す。図６１の間隙充填物の１つとフットボードの側面立面図である。
【図７０】  間隙充填物が、フット端サイドレールとマットレスとの間に位置づけされていることを示す、図６１のフットボード、フット端サイドレールの１つ及び間隙充填物の１つの上面図である。
【図７１】  デッキの頭部がデッキの座部と同一平面にある状態で、ベッド位置にあるデッキを示す図６１のベッドの側面立面図である。
【図７２】  デッキの座部に対して傾動したデッキの頭部を示す図７１と類似の図である。
【図７３】  ベッドの座部に対して傾動したデッキの頭部、及びフット端サイドレール内に形成された切欠きに隣接して位置づけされたヘッド端サイドレールのフット端を示す、図７１に類似した図である；
【図７４】  ポケットをもつレール部材を含むフット端サイドレール（ベッドにはさらにポケット内に挿入するように位置づけされたコントローラが含まれている）を示す、図６１のフット端サイドレールの１つの部分斜視図である。
【図７５】  一対のくぼみを含むレール部材、及びフット端サイドレールのポケット内にコントローラを取外し可能な形でしっかり固定すべくレール部材のくぼみ内に適合するように整列した一対のボール式移動止めを含むコントローラを示す、図７４の線７〜７５に沿って切取った断面図である。
【図７６】  長手方向スロットを含むヘッド端サイドレールを示す（ベッドにはさらにその長さに沿って滑動するため該スロット内に位置づけされたコントローラが含まれている）、ヘッド端サイドレールの１つの側面立面図である。
【図７７】  ヘッド端サイドレールにコントローラを取外し可能な形及び滑動可能な形で結合すべく構成された一対のタブを含むコントローラを示す、図７６の線７７−７７に沿って切取った断面図である。
【図７８】  長手方向スロットを含むフット端サイドレール及び、その長さに沿って滑動するよう該スロット内に位置づけされた図７６のコントローラを示す、フット端サイドレールの１つの側面立面図である。
【図７９】  中間フレームに旋回可能な形で結合された座部及び座部に旋回可能な形で結合された足部及び足部及び中間フレームに結合されたリンクを含んで成るデッキを示す病院用ベッド（ベッドにはさらに中間フレームと座部に結合されたアクチュエータが含まれ、足部は中間フレームに結合されたローラー上に載っている）のフット端の側面立面図である。
【図８０】  デッキの足部がローラ上で転がり同時に傾動した位置をとるような形でデッキの座部を傾動させる伸張位置にあるアクチュエータを示す、図７９と類似の図である。
【図８１】  伸張位置にあるアクチュエータ及び傾動位置にある座部を示し、足部を上昇位置に支持するべくリンクが中間フレームに結合されている、図７９と類似の図である。
【図８２】  デッキの頭部とデッキの座部の間に位置づけされたスピルガードを示すデッキと中間フレームの、一部透視図を含む斜視図である。
【図８３】  デッキの頭部及び座部の間に位置づけされたスピルガードを示す、図８２の線８３−８３に沿って切取った断面図である。
【図８４】  中間フレームに結合された雄通信コネクタ及びそれに結合されるべく整列した雌通信コネクタをさらに含むベッドを示す中間フレームの一部分の斜視図である。
【図８５】  ベース・フレームに結合された推進装置の斜視図である。
【図８６】  ホイール及びホイールを床から離隔した位置に支持する引込み位置にあるアクチュエータを含む推進装置を示す、図８５の線８６−８６に沿って切取られた断面図である。
【図８７】  ホイールが床と接触するように伸張位置にあるアクチュエータを示す、図８６と類似の図である。
【図８８】  引込み可能な発泡材部を含む足部及び引込み可能な足部内に形成されたキャビティ内に位置づけされたかかと圧逃がしブラダーを含むマットレスを示す、保護カバーが取外された状態にある、図６１のマットレスの斜視図である。
【図８９】  かかとがかかと圧逃がしブラダー上に位置づけされた状態で伸張位置にあるデッキの足部及びマットレスの上に位置づけされた背の高い人を示す、デッキ及びマットレスの側面立面図である。
【図９０】  かかとがかかと圧逃がしブラダー上に位置づけされた状態で引込んだ位置にある足部及びマットレスの上に位置づけされた背の低い人を示す、図８９と類似の図である。
【図９１】  引込み可能な発泡材部の中に形成されたキャビティ内に位置づけされたかかと圧逃がしブラダーを示す、図９０の線９１−９１に沿って切取られた断面図である。
【図９２】  複数のキャスタによって支持されたベース・フレーム、検重フレーム及び検重フレームとベース・フレームの間に位置づけされた支持アーム対をもつフレーム，ベース・フレームに結合されたヘッドボード，デッキに結合されたフットボード及びベース・フレームに結合された４つのフットペダル制御機構を含む病院用ベッドを示す、もう１つの変形実施形態の病院用ベッドの斜視図である。
【図９３】  矩形検重フレーム及びその周囲に結合されその内部に位置づけされた中間フレームをさらに含むフレームの上面図である。
【図９４】  検重フレーム及び中間フレームの斜視図である。
【図９５】  上昇位置にあるリフトアームにより支持された中間フレームと検重フレームを示す図９３の線９５−９５に沿って切取られた図９２の病院用ベッドの側面立面図である。
【図９６】  降下位置に検重フレームを支持するリフトアームを示す、図９５と類似した図である。
【図９７】  レール部材及び一対のネジでレール部材に結合するように整列した取外し可能なコントローラマウントを含む第１のフット端サイドレールを示す（取外し可能なコントローラマウントは１つのポケットを有し、ベッドはさらに、取外し可能なコントローラマウントのポケット内に位置づけされたコントローラを含む）フット端サイドレール対のうちの第１のサイドレールの部分斜視図である。
【図９８】  図９７の線９８−９８に沿って切取った断面図である。
【図９９】  レール部材及びレール部材に結合され、実質的に平坦で取外し可能なパネルを含む第２のフット端サイドレールを示す、フット端サイドレール対のうちの第２のサイドレールの一部透視図になっている斜視図である。
【図１００】  図９９の線１００−１００に沿って切取られた断面図である。
【図１０１】  図９７のコントローラの側面立面図である。
【図１０２】  コントローラを頭及びフット端サイドレールのうちの１つに対して取外し可能でかつ滑動可能な形で結合するように構成されたラッチを含む、もう１つのコントローラを示す図１０４の線１０２−１０２に沿って切取られた断面図である。
【図１０３】  図１０２のラッチ構成の部分斜視図である。
【図１０４】  サイドレールの輪郭（破線で示された）を補完するべく湾曲したチャンネルを構成する１対の離隔した表面をもつハウジングを含むコントローラを示す、図１０２のコントローラの背面を示す側面立面図である。
【図１０５】  ベース・フレームの一部に結合されたペダルハウジング及びペダルハウジングに旋回可能な形で結合された４つのペダルを示す斜視図である。
【図１０６】  ペダルハウジングに旋回可能な形で結合されたペダル、ペダルを反時計回り方向に付勢するためにベース・フレームとペダルとの間に位置づけされた第１バネ、時計回り方向にペダルを付勢するためにベース・フレームとペダルとの間に位置づけされた第２バネ、ペダルの遠位端部に結合された磁石及び磁石の位置を検出するように配置されたセンサーを含むフットペダルの１つを示す図１０５の線１０６−１０６で切り取った断面図である。
【図１０７】  検重フレームに対して傾動したデッキの頭部を示す部分斜視図である。
【図１０８】  図１０９の線１０８−１０８に沿って切取られたヘッド端サイドレールの断面図である。
【図１０９】  図１０９は、検重フレームに対して傾動したデッキの頭部及びアップ位置にあるヘッド端サイドレールを示す、図９２のべッドの側面立面図である。
【図１１０】  下降位置にあるヘッド端サイドレールを示す図１０９と類似の図である。
【図１１１】  長手方向に延びるロッドに旋回可能な形で結合された一対の離隔したリンクを含むサイドレールを示す（ロッドは２対の円筒形カムを含み、各リンクはロッドの円筒形カムと接触するように位置づけされた一対の離隔した円筒形カムを含む）、上昇位置にあるヘッド端サイドレールの一部の側面立面図である。
【図１１２】  下降位置にある場合に右に並進運動したサイドレールを示す、図１１１に類似した図である。
【図１１３】  ベース・フレームに結合された４つのキャスタ、キャスタのうち２つに結合された第１のフットペダル対、他の２つのキャスタから長手方向に離隔した第２のフットペダル対、第２のフットペダルを合わせて結合する横切る方向リンク及び、４つのキャスタ全てが同時に移動するようにリンクされるように第１及び第２のフットペダル対を結合する一対の離隔した長手方向に延びるリンクを示す、もう１つの変形実施形態のベース・フレームの斜視図である。
【図１１４】  実質的に平坦なベッド位置にあるデッキを示す、図９０と同一の図である。
【図１１５】  傾動位置まで上昇したデッキの頭部及び、デッキの頭部の上昇に応答して伸張したデッキの足部を示す、図９０と類似の図である。
【図１】
0004601887.tif 000002
【図２】
0004601887.tif 000003
【図３】
0004601887.tif 000004
【図４】
0004601887.tif 000005
【図５】
0004601887.tif 000006
【図６】
0004601887.tif 000007
【図７】
0004601887.tif 000008
【図８】
0004601887.tif 000009
【図９】
0004601887.tif 000010
【図１０】
0004601887.tif 000011
【図１１】
0004601887.tif 000012
【図１２】
0004601887.tif 000013
【図１３】
0004601887.tif 000014
【図１４】
0004601887.tif 000015
【図１５】
0004601887.tif 000016
【図１６】
0004601887.tif 000017
【図１７】
0004601887.tif 000018
【図１８】
0004601887.tif 000019
【図１９】
0004601887.tif 000020
【図２０】
0004601887.tif 000021
【図２１】
0004601887.tif 000022
【図２２】
0004601887.tif 000023
【図２３】
0004601887.tif 000024
【図２４】
0004601887.tif 000025
【図２５】
0004601887.tif 000026
【図２６】
0004601887.tif 000027
【図２７】
0004601887.tif 000028
【図２８】
0004601887.tif 000029
【図２９】
0004601887.tif 000030
【図３０】
0004601887.tif 000031
【図３１】
0004601887.tif 000032
【図３２】
0004601887.tif 000033
【図３３】
0004601887.tif 000034
【図３４】
0004601887.tif 000035
【図３５】
0004601887.tif 000036
【図３６】
0004601887.tif 000037
【図３７】
0004601887.tif 000038
【図３８】
0004601887.tif 000039
【図３９】
0004601887.tif 000040
【図４０】
0004601887.tif 000041
【図４１】
0004601887.tif 000042
【図４２】
0004601887.tif 000043
【図４３】
0004601887.tif 000044
【図４４】
0004601887.tif 000045
【図４５】
0004601887.tif 000046
【図４６】
0004601887.tif 000047
【図４７】
0004601887.tif 000048
【図４８】
0004601887.tif 000049
【図４９】
0004601887.tif 000050
【図５０】
0004601887.tif 000051
【図５１】
0004601887.tif 000052
【図５２】
0004601887.tif 000053
【図５３】
0004601887.tif 000054
【図５４】
0004601887.tif 000055
【図５５】
0004601887.tif 000056
【図５６】
0004601887.tif 000057
【図５７】
0004601887.tif 000058
【図５８】
0004601887.tif 000059
【図５９】
0004601887.tif 000060
【図６０】
0004601887.tif 000061
【図６１】
0004601887.tif 000062
【図６２】
0004601887.tif 000063
【図６３】
0004601887.tif 000064
【図６４】
0004601887.tif 000065
【図６５】
0004601887.tif 000066
【図６６】
0004601887.tif 000067
【図６７】
0004601887.tif 000068
【図６８】
0004601887.tif 000069
【図６９】
0004601887.tif 000070
【図７０】
0004601887.tif 000071
【図７１】
0004601887.tif 000072
【図７２】
0004601887.tif 000073
【図７３】
0004601887.tif 000074
【図７４】
0004601887.tif 000075
【図７５】
0004601887.tif 000076
【図７６】
0004601887.tif 000077
【図７７】
0004601887.tif 000078
【図７８】
0004601887.tif 000079
【図７９】
0004601887.tif 000080
【図８０】
0004601887.tif 000081
【図８１】
0004601887.tif 000082
【図８２】
0004601887.tif 000083
【図８３】
0004601887.tif 000084
【図８４】
0004601887.tif 000085
【図８５】
0004601887.tif 000086
【図８６】
0004601887.tif 000087
【図８７】
0004601887.tif 000088
【図８８】
0004601887.tif 000089
【図８９】
0004601887.tif 000090
【図９０】
0004601887.tif 000091
【図９１】
0004601887.tif 000092
【図９２】
0004601887.tif 000093
【図９３】
0004601887.tif 000094
【図９４】
0004601887.tif 000095
【図９５】
0004601887.tif 000096
【図９６】
0004601887.tif 000097
【図９７】
0004601887.tif 000098
【図９８】
0004601887.tif 000099
【図９９】
0004601887.tif 000100
【図１００】
0004601887.tif 000101
【図１０１】
0004601887.tif 000102
【図１０２】
0004601887.tif 000103
【図１０３】
0004601887.tif 000104
【図１０４】
0004601887.tif 000105
【図１０５】
0004601887.tif 000106
【図１０６】
0004601887.tif 000107
【図１０７】
0004601887.tif 000108
【図１０８】
0004601887.tif 000109
【図１０９】
0004601887.tif 000110
【図１１０】
0004601887.tif 000111
【図１１１】
0004601887.tif 000112
【図１１２】
0004601887.tif 000113
【図１１３】
0004601887.tif 000114
【図１１４】
0004601887.tif 000115
【図１１５】
0004601887.tif 000116